(57)【要約】  本発明の実施形態はダウンリンク情報の処理方法およびデバイスを提供している。本方法には、アクティブセットのセルと前記UE間の通信リンクがプリセット通信品質要件を満たしているかどうかをUEにより判定すること、およびアクティブセットのセルとUE間の通信リンクがプリセット通信品質要件を満たしていない場合、通信リンクを使用して基地局から送信されるダウンリンク情報の処理をUEにより停止することが含まれ、したがって、UEの送信性能には影響しない。
2016515779.tif 000002
【特許請求の範囲】
【請求項１】
ダウンリンク情報の処理方法であって、
ユーザ機器（UE）によって、アクティブセットのセルと前記UE間の通信リンクがプリセット通信品質要件を満たしているかどうかを判定することと、
前記アクティブセットの前記セルと前記UE間の前記通信リンクが前記プリセット通信品質要件を満たしていない場合、前記通信リンクを使用して基地局から送信されるダウンリンク情報の処理を前記UEにより停止することとを含む方法。
【請求項２】
前記通信リンクを使用して基地局から送信されるダウンリンク情報の処理の前記UEによる前記停止の後に、方法が、
前記アクティブセットの前記セルと前記UE間の通信リンクが前記プリセット通信品質要件を満たしているかどうかを前記UEよりさらに判定することと、
前記アクティブセットの前記セルと前記UE間の前記通信リンクが前記プリセット通信品質要件を満たしている場合、前記通信リンクを使用して前記基地局から送信される前記ダウンリンク情報の処理を前記UEにより再開することとをさらに含む、請求項1に記載の方法。
【請求項３】
前記通信リンクを使用して基地局から送信されるダウンリンク情報の処理の前記UEによる前記停止が、
前記通信リンクを使用して前記基地局から送信される送信電力制御（TPC）コマンドの処理の前記UEによる停止、および／または
前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の前記UEによる停止を含む、請求項1または2に記載の方法。
【請求項４】
前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の前記UEによる前記停止が、
前記通信リンクを使用して前記基地局から送信される前記DPCCH／DPDCH／F-DPCH／E-RGCH／E-HICHの受信の前記UEによる停止、または
前記通信リンクを使用して基地局から送信されるDPDCHの前記UEによる受信、および組み合わせ処理での前記DPDCHで信号の使用の停止、または
前記通信リンクを使用して前記基地局から送信されるDPCCH/DPDCH/F-DPCHの前記UEによる受信、および信号対干渉比（SIR）評価での前記DPCCH／DPDCH／F-DPCHで信号の使用の停止、または
前記通信リンクを使用して前記基地局から送信されるE-RGCHのUEによる受信、および組み合わせ処理での前記E-RGCHで相対グラント信号の使用の停止、または
前記通信リンクを使用して前記基地局から送信されるE-RGCHのUEによる受信、および前記UEの上位層への前記E-RGCHでの相対グラント情報の送信の停止、または
前記通信リンクを使用して前記基地局から送信されるE-HICHのUEによる受信、および組み合わせ処理での前記E-HICHでフィードバック信号の使用の停止、または
前記通信リンクを使用して前記基地局から送信されるE-HICHのUEによる受信、および前記UEの上位層への前記E-HICHでのフィードバック情報の送信の停止を含む請求項3に記載の方法。
【請求項５】
UEによる、アクティブセットのセルと前記UE間の通信リンクがプリセット通信品質要件を満たしているかどうかを判定することが、
TPCコマンドの信号対干渉比（SIR）評価がSIRしきい値未満であるかどうかの前記UEによる判定であって、前記TPCコマンドが前記セルと前記UE間の前記通信リンクを使用して前記UEによって受信される判定と、
前記TPCコマンドの前記SIRが前記SIRしきい値未満である場合、前記通信リンクが前記プリセット通信品質要件を満たしていないことの前記UEによる判定、または
前記TPCコマンドの前記SIRが前記SIRしきい値以上である場合、前記通信リンクが前記プリセット通信品質要件を満たしていることの前記UEによる判定とを含む、請求項1から4のいずれか一項に記載の方法。
【請求項６】
UEによる、アクティブセットのセルと前記UE間の通信リンクがプリセット通信品質要件を満たしているかどうかを判定することが、
前記セルが1Bイベントまたは1Aイベントのいずれかを満たしているかの前記UEによる判定と、
前記セルが前記1Bイベントを満たしている場合、前記通信リンクが前記プリセット通信品質要件を満たしていないことの前記UEによる判定、または
前記セルが前記1Aイベントを満たしている場合、前記通信リンクが前記プリセット通信品質要件を満たしていることの前記UEによる判定とを含む、請求項1から4のいずれか一項に記載の方法。
【請求項７】
UEによる、アクティブセットのセルと前記UE間の通信リンクがプリセット通信品質要件を満たしているかどうかを判定することが、
前記セルと前記UE間の前記通信リンクがダウンリンク同期外れ状態またはダウンリンク同期状態のいずれかにあるかの前記UEによる判定と、
前記セルと前記UE間の前記通信リンクがダウンリンク同期外れ状態にある場合、前記通信リンクが前記プリセット通信品質要件を満たしていないことの前記UEによる判定、または
前記セルと前記UE間の前記通信リンクがダウンリンク同期状態にある場合、前記通信リンクが前記プリセット通信品質要件を満たしていることの前記UEによる判定とを含む、請求項1から4のいずれか一項に記載の方法。
【請求項８】
UEによる、アクティブセットのセルと前記UE間の通信リンクがプリセット通信品質要件を満たしているかどうかを判定することが、
1Bイベントが前記セルで発生し、前記通信リンクがダウンリンク同期外れ状態にあるか、または1Aイベントが前記セルで発生し、前記通信リンクがダウンリンク同期状態にあるかのいずれかの前記UEによる判定と、
前記1Bイベントが前記セルで発生し、前記通信リンクがダウンリンク同期外れ状態にある場合、前記通信リンクが前記プリセット通信品質要件を満たしていないことの前記UEによる判定、または
前記1Aイベントが前記セルで発生し、前記通信リンクがダウンリンク同期状態にある場合、前記通信リンクが前記プリセット通信品質要件を満たしていることの前記UEによる判定とを含む、請求項1から4のいずれか一項に記載の方法。
【請求項９】
UEによる、アクティブセットのセルと前記UE間の通信リンクがプリセット通信品質要件を満たしているかどうかを判定することが、
前記セルの共通パイロットチャネルCPICHの品質および／またはDPCCH／DPDCH／F-DPCH／E-RGCH／E-HICHの品質がプリセットしきい値未満であるかどうかのUEによる判定と、
前記セルの前記CPICHの品質および／または前記DPCCH／DPDCH／F-DPCH／E-RGCH／E-HICHの品質が前記プリセットしきい値未満である場合、前記通信リンクが前記プリセット通信品質要件を満たしていないことの前記UEによる判定、または
前記セルの前記CPICHの品質および／または前記DPCCH／DPDCH／F-DPCH／E-RGCH／E-HICHの品質が前記プリセットしきい値以上である場合、前記通信リンクが前記プリセット通信品質要件を満たしていることの前記UEによる判定とを含む、請求項1から4のいずれか一項に記載の方法。
【請求項１０】
ダウンリンク情報の制御方法であって、
ユーザ機器（UE）のサービングセルがマイクロセルの場合、アクティブセットのセルと前記UE間の通信リンクがプリセット通信品質要件を満たしているかどうかを無線ネットワーク制御装置（RNC）によって判定することと、
前記アクティブセットの前記セルと前記UE間の前記通信リンクが前記プリセット通信品質要件を満たしていない場合、前記RNCによって基地局への第1の指摘メッセージを送信することであって、前記第1の指摘メッセージは前記基地局に、前記通信リンクを使用した前記UEへの送信電力制御（TPC）コマンドの送信の停止を指令するために使用される送信することとを含む方法。
【請求項１１】
RNCによる、アクティブセットのセルと前記UE間の通信リンクがプリセット通信品質要件を満たしているかどうかを判定することが、
前記UEによって送信される前記セルの1Bイベント測定レポートまたは前記通信リンクの前記基地局から送信される失敗指摘情報のいずれかが受信されるかの前記RNCによる判定と、
前記UEによって送信される前記セルの前記1Bイベント測定レポートまたは前記通信リンクの前記基地局から送信される前記失敗指摘情報が受信される場合、前記通信リンクが前記プリセット通信品質要件を満たしていないことの前記RNCによる判定とを含む、請求項10に記載の方法。
【請求項１２】
前記第1の指摘メッセージは前記基地局に、前記セルと前記UE間の前記通信リンクがアップリンク同期外れにあることの判定後、前記通信リンクを使用した前記UEへの前記TPCコマンドの送信を停止することを指令するために特に使用される、請求項10または11に記載の方法。
【請求項１３】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用される、請求項10から12のいずれか一項に記載の方法。
【請求項１４】
基地局への第1の指摘情報の前記RNCによる前記送信することが、
専用データフレームまたは専用シグナリングまたは共通シグナリングを使用した前記基地局への前記第1の指摘メッセージの前記RNCによる送信を含む、請求項10から13のいずれか一項に記載の方法。
【請求項１５】
基地局への第1の指摘情報の前記RNCによる前記送信の後に、方法が、
前記通信リンクが前記プリセット通信品質要件を満たしているかどうかを前記RNCによって判定することと、
前記通信リンクが前記プリセット通信品質要件を満たしている場合、基地局への第2の指摘メッセージの前記RNCによる送信することであって、前記第2の指摘メッセージは前記基地局に、前記通信リンクを使用した前記UEへの前記TPCコマンドの送信の再開を指令するために使用される送信することとをさらに含む、請求項10から14のいずれか一項に記載の方法。
【請求項１６】
前記RNCによる、前記通信リンクが前記プリセット通信品質要件を満たしているかどうかの前記判定が、
前記UEによって送信される前記セルの1Aイベント測定レポートまたは前記通信リンクの前記基地局から送信される回復指摘情報のいずれかが受信されるかの前記RNCによる判定と、
前記UEによって送信される前記セルの前記1Aイベント測定レポートまたは前記通信リンクの前記基地局から送信される前記回復指摘情報が受信される場合、前記通信リンクが前記プリセット通信品質要件を満たしていないことの前記RNCによる判定とを含む、請求項15に記載の方法。
【請求項１７】
前記第2の指摘メッセージは前記基地局に、前記セルと前記UE間の前記通信リンクがアップリンク同期にあることの判定後、前記通信リンクを使用した前記UEへの前記TPCコマンドの送信を再開することを指令するために特に使用される、請求項15または16に記載の方法。
【請求項１８】
前記第2の指摘メッセージは前記基地局に、前記通信リンクを使用して前記UEから送信される前記TPCコマンドの処理の再開または前記通信リンクを使用して前記UEから送信される前記情報の受信の再開を指令するためにさらに使用される、請求項15から17のいずれか一項に記載の方法。
【請求項１９】
前記基地局への第2の指摘情報の前記RNCによる前記送信することが、
専用データフレームまたは専用シグナリングまたは共通シグナリングを使用した前記基地局への前記第2の指摘メッセージの前記RNCによる送信を含む、請求項15から18のいずれか一項に記載の方法。
【請求項２０】
ダウンリンク情報の制御方法であって、
ユーザ機器（UE）のサービングセルがマイクロセルの場合、無線ネットワーク制御装置（RNC）により送信された第1の指摘メッセージの基地局よる受信であって、前記第1の指摘メッセージは前記基地局に、前記アクティブセットのセルと前記UE間の通信リンクを使用した前記UEへの送信電力制御（TPC）コマンドの送信の停止を指令するために使用される受信と、
前記通信リンクを使用した前記UEへの前記TPCコマンドの送信の、前記第1の指摘メッセージに従う前記基地局による停止とを含む方法。
【請求項２１】
前記第1の指摘メッセージは前記基地局に、前記セルと前記UE間の前記通信リンクがアップリンク同期外れにあることの判定後、前記通信リンクを使用した前記UEへの前記TPCコマンドの送信を停止することを指令するために特に使用され、
前記通信リンクを使用した前記UEへの前記TPCコマンドの送信の、前記第1の指摘メッセージに従う前記基地局による停止が、
前記通信リンクがアップリンク同期外れにあることの、前記第1の指摘メッセージに従う前記基地局による判定と、
前記通信リンクを使用した前記UEへの前記TPCコマンドの送信の、前記基地局による停止とを含む、請求項20に記載の方法。
【請求項２２】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用され、
RNCにより送信される第1の指摘情報の、基地局による前記受信後、方法が、
前記第1の指摘メッセージによる、前記通信リンクを使用して前記UEから送信される前記TPCコマンドの処理の前記基地局による停止または前記通信リンクを使用して前記UEから送信される前記情報の受信の停止をさらに含む、請求項20または21に記載の方法。
【請求項２３】
前記第1の指摘メッセージは、前記通信リンクが非サービングリンクであることを示すためにさらに使用される、請求項20から22のいずれか一項に記載の方法。
【請求項２４】
前記RNCにより送信された第1の指摘情報の基地局による前記受信が、
専用データフレームまたは専用シグナリングまたは共通シグナリングを使用して前記RNCにより送信される前記第1の指摘メッセージの前記基地局による受信を含む、請求項20から23のいずれか一項に記載の方法。
【請求項２５】
請求項20から24に記載の方法であって、
前記RNCより送信された第2の指摘メッセージの前記基地局による受信であって、前記第2の指摘メッセージは前記基地局に、前記通信リンクを使用した前記UEへの前記TPCコマンドの送信の再開を指令するために使用される受信と、
前記通信リンクを使用した前記UEへの前記TPCコマンドの送信の、前記第2の指摘メッセージに従う前記基地局による再開とをさらに含む方法。
【請求項２６】
前記第2の指摘メッセージは前記基地局に、前記通信リンクがアップリンク同期にあることの判定後、前記通信リンクを使用した前記UEへの前記TPCコマンドの送信を再開することを指令するために特に使用され、
前記通信リンクを使用した前記UEへの前記TPCコマンドの送信の、前記第2の指摘メッセージに従う前記基地局による再開が、
前記通信リンクがアップリンク同期にあることの、前記第2の指摘メッセージに従う前記基地局による判定と、
前記通信リンクを使用した前記UEへの前記TPCコマンドの送信の、前記基地局による再開とを含む、請求項25に記載の方法。
【請求項２７】
前記第2の指摘メッセージは前記基地局に、前記通信リンクを使用して前記UEから送信される前記TPCコマンドの処理の再開または前記通信リンクを使用して前記UEから送信される前記情報の受信の再開を指令するためにさらに使用され、
前記RNCにより送信される第2の指摘情報の、前記基地局による前記受信後、方法が、
前記第2の指摘メッセージによる、前記通信リンクを使用して前記UEから送信される前記TPCコマンドの処理の前記基地局による再開または前記通信リンクを使用して前記UEから送信される前記情報の受信の再開をさらに含む、請求項25または26に記載の方法。
【請求項２８】
前記RNCにより送信された第2の指摘情報の前記基地局による前記受信が、
専用データフレームまたは専用シグナリングまたは共通シグナリングを使用して前記RNCにより送信される前記第2の指摘メッセージの前記基地局による受信を含む、請求項25から27のいずれか一項に記載の方法。
【請求項２９】
ダウンリンク情報の処理方法であって、
ネットワーク側デバイスから送信される停止指摘情報のユーザ機器（UE）による受信であって、前記停止指摘情報は前記UEにアクティブセットのセルと前記UE間の通信リンクを使用して基地局から送信されるダウンリンク情報の処理を停止するように指令するために使用される受信と、
前記通信リンクを使用して前記基地局から送信される前記ダウンリンク情報の処理の、前記停止指摘情報に従う前記UEによる停止とを含む方法。
【請求項３０】
ネットワーク側デバイスから送信された停止指摘情報の、UEによる前記受信が、
前記基地局から送信される前記停止指摘情報の、前記UEによる受信、または
無線ネットワーク制御装置（RNC）から送信される前記停止指摘情報の、前記UEによる受信を含む、請求項29に記載の方法。
【請求項３１】
前記通信リンクを使用して基地局から送信されるダウンリンク情報の処理の、前記停止指摘情報に従う前記UEによる前記停止の後に、方法が、
前記ネットワーク側デバイスから送信される再開指摘情報の前記UEによる受信であって、前記再開指摘情報は前記UEに前記通信リンクを使用して前記基地局から送信される前記ダウンリンク情報の処理を再開するように指令するために使用される受信と、
前記通信リンクを使用して前記基地局から送信される前記ダウンリンク情報の処理の、再開指摘情報に従う前記UEによる再開とをさらに含む、請求項29または30に記載の方法。
【請求項３２】
前記通信リンクを使用して前記基地局から送信される前記ダウンリンク情報の処理の前記UEによる前記停止が、
前記通信リンクを使用して前記基地局から送信される送信電力制御（TPC）コマンドの処理の前記UEによる停止、および／または
前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の前記UEによる停止を含む、請求項29から31のいずれか一項に記載の方法。
【請求項３３】
前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の前記UEによる前記停止が、
前記通信リンクを使用して前記基地局から送信される前記DPCCH／DPDCH／F-DPCH／E-RGCH／E-HICHの受信の前記UEによる停止、または
前記通信リンクを使用して基地局から送信されるDPDCHの前記UEによる受信、および組み合わせ処理での前記DPDCHで信号の使用の停止、または
前記通信リンクを使用して前記基地局から送信されるDPCCH/DPDCH/F-DPCHの前記UEによる受信、および信号対干渉比（SIR）評価での前記DPCCH／DPDCH／F-DPCHで信号の使用の停止、または
前記通信リンクを使用して前記基地局から送信されるE-RGCHの、前記UEによる受信、および組み合わせ処理での前記E-RGCHで相対グラント信号の使用の停止、または
前記通信リンクを使用して前記基地局から送信されるE-RGCHの、前記UEによる受信、および前記UEの上位層への前記E-RGCHでの相対グラント情報の送信の停止、または
前記通信リンクを使用して前記基地局から送信されるE-HICHの、前記UEによる受信、および組み合わせ処理での前記E-HICHでフィードバック信号の使用の、または
前記通信リンクを使用して前記基地局から送信されるE-HICHの、前記UEによる受信、および前記UEの上位層への前記E-HICHでのフィードバック情報の送信の停止を含む、請求項32に記載の方法。
【請求項３４】
ネットワーク側デバイスから送信された停止指摘情報の、ユーザ機器（UE）による前記受信の前に、方法が、
前記ネットワーク側デバイスへの能力指摘情報の、前記UEによる送信することであって、前記能力指摘情報は前記UEが前記ダウンリンク情報の処理の停止および／または前記ダウンリンク情報の処理の再開の能力を有することを示すために使用される、送信することをさらに含む、請求項29から33のいずれか一項に記載の方法。
【請求項３５】
ユーザ機器UEであって、
アクティブセットのセルと前記UE間の通信リンクがプリセット通信品質要件を満たしているかどうかを判定するように構成された判定モジュールと、
前記判定モジュールが、前記アクティブセットの前記セルと前記UE間の前記通信リンクが前記プリセット通信品質要件を満たしていないと判定する場合、前記通信リンクを使用して基地局から送信されるダウンリンク情報の処理を停止するように構成された処理モジュールとを備えるUE。
【請求項３６】
再開モジュールをさらに備え、
前記判定モジュールは、前記処理モジュールが前記通信リンクを使用して前記基地局から送信される前記ダウンリンク情報の処理を停止した後、前記アクティブセットの前記セルと前記UE間の前記通信リンクが前記プリセット通信品質要件を満たしているかどうかをさらに判定するようにさらに構成され、
前記再開モジュールは、前記判定モジュールが、前記アクティブセットの前記セルと前記UE間の前記通信リンクが前記プリセット通信品質要件を満たしていると判定する場合、前記通信リンクを使用して前記基地局から送信される前記ダウンリンク情報の処理を再開するように構成された、請求項35に記載のUE。
【請求項３７】
前記処理モジュールが第1の処理ユニットおよび／または第2の処理ユニットを備え、
前記第1の処理ユニットは、前記通信リンクを使用して前記基地局から送信される送信電力制御（TPC）コマンドの処理を停止するように構成され、
前記第2の処理ユニットは、前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理を停止するように構成された、請求項35または36に記載のUE。
【請求項３８】
前記第2の処理ユニットは前記通信リンクを使用して前記基地局から送信される前記DPCCH／DPDCH／F-DPCH／E-RGCH／E-HICHの受信の停止または前記通信リンクを使用して前記基地局から送信されるDPDCHの受信、および組み合わせ処理での前記DPDCHで信号の使用の停止または前記通信リンクを使用して前記基地局から送信されるDPCCH／DPDCH／F-DPCHの受信、および信号対干渉比（SIR）評価での前記DPCCH／DPDCH／F-DPCHで信号の使用の停止または前記通信リンクを使用して前記基地局から送信されるE-RGCHの受信、および組み合わせ処理の前記E-RGCHでの相対グラント信号の使用の停止または前記通信リンクを使用して前記基地局から送信されるE-RGCHの受信、および前記UEの上位層への前記E-RGCHでの相対グラント情報の送信の停止または前記通信リンクを使用して前記基地局から送信されるE-HICHの受信、および組み合わせ処理での前記E-HICHでフィードバック信号の使用の停止または前記通信リンクを使用して前記基地局から送信されるE-HICHの受信、および前記UEの上位層への前記E-HICHでのフィードバック情報の送信の停止を行うように特に構成されている、請求項37に記載のUE。
【請求項３９】
前記判定モジュールはTPCコマンドの信号対干渉比（SIR）がSIRしきい値未満であるかどうかを判定するように特に構成され、前記TPCコマンドは前記セルと前記UE間の前記通信リンクを使用して前記UEによって受信され、前記TPCコマンドの前記SIRが前記SIRしきい値未満の場合、前記通信リンクが前記プリセット通信品質要件を満たしていないことを判定し、さらに前記TPCコマンドの前記SIRが前記SIRしきい値以上の場合、前記通信リンクが前記プリセット通信品質要件を満たしていることを判定する、請求項35から38のいずれか一項に記載のUE。
【請求項４０】
前記判定モジュールは前記セルが1Bイベントまたは1Aイベントのいずれかを満たしているかを判定するように特に構成され、前記セルが前記1Bイベントを満たしている場合、前記通信リンクが前記プリセット通信品質要件を満たしていないことを判定し、前記セルが前記1Aイベントを満たしている場合、前記通信リンクが前記プリセット通信品質要件を満たしていることを判定する、請求項35から38のいずれか一項に記載のUE。
【請求項４１】
前記判定モジュールは前記セルと前記UE間の前記通信リンクがダウンリンク同期外れ状態またはダウンリンク同期状態のいずれかを判定するように特に構成され、前記セルと前記UE間の前記通信リンクがダウンリンク同期外れ状態の場合、前記通信リンクが前記プリセット通信品質要件を満たしていないことを判定し、前記セルと前記UE間の前記通信リンクがダウンリンク同期状態の場合、前記通信リンクが前記プリセット通信品質要件を満たしていることを判定する、請求項35から38のいずれか一項に記載のUE。
【請求項４２】
前記判定モジュールは1Bイベントが前記セルで発生し、前記通信リンクがダウンリンク同期外れ状態かどうか、または1Aイベントが前記セルで発生し、前記通信リンクがダウンリンク同期状態かどうかを判定するように特に構成され、前記1Bイベントが前記セルで発生し、前記通信リンクがダウンリンク同期外れ状態の場合、前記通信リンクが前記プリセット通信品質要件を満たしていないことを判定し、前記1Aイベントが前記セルで発生し、前記通信リンクがダウンリンク同期状態の場合、前記通信リンクが前記プリセット通信品質要件を満たしていることを判定する、請求項35から38のいずれか一項に記載のUE。
【請求項４３】
前記判定モジュールは、前記セルの共通パイロットチャネルCPICHの品質および／またはDPCCH／DPDCH／F-DPCH／E-RGCH／E-HICHの品質がプリセットしきい値未満であるかどうかを判定するように特に構成されており、前記セルの前記CPICHの前記品質および／または前記DPCCH／DPDCH／F-DPCH／E-RGCH／E-HICHの前記品質が前記プリセットしきい値未満の場合、前記通信リンクが前記プリセット通信品質要件を満たしていないことを判定し、前記セルの前記CPICHの前記品質および／または前記DPCCH／DPDCH／F-DPCH／E-RGCH／E-HICHの前記品質が前記プリセットしきい値以上の場合、前記通信リンクが前記プリセット通信品質要件を満たしていることを判定する、請求項35から38のいずれか一項に記載のUE。
【請求項４４】
無線ネットワーク制御装置（RNC）であって、
ユーザ機器（UE）のサービングセルがマイクロセルの場合、アクティブセットのセルと前記UE間の通信リンクがプリセット通信品質要件を満たしているかどうかを判定するように構成された、第1の判定モジュールと、
前記第1の判定モジュールが、前記アクティブセットの前記セルと前記UE間の前記通信リンクが前記プリセット通信品質要件を満たしていないと判定する場合、基地局への第1の指摘メッセージの送信であって、前記第1の指摘メッセージは前記基地局に、前記通信リンクを使用した前記UEへの送信電力制御（TPC）コマンドの送信の停止を指令するために使用される送信を行うように構成された第1の送信モジュールとを含むRNC。
【請求項４５】
前記第1の判定モジュールは、前記UEから送信される前記セルの1Bイベント測定レポートまたは前記通信リンクの前記基地局から送信される失敗指摘情報のいずれかが受信されることを判定するように特に構成され、そして前記UEから送信される前記セルの前記1Bイベント測定レポートまたは前記通信リンクの前記基地局から送信される前記失敗指摘情報が受信された場合、前記通信リンクが前記プリセット通信品質要件を満たしていないことを判定する、請求項44に記載のRNC。
【請求項４６】
前記第1の指摘メッセージは前記基地局に、前記セルと前記UE間の前記通信リンクがアップリンク同期外れにあることの判定後、前記通信リンクを使用した前記UEへの前記TPCコマンドの送信を停止することを指令するために特に使用される、請求項44または45に記載のRNC。
【請求項４７】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用される、請求項44から46のいずれか一項に記載のRNC。
【請求項４８】
前記第1の送信モジュールは、専用データフレームまたは専用シグナリングまたは共通シグナリングを使用して前記基地局へ前記第1の指摘メッセージを送信するように特に構成されている、請求項44から47のいずれか一項に記載のRNC。
【請求項４９】
請求項44から48のいずれか一項に記載のRNCであって、
前記通信リンクが前記プリセット通信品質要件を満たしているかどうかを判定するように構成された第2の判定モジュールと、
第2の判定モジュールが、前記通信リンクが前記プリセット通信品質要件を満たしていることを判定する場合、前記基地局への前記第2の指摘メッセージの送信であって、前記第2の指摘メッセージは前記基地局に、前記通信リンクを使用した前記UEへの前記TPCコマンドの送信の再開を指令するために使用される送信を行うように構成された第2の送信モジュールとをさらに備えるRNC。
【請求項５０】
前記第2の判定モジュールは、前記UEから送信される前記セルの1Aイベント測定レポートまたは前記通信リンクの前記基地局から送信される回復指摘情報のいずれかが受信されることを判定するように特に構成され、そして前記UEから送信される前記セルの前記1Aイベント測定レポートまたは前記通信リンクの前記基地局から送信される前記回復指摘情報が受信された場合、前記通信リンクが前記プリセット通信品質要件を満たしていることを判定する、請求項49に記載のRNC。
【請求項５１】
前記第2の指摘メッセージは前記基地局に、前記セルと前記UE間の前記通信リンクがアップリンク同期にあることの判定後、前記通信リンクを使用した前記UEへの前記TPCコマンドの送信を再開することを指令するために特に使用される、請求項49または50に記載のRNC。
【請求項５２】
前記第2の指摘メッセージは前記基地局に、前記通信リンクを使用して前記UEから送信される前記TPCコマンドの処理の再開または前記通信リンクを使用して前記UEから送信される前記情報の受信の再開を指令するためにさらに使用される、請求項49から51のいずれか一項に記載のRNC。
【請求項５３】
前記第2の送信モジュールは、専用データフレームまたは専用シグナリングまたは共通シグナリングを使用して前記基地局へ前記第2の指摘メッセージを送信するように特に構成されている、請求項49から52のいずれか一項に記載のRNC。
【請求項５４】
基地局であって、
ユーザ機器（UE）のサービングセルがマイクロセルの場合、無線ネットワーク制御装置（RNC）により送信された第1の指摘メッセージの受信であって、前記第1の指摘メッセージは前記基地局に、前記アクティブセットのセルと前記UE間の通信リンクを使用した前記UEへの送信電力制御（TPC）コマンドの送信の停止を指令するために使用される受信を行うように構成された第1の受信モジュールと、
前記通信リンクを使用した前記UEへの前記TPCコマンドの送信を、前記第1の指摘メッセージに従って停止するように構成された処理モジュールとを備える基地局。
【請求項５５】
前記第1の指摘メッセージは前記基地局に、前記セルと前記UE間の前記通信リンクがアップリンク同期外れにあることの判定後、前記通信リンクを使用した前記UEへの前記TPCコマンドの送信を停止することを指令するために特に使用され、
前記処理モジュールは、前記通信リンクがアップリンク同期外れにあることを前記第1の指摘メッセージに従って判定し、前記通信リンクを使用した前記UEへの前記TPCコマンドの送信を停止するように特に構成されている、請求項54に記載の基地局。
【請求項５６】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用され、
前記処理モジュールは、前記第1の受信モジュールが前記RNCによって送信される前記第1の指摘メッセージを受信した後、前記第1の指摘メッセージに従って、前記通信リンクを使用して前記UEから送信される前記TPCコマンドの処理の停止または前記通信リンクを使用して前記UEから送信される前記情報の受信の停止を行うようにさらに構成された、請求項54または55に記載の基地局。
【請求項５７】
前記第1の指摘メッセージは、前記通信リンクが非サービングリンクであることを示すためにさらに使用される、請求項54から56のいずれか一項に記載の基地局。
【請求項５８】
前記第1の受信モジュールは、専用データフレームまたは専用シグナリングまたは共通シグナリングを使用して前記RNCにより送信される前記第1の指摘メッセージを受信するように特に構成されている、請求項54から57のいずれか一項に記載の基地局。
【請求項５９】
請求項54から58に記載の基地局であって、
前記RNCより送信された第2の指摘メッセージの前記基地局による受信であって、前記第2の指摘メッセージは前記基地局に、前記通信リンクを使用した前記UEへの前記TPCコマンドの送信の再開を指令するために使用される受信を行うように構成された第2の受信モジュールと、
前記通信リンクを使用した前記UEへの前記TPCコマンドの送信を、前記第2の指摘メッセージに従って再開するように構成された再開モジュールとをさらに備える基地局。
【請求項６０】
前記第2の指摘メッセージは前記基地局に、前記通信リンクがアップリンク同期にあることの判定後、前記通信リンクを使用した前記UEへの前記TPCコマンドの送信を再開することを指令するために特に使用され、
前記再開モジュールは、前記通信リンクがアップリンク同期にあることを前記第2の指摘メッセージに従って判定し、前記通信リンクを使用した前記UEへの前記TPCコマンドの送信を再開するように特に構成されている、請求項59に記載の基地局。
【請求項６１】
前記第2の指摘メッセージは前記基地局に、前記通信リンクを使用して前記UEから送信される前記TPCコマンドの処理の再開または前記通信リンクを使用して前記UEから送信される前記情報の受信の再開を指令するためにさらに使用され、
前記再開モジュールは、前記第2の受信モジュールが前記RNCによって送信される前記第2の指摘メッセージを受信した後、前記第2の指摘メッセージに従って、前記通信リンクを使用して前記UEから送信される前記TPCコマンドの処理の再開または前記通信リンクを使用して前記UEから送信される前記情報の受信の再開を行うようにさらに構成された、請求項59または60に記載の基地局。
【請求項６２】
前記第2の受信モジュールは、専用データフレームまたは専用シグナリングまたは共通シグナリングを使用して前記RNCにより送信される前記第2の指摘メッセージを受信するように特に構成されている、請求項59から61のいずれか一項に記載の基地局。
【請求項６３】
ユーザ機器（UE）であって、
ネットワーク側デバイスから送信される停止指摘情報の受信であって、前記停止指摘情報は前記UEにアクティブセットのセルと前記UE間の通信リンクを使用して基地局から送信されるダウンリンク情報の処理を停止するように指令するために使用される受信を行うように構成された受信モジュールと、
前記通信リンクを使用して前記基地局から送信される前記ダウンリンク情報の処理を、前記停止指摘情報に従って停止するように構成された処理モジュールとを備えるUE。
【請求項６４】
前記受信モジュールは、前記基地局から送信される前記停止指摘情報を受信または無線ネットワーク制御装置（RNC）から送信される前記停止指摘情報を受信するように特に構成されている、請求項63に記載のUE。
【請求項６５】
再開モジュールをさらに備え、
前記受信モジュールは、前記処理モジュールが前記通信リンクを使用して前記基地局から送信される前記ダウンリンク情報の処理を前記停止指摘情報に従って停止した後、前記ネットワーク側デバイスから送信される再開指摘情報の受信であって、前記再開指摘情報は前記UEに前記通信リンクを使用して前記基地局から送信される前記ダウンリンク情報の処理の再開を指令するために使用される受信を行うようにさらに構成され、
前記再開モジュールは、前記通信リンクを使用して前記基地局から送信される前記ダウンリンク情報の処理を、前記再開指摘情報に従って再開するように構成されている、請求項63または64に記載のUE。
【請求項６６】
前記処理モジュールが第1の処理ユニットおよび／または第2の処理ユニットを備え、
前記第1の処理ユニットは、前記通信リンクを使用して前記基地局から送信される送信電力制御（TPC）コマンドの処理を停止するように構成され、
前記第2の処理ユニットは、前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理を停止するように構成された、請求項63から65のいずれか一項に記載のUE。
【請求項６７】
前記第2の処理ユニットは前記通信リンクを使用して前記基地局から送信される前記DPCCH／DPDCH／F-DPCH／E-RGCH／E-HICHの受信の停止または前記通信リンクを使用して前記基地局から送信されるDPDCHの受信、および組み合わせ処理での前記DPDCHで信号の使用の停止または前記通信リンクを使用して前記基地局から送信されるDPCCH／DPDCH／F-DPCHの受信、および信号対干渉比（SIR）評価での前記DPCCH／DPDCH／F-DPCHで信号の使用の停止または前記通信リンクを使用して前記基地局から送信されるE-RGCHの受信、および組み合わせ処理の前記E-RGCHでの相対グラント信号の使用の停止または前記通信リンクを使用して前記基地局から送信されるE-RGCHの受信、および前記UEの上位層への前記E-RGCHでの相対グラント情報の送信の停止または前記通信リンクを使用して前記基地局から送信されるE-HICHの受信、および組み合わせ処理での前記E-HICHでフィードバック信号の使用の停止または前記通信リンクを使用して前記基地局から送信されるE-HICHの受信、および前記UEの上位層への前記E-HICHでのフィードバック情報の送信の停止を行うように特に構成されている、請求項66に記載のUE。
【請求項６８】
請求項63から67のいずれか一項に記載のUEであって、
前記受信モジュールが前記ネットワーク側デバイスから送信された前記停止指摘情報を受信する前に、前記ネットワーク側デバイスへの能力指摘情報の送信であって、前記能力指摘情報はUEが前記ダウンリンク情報の処理の停止および／または前記ダウンリンク情報の処理の再開の能力を有することを示すために使用される送信を行うように構成された送信モジュールをさらに備えるUE。
【請求項６９】
ユーザ機器UEであって、
アクティブセットのセルと前記UE間の通信リンクがプリセット通信品質要件を満たしているかどうかを判定し、前記アクティブセットの前記セルと前記UE間の前記通信リンクが前記プリセット通信品質要件を満たしていない場合、前記通信リンクを使用して基地局から送信されるダウンリンク情報の処理を停止するように構成されたプロセッサを備えるUE。
【請求項７０】
前記プロセッサは、前記通信リンクを使用して前記基地局から送信される前記ダウンリンク情報の処理が停止された後、前記アクティブセットの前記セルと前記UE間の前記通信リンクが前記プリセット通信品質要件を満たしているかどうかをさらに判定し、前記アクティブセットの前記セルと前記UE間の前記通信リンクが前記プリセット通信品質要件を満たしている場合、前記通信リンクを使用して前記基地局から送信される前記ダウンリンク情報の処理を再開するようにさらに構成された、請求項69に記載のUE。
【請求項７１】
前記プロセッサは、前記通信リンクを使用して前記基地局から送信される送信電力制御（TPC）コマンドの処理の停止および／または前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の停止を行うように特に構成されている、請求項69または70に記載のUE。
【請求項７２】
受信機をさらに備え、
前記プロセッサは前記通信リンクを使用して前記基地局から送信される前記DPCCH／DPDCH／F-DPCH／E-RGCH／E-HICHの受信を停止するように特に構成されており、または
前記受信機は前記通信リンクを使用して前記基地局から送信されるDPDCHを受信するように構成され、前記プロセッサは組み合わせ処理での前記DPDCHで信号の使用を停止するように特に構成されており、または
前記受信機は前記通信リンクを使用して前記基地局から送信されるDPCCH/DPDCH/F-DPCHを受信するように構成され、前記プロセッサは信号対干渉比（SIR）評価での前記DPCCH／DPDCH／F-DPCHで信号の使用を停止するように特に構成されており、または
前記受信機は前記通信リンクを使用して前記基地局から送信されるE-RGCHを受信するように構成され、前記プロセッサは組み合わせ処理での前記E-RGCHで相対グラント信号の使用を停止するように特に構成されており、または
前記受信機は前記通信リンクを使用して前記基地局から送信されるE-RGCHを受信するように構成され、前記プロセッサは前記UEの上位層への前記E-RGCHでの相対グラント情報の送信を停止するように特に構成されており、または
前記受信機は前記通信リンクを使用して前記基地局から送信されるE-HICHを受信するように構成され、前記プロセッサは組み合わせ処理での前記E-HICHでフィードバック信号の使用を停止するように特に構成されており、または
前記受信機は前記通信リンクを使用して前記基地局から送信されるE-HICHを受信するように構成され、前記プロセッサは前記UEの上位層への前記E-HICHでのフィードバック情報の送信を停止するように特に構成されている、請求項71に記載のUE。
【請求項７３】
前記プロセッサはTPCコマンドの信号対干渉比（SIR）がSIRしきい値未満であるかどうかを判定するように特に構成され、前記TPCコマンドは前記セルと前記UE間の前記通信リンクを使用して前記UEによって受信され、前記TPCコマンドの前記SIRが前記SIRしきい値未満の場合、前記通信リンクが前記プリセット通信品質要件を満たしていないことを判定し、さらに前記TPCコマンドの前記SIRが前記SIRしきい値以上の場合、前記通信リンクが前記プリセット通信品質要件を満たしていることを判定する、請求項69から72のいずれか一項に記載のUE。
【請求項７４】
前記プロセッサは前記セルが1Bイベントまたは1Aイベントのいずれかを満たしているかを判定するように特に構成され、前記セルが前記1Bイベントを満たしている場合、前記通信リンクが前記プリセット通信品質要件を満たしていないことを判定し、前記セルが前記1Aイベントを満たしている場合、前記通信リンクが前記プリセット通信品質要件を満たしていることを判定する、請求項69から72のいずれか一項に記載のUE。
【請求項７５】
前記プロセッサは前記セルと前記UE間の前記通信リンクがダウンリンク同期外れ状態またはダウンリンク同期状態のいずれかを判定するように特に構成され、前記セルと前記UE間の前記通信リンクがダウンリンク同期外れ状態の場合、前記通信リンクが前記プリセット通信品質要件を満たしていないことを判定し、前記セルと前記UE間の前記通信リンクがダウンリンク同期状態の場合、前記通信リンクが前記プリセット通信品質要件を満たしていることを判定する、請求項69から72のいずれか一項に記載のUE。
【請求項７６】
前記プロセッサは1Bイベントが前記セルで発生し、前記通信リンクがダウンリンク同期外れ状態かどうか、または1Aイベントが前記セルで発生し、前記通信リンクがダウンリンク同期状態かどうかを判定するように特に構成され、前記1Bイベントが前記セルで発生し、前記通信リンクがダウンリンク同期外れ状態の場合、前記通信リンクが前記プリセット通信品質要件を満たしていないことを判定し、前記1Aイベントが前記セルで発生し、前記通信リンクがダウンリンク同期状態の場合、前記通信リンクが前記プリセット通信品質要件を満たしていることを判定する、請求項69から72のいずれか一項に記載のUE。
【請求項７７】
前記プロセッサは、前記セルの共通パイロットチャネルCPICHの品質および／またはDPCCH／DPDCH／F-DPCH／E-RGCH／E-HICHの品質がプリセットしきい値未満であるかどうかを判定するように特に構成されており、前記セルの前記CPICHの前記品質および／または前記DPCCH／DPDCH／F-DPCH／E-RGCH／E-HICHの前記品質が前記プリセットしきい値未満の場合、前記通信リンクが前記プリセット通信品質要件を満たしていないことを判定し、前記セルの前記CPICHの前記品質および／または前記DPCCH／DPDCH／F-DPCH／E-RGCH／E-HICHの前記品質が前記プリセットしきい値以上の場合、前記通信リンクが前記プリセット通信品質要件を満たしていることを判定する、請求項69から72のいずれか一項に記載のUE。
【請求項７８】
無線ネットワーク制御装置（RNC）であって、
ユーザ機器（UE）のサービングセルがマイクロセルの場合、アクティブセットのセルと前記UE間の通信リンクがプリセット通信品質要件を満たしているかどうかを判定するように構成された、プロセッサと、
前記アクティブセットの前記セルと前記UE間の前記通信リンクが前記プリセット通信品質要件を満たしていない場合、基地局への第1の指摘メッセージの送信機であって、前記第1の指摘メッセージは前記基地局に、前記通信リンクを使用した前記UEへの送信電力制御（TPC）コマンドの送信の停止を指令するために使用される送信を行うように構成された送信機とを備えるRNC。
【請求項７９】
前記プロセッサは、前記UEから送信される前記セルの1Bイベント測定レポートまたは前記通信リンクの前記基地局から送信される失敗指摘情報のいずれかが受信されることを判定するように特に構成され、そして前記UEから送信される前記セルの前記1Bイベント測定レポートまたは前記通信リンクの前記基地局から送信される前記失敗指摘情報が受信された場合、前記通信リンクが前記プリセット通信品質要件を満たしていないことを判定する、請求項78に記載のRNC。
【請求項８０】
前記第1の指摘メッセージは前記基地局に、前記セルと前記UE間の前記通信リンクがアップリンク同期外れにあることの判定後、前記通信リンクを使用した前記UEへの前記TPCコマンドの送信を停止することを指令するために特に使用される、請求項78または79に記載のRNC。
【請求項８１】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用される、請求項78から80のいずれか一項に記載のRNC。
【請求項８２】
前記送信機は、専用データフレームまたは専用シグナリングまたは共通シグナリングを使用して前記基地局へ前記第1の指摘メッセージを送信するように特に構成されている、請求項78から81のいずれか一項に記載のRNC。
【請求項８３】
前記プロセッサは、前記送信機が前記第1の指摘メッセージを前記基地局に送信した後、前記通信リンクが前記プリセット通信品質要件を満たしているかどうかを判定するようにさらに構成され、
前記送信機は、前記プロセッサが、前記通信リンクが前記プリセット通信品質要件を満たしていることを判定する場合、前記基地局への前記第2の指摘メッセージの送信であって、前記第2の指摘メッセージは前記基地局に、前記通信リンクを使用した前記UEへの前記TPCコマンドの送信の再開を指令するために使用される送信を行うようにさらに構成された、請求項78から82のいずれか一項に記載のRNC。
【請求項８４】
前記プロセッサは、前記UEから送信される前記セルの1Aイベント測定レポートまたは前記通信リンクの前記基地局から送信される回復指摘情報のいずれかが受信されることを判定するように特に構成され、そして前記UEから送信される前記セルの前記1Aイベント測定レポートまたは前記通信リンクの前記基地局から送信される前記回復指摘情報が受信された場合、前記通信リンクが前記プリセット通信品質要件を満たしていることを判定する、請求項83に記載のRNC。
【請求項８５】
前記第2の指摘メッセージは前記基地局に、前記セルと前記UE間の前記通信リンクがアップリンク同期にあることの判定後、前記通信リンクを使用した前記UEへの前記TPCコマンドの送信を再開することを指令するために特に使用される、請求項83または84に記載のRNC。
【請求項８６】
前記第2の指摘メッセージは前記基地局に、前記通信リンクを使用して前記UEから送信される前記TPCコマンドの処理の再開または前記通信リンクを使用して前記UEから送信される前記情報の受信の再開を指令するためにさらに使用される、請求項83から85のいずれか一項に記載のRNC。
【請求項８７】
前記送信機は、専用データフレームまたは専用シグナリングまたは共通シグナリングを使用して前記基地局へ前記第2の指摘メッセージを送信するように特に構成されている、請求項83から86のいずれか一項に記載のRNC。
【請求項８８】
基地局であって、
ユーザ機器（UE）のサービングセルがマイクロセルの場合、無線ネットワーク制御装置（RNC）により送信された第1の指摘メッセージの受信であって、前記第1の指摘メッセージは前記基地局に、前記アクティブセットのセルと前記UE間の通信リンクを使用した前記UEへの送信電力制御（TPC）コマンドの送信の停止を指令するために使用される受信を行うように構成された受信機と、
前記通信リンクを使用した前記UEへの前記TPCコマンドの送信を、前記第1の指摘メッセージに従って停止するように構成されたプロセッサとを備える基地局。
【請求項８９】
前記第1の指摘メッセージは前記基地局に、前記セルと前記UE間の前記通信リンクがアップリンク同期外れにあることの判定後、前記通信リンクを使用した前記UEへの前記TPCコマンドの送信を停止することを指令するために特に使用され、
前記プロセッサは、前記通信リンクがアップリンク同期外れにあることを前記第1の指摘メッセージに従って判定し、前記通信リンクを使用した前記UEへの前記TPCコマンドの送信を停止するように特に構成されている、請求項88に記載の基地局。
【請求項９０】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用され、
前記プロセッサは、前記受信機が前記RNCによって送信される前記第1の指摘メッセージを受信した後、前記第1の指摘メッセージに従って、前記通信リンクを使用して前記UEから送信される前記TPCコマンドの処理の停止または前記通信リンクを使用して前記UEから送信される前記情報の受信の停止を行うようにさらに構成された、請求項88または89に記載の基地局。
【請求項９１】
前記第1の指摘メッセージは、前記通信リンクが非サービングリンクであることを示すためにさらに使用される、請求項88から90のいずれか一項に記載の基地局。
【請求項９２】
前記受信機は、専用データフレームまたは専用シグナリングまたは共通シグナリングを使用して前記RNCにより送信される前記第1の指摘メッセージを受信するように特に構成されている、請求項88から91のいずれか一項に記載の基地局。
【請求項９３】
前記受信機は前記RNCにより送信された第2の指摘メッセージを受信するようにさらに構成され、前記第2の指摘メッセージは前記基地局に、前記通信リンクを使用した前記UEへの前記TPCコマンドの送信の再開を指令するために使用され、
前記プロセッサは前記通信リンクを使用した前記UEへの前記TPCコマンドの送信を、前記第2の指摘メッセージに従って再開するようにさらに構成された、請求項88から92に記載の基地局。
【請求項９４】
前記第2の指摘メッセージは前記基地局に、前記通信リンクがアップリンク同期にあることの判定後、前記通信リンクを使用した前記UEへの前記TPCコマンドの送信を再開することを指令するために特に使用され、
前記プロセッサは、前記通信リンクがアップリンク同期にあることを前記第2の指摘メッセージに従って判定し、前記通信リンクを使用した前記UEへの前記TPCコマンドの送信を再開するように特に構成されている、請求項93に記載の基地局。
【請求項９５】
前記第2の指摘メッセージは前記基地局に、前記通信リンクを使用して前記UEから送信される前記TPCコマンドの処理の再開または前記通信リンクを使用して前記UEから送信される前記情報の受信の再開を指令するためにさらに使用され、
前記プロセッサは、前記受信機が前記RNCによって送信される前記第2の指摘メッセージを受信した後、前記第2の指摘メッセージに従って、前記通信リンクを使用して前記UEから送信される前記TPCコマンドの処理の再開または前記通信リンクを使用して前記UEから送信される前記情報の受信の再開を行うようにさらに構成された、請求項93または94に記載の基地局。
【請求項９６】
前記受信機は、専用データフレームまたは専用シグナリングまたは共通シグナリングを使用して前記RNCにより送信される前記第2の指摘メッセージを受信するように特に構成されている、請求項93から95のいずれか一項に記載の基地局。
【請求項９７】
ユーザ機器UEであって、
ネットワーク側デバイスから送信される停止指摘情報の受信であって、前記停止指摘情報は前記UEにアクティブセットのセルと前記UE間の通信リンクを使用して基地局から送信されるダウンリンク情報の処理を停止するように指令するために使用される受信を行うように構成された受信機と、
前記通信リンクを使用して前記基地局から送信される前記ダウンリンク情報の処理を、前記停止指摘情報に従って停止するように構成されたプロセッサとを備えるUE。
【請求項９８】
前記受信機は、前記基地局から送信される前記停止指摘情報を受信または無線ネットワーク制御装置（RNC）から送信される前記停止指摘情報を受信するように特に構成されている、請求項97に記載のUE。
【請求項９９】
前記受信機は、前記プロセッサが前記通信リンクを使用して前記基地局から送信される前記ダウンリンク情報の処理を前記停止指摘情報に従って停止した後、前記ネットワーク側デバイスから送信される再開指摘情報の受信であって、前記再開指摘情報は前記UEに前記通信リンクを使用して前記基地局から送信される前記ダウンリンク情報の処理の再開を指令するために使用される受信を行うようにさらに構成され、
前記プロセッサは、前記通信リンクを使用して前記基地局から送信される前記ダウンリンク情報の処理を、前記再開指摘情報に従って再開するようにさらに構成されている、請求項97または98に記載のUE。
【請求項１００】
前記プロセッサは、前記通信リンクを使用して前記基地局から送信される送信電力制御（TPC）コマンドの処理の停止および／または前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の停止を行うように特に構成されている、請求項97から99に記載のUE。
【請求項１０１】
請求項100に記載のUEであって、
前記プロセッサは前記通信リンクを使用して前記基地局から送信される前記DPCCH／DPDCH／F-DPCH／E-RGCH／E-HICHの受信を停止するように特に構成されており、または
前記受信機は前記通信リンクを使用して前記基地局から送信されるDPDCHを受信するようにさらに構成され、前記プロセッサは組み合わせ処理での前記DPDCHで信号の使用を停止するように特に構成されており、または
前記受信機は前記通信リンクを使用して前記基地局から送信されるDPCCH/DPDCH/F-DPCHを受信するようにさらに構成され、前記プロセッサは信号対干渉比（SIR）評価での前記DPCCH／DPDCH／F-DPCHで信号の使用を停止するように特に構成されており、または
前記受信機は前記通信リンクを使用して前記基地局から送信されるE-RGCHを受信するようにさらに構成され、前記プロセッサは組み合わせ処理での前記E-RGCHで相対グラント信号の使用を停止するように特に構成されており、または
前記受信機は前記通信リンクを使用して前記基地局から送信されるE-RGCHを受信するようにさらに構成され、前記プロセッサは前記UEの上位層への前記E-RGCHでの相対グラント情報の送信を停止するように特に構成されており、または
前記受信機は前記通信リンクを使用して前記基地局から送信されるE-HICHを受信するようにさらに構成され、前記プロセッサは組み合わせ処理での前記E-HICHでフィードバック信号の使用を停止するように特に構成されており、または
前記受信機は前記通信リンクを使用して前記基地局から送信されるE-HICHを受信するようにさらに構成され、前記プロセッサは前記UEの上位層への前記E-HICHでのフィードバック情報の送信を停止するように特に構成されているUE。
【請求項１０２】
請求項97から101のいずれか一項に記載のUEであって、
前記受信機が前記ネットワーク側デバイスから送信された前記停止指摘情報を受信する前に、前記ネットワーク側デバイスへの能力指摘情報の送信機であって、前記能力指摘情報はUEが前記ダウンリンク情報の処理の停止および／または前記ダウンリンク情報の処理の再開の能力を有することを示すために使用される送信を行うように構成された送信機をさらに備えるUE。
【請求項１０３】
コンピュータ可読媒体を備え、前記コンピュータ可読媒体が、請求項1から9のいずれか一項に記載の方法を実行するために使用されるプログラムコードのセットを備える、コンピュータプログラム製品。
【請求項１０４】
コンピュータ可読媒体を備え、前記コンピュータ可読媒体が、請求項10から19のいずれか一項に記載の方法を実行するために使用されるプログラムコードのセットを備える、コンピュータプログラム製品。
【請求項１０５】
コンピュータ可読媒体を備え、前記コンピュータ可読媒体が、請求項20から28のいずれか一項に記載の方法を実行するために使用されるプログラムコードのセットを備える、コンピュータプログラム製品。
【請求項１０６】
コンピュータ可読媒体を備え、前記コンピュータ可読媒体が、請求項29から34のいずれか一項に記載の方法を実行するために使用されるプログラムコードのセットを備える、コンピュータプログラム製品。
【発明の詳細な説明】
【技術分野】
【０００１】
本発明の実施形態は、通信技術、特に、ダウンリンク情報の処理方法およびデバイスに関する。
【背景技術】
【０００２】
異機種ネットワーク（Heterogeneous Network、略してHetnet）は、例えば、マクロセル（Macro cell）、マイクロセル（Micro cell）、ピコセル（Pico cell）、フェムトセル（Femto cell）、およびリモートラジオヘッド（Remote Radio Head、略してRRH）などの様々なサイズおよびタイプのセルによって形成されるネットワークである。
【０００３】
Hetnetのイントラ周波数配置のシナリオでは、ユーザ機器（User Equipment、略してUE）はマイクロセルからマクロセルまたは別のマイクロセルに移動すると、UEとマイクロセル間の通信リンクの信号品質が低下する。UEは通信リンクを使用してネットワーク側にマクロセルまたは別のマイクロセルの品質アップイベント（略して1Aイベント）をレポートすることができ、次いで、UEは通信リンクを使用してネットワーク側から送信され、ユーザ機器にマクロセルまたはマイクロセルをアクティブセットに追加するように指令するアクションセットアップデート（Active Set Update、略してASU）を受信することができる。しかし、通信リンクの信号品質は急速に低下するので、UEはネットワーク側のASUを受信することはでない場合があり、それによって、マクロセルまたはマイクロセルをアクティブセットに追加することもできず、UEのセルハンドオーバの失敗のさらに原因になる。したがって、従来の技術では、ネットワーク側が、マクロセルまたはマイクロセルのセル個別オフセット（Cell Individual Offset、略してCIO）などのイベントレポート評価パラメータの値を増大させ、UEがマイクロセルまたはマイクロセルの1Aイベントをより早くレポートし、品質ダウンイベント（略して1Bイベント）のレポートを遅延できるようにし、1Bイベントのレポート後、マクロセルまたはマイクロセルをアクセスセットに引き続き保持する。このようにして、マクロセルまたはマイクロセルはアクティブセットにより早く追加され、アクティブセットからのマクロセルまたはマイクロセルの削除は遅延され、それによって、UEのセルハンドオーバの成功割合を確実にする。
【０００４】
しかし、マクロセルまたはマイクロセルがアクティブセットに追加される場合、UEとマクロセルまたはマイクロセル間の通信リンクの信号品質は低品質なので、通信リンクを使用してUEによって受信されるダウンリンク情報はUEの送信性能に影響する。
【０００５】
本発明の実施形態では、ダウンリンク情報の処理方法およびデバイスを提供し、これはUEの送信性能に影響することを回避するために使用される。
【０００６】
第1の態様によると、本発明の実施形態では、UEによって、アクティブセットのセルとUE間の通信リンクがプリセット通信品質要件を満たしているかどうかを判定すること、およびアクティブセットのセルとUE間の通信リンクがプリセット通信品質要件を満たしていない場合、通信リンクを使用して基地局から送信されるダウンリンク情報の処理がUEによって停止されることを含むダウンリンク情報の処理方法を提供する。
【０００７】
第1の態様の第1の可能性のある実装方法では、通信リンクを使用して基地局から送信されるダウンリンク情報の処理がUEによって停止された後、本発明は、UEによって、アクティブセットのセルとUE間の通信リンクがプリセット通信品質要件を満たしているかどうかをさらに判定すること、およびアクティブセットのセルとUE間の通信リンクがプリセット通信品質要件を満たしている場合、通信リンクを使用して基地局から送信されるダウンリンク情報の処理がUEによって再開されることをさらに含んでいる。
【０００８】
第1の態様または第1の態様の第1の可能性のある実装方法を参照すると、第1の態様の第2の可能性のある実装方法では、通信リンクを使用して基地局から送信されるダウンリンク情報の処理のUEによる停止には、通信リンクを使用して基地局から送信される送信電力制御（transmit power control 、TPC）コマンドの処理をUEによって停止すること、および／または通信リンクを使用して基地局から送信される専用物理制御チャネル（dedicated physical control channel、DPCCH）／専用物理データチャネル（dedicated physical data channel、DPDCH）／F（Fractional）専用物理チャネル（dedicated physical control channel、DPCH）／拡張専用チャネル相対グラントチャネル（enhanced dedicated channel relative grant channel、E-RGCH）／拡張専用チャネルハイブリッド自動リピート要求肯定応答インジケータチャネル（enhanced dedicated channel hybrid automatic repeat request acknowledgment indicator channel、E-HICH）の処理をUEによって停止することが含まれる。
【０００９】
第1の態様の第2の可能性のある実装方法を参照すると、第1の態様の第3の可能性のある実装方法では、通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理をUEによって停止することには、通信リンクを使用して基地局から送信されるDPCCH／DPDCH／F-DPCH／E-RGCH／E-HICHの受信をUEによって停止すること、または通信リンクを使用して基地局から送信されるDPDCHをUEによって受信すること、および組み合わせ処理でのDPDCHで信号の使用を停止すること、または通信リンクを使用して基地局から送信されるDPCCH／DPDCH／F-DPCHをUEによって受信すること、および信号対干渉比（signal to interference ratio、SIR）評価でのDPCCH／DPDCH／F-DPCHで信号の使用を停止すること、または
通信リンクを使用して基地局から送信されるE-RGCHをUEによって受信すること、および組み合わせ処理でのE-RGCHで相対グラント信号の使用を停止すること、または
通信リンクを使用して基地局から送信されるE-RGCHをUEによって受信すること、およびUEの上位層へのE-RGCHでの相対グラント情報の送信を停止すること、または
通信リンクを使用して基地局から送信されるE-HICHをUEによって受信すること、および組み合わせ処理でのE-HICHでフィードバック信号の使用を停止すること、または
通信リンクを使用して基地局から送信されるE-HICHをUEによって受信すること、およびUEの上位層へのE-HICHでのフィードバック情報の送信を停止することが含まれる。
【００１０】
第1の態様または第1の態様の第1の可能性のある実装方法または第1の態様の第2の可能性のある実装方法または第1の態様の第3の可能性のある実装方法を参照すると、第1の態様の第4の可能性のある実装方法では、アクティブセットのセルとUE間の通信リンクがプリセット通信品質要件を満たしているかどうかをUEによって判定することには、TPCコマンドの信号対干渉比（SIR）がSIRしきい値未満であるかどうかをUEによって判定すること、ここで、TPCコマンドはセルとUE間の通信リンクを使用してUEによって受信されるものであり、さらにTPCコマンドのSIRがSIRしきい値未満の場合、通信リンクがプリセット通信品質要件を満たしていないことをUEによって判定すること、またはTPCコマンドのSIRがSIRしきい値以上の場合、通信リンクがプリセット通信品質要件を満たしていることをUEによって判定することが含まれる。
【００１１】
第1の態様または第1の態様の第1の可能性のある実装方法または第1の態様の第2の可能性のある実装方法または第1の態様の第3の可能性のある実装方法を参照すると、第1の態様の第5の可能性のある実装方法では、アクティブセットのセルとUE間の通信リンクがプリセット通信品質要件を満たしているかどうかをUEによって判定することには、セルが1Bイベントまたは1Aイベントを満たすかどうかをUEによって判定すること、およびセルが1Bイベントを満たす場合、通信リンクがプリセット通信品質要件を満たしていないことをUEによって判定すること、またはセルが1Aイベントを満たす場合、通信リンクがプリセット通信品質要件を満たしていることをUEによって判定することが含まれる。
【００１２】
第1の態様または第1の態様の第1の可能性のある実装方法または第1の態様の第2の可能性のある実装方法または第1の態様の第3の可能性のある実装方法を参照すると、第1の態様の第6の可能性のある実装方法では、アクティブセットのセルとUE間の通信リンクがプリセット通信品質要件を満たしているかどうかをUEによって判定することには、セルとUE間の通信リンクがダウンリンク同期外れ状態またはダウンリンク同期状態のいずれかをUEによって判定すること、およびセルとUE間の通信リンクがダウンリンク同期外れ状態の場合、通信リンクがプリセット通信品質要件を満たしていないことをUEによって判定すること、またはセルとUE間の通信リンクがダウンリンク同期状態の場合、通信リンクがプリセット通信品質要件を満たしていることをUEによって判定することが含まれる。
【００１３】
第1の態様または第1の態様の第1の可能性のある実装方法または第1の態様の第2の可能性のある実装方法または第1の態様の第3の可能性のある実装方法を参照すると、第1の態様の第7の可能性のある実装方法では、アクティブセットのセルとUE間の通信リンクがプリセット通信品質要件を満たしているかどうかをUEによって判定することには、1Bイベントがセルで発生し、通信リンクがダウンリンク同期外れ状態かどうか、または1Aイベントがセルで発生し、通信リンクがダウンリンク同期かどうかをUEによって判定すること、および1Bイベントがセルで発生し、通信リンクがダウンリンク同期外れ状態の場合、通信リンクがプリセット通信品質要件を満たしていないことをUEによって判定すること、または1Aイベントがセルで発生し、通信リンクがダウンリンク同期状態の場合、通信リンクがプリセット通信品質要件を満たしていることをUEによって判定することが含まれる。
【００１４】
第1の態様または第1の態様の第1の可能性のある実装方法または第1の態様の第2の可能性のある実装方法または第1の態様の第3の可能性のある実装方法を参照すると、第1の態様の第8の可能性のある実装方法では、アクティブセットのセルとUE間の通信リンクがプリセット通信品質要件を満たしているかどうかをUEによって判定することには、セルの共通パイロットチャネルCPICHの品質および／またはDPCCH／DPDCH／F-DPCH／E-RGCH／E-HICHの品質がプリセットしきい値未満であるかどうかをUEによって判定すること、およびセルのCPICHの品質および／またはDPCCH／DPDCH／F-DPCH／E-RGCH／E-HICHの品質がプリセットしきい値未満の場合、通信リンクがプリセット通信品質要件を満たしていないことをUEによって判定すること、またはセルのCPICHの品質および／またはDPCCH／DPDCH／F-DPCH／E-RGCH／E-HICHの品質がプリセットしきい値以上の場合、通信リンクがプリセット通信品質要件を満たしていることをUEによって判定することが含まれる。
【００１５】
第2の態様によると、本発明の実施形態では、ユーザ機器（UE）のサービングセルがマイクロセルの場合、アクティブセットのセルとUE間の通信リンクがプリセット通信品質要件を満たしているかどうかを判定することを無線ネットワーク制御装置（radio network controller、RNC）によって判定すること、およびアクティブセットのセルとUE間の通信リンクがプリセット通信品質要件を満たしていない場合、基地局への第1の指摘メッセージをRNCにより送信することを含むダウンリンク情報の処理方法を提供し、ここで、第1の指摘メッセージは基地局に通信リンクを使用したUEへの送信電力制御（TPC）コマンドの送信を停止するように指令するために使用される。
【００１６】
第2の態様の第1の可能性のある実装方法では、アクティブセットのセルとUE間の通信リンクがプリセット通信品質要件を満たしているかどうかをRNCによって判定することには、UEから送信されるセルの1Bイベント測定レポートまたは通信リンクの基地局から送信される失敗指摘情報のいずれかが受信されることをRNCによって判定すること、およびUEから送信されるセルの1Bイベント測定レポートまたは通信リンクの基地局から送信される失敗指摘情報が受信された場合、通信リンクがプリセット通信品質要件を満たしていないことをRNCによって判定することが含まれる。
【００１７】
第2の態様または第2の態様の第1の可能性のある実装方法を参照すると、第2の態様の第2の可能性のある実装方法では、第1の指摘メッセージは基地局に、セルとUE間の通信リンクがアップリンク同期外れであることの判定後、通信リンクを使用したUEへのTPCコマンドの送信を停止することを指令するために特に使用される。
【００１８】
第2の態様または第2の態様の第1の可能性のある実装方法または第2の態様の第2の可能性のある実装方法を参照すると、第2の態様の第3の可能性のある実装方法では、第1の指摘メッセージは基地局に、通信リンクを使用してUEから送信されるTPCコマンドの処理を停止することまたは通信リンクを使用してUEから送信される情報の受信を停止することを指令するためにさらに使用される。
【００１９】
第2の態様または第2の態様の第1の可能性のある実装方法または第2の態様の第2の可能性のある実装方法または第2の態様の第3の可能性のある実装方法を参照すると、第2の態様の第4の可能性のある実装方法では、基地局への第1の指摘メッセージのRNCによる送信には、専用データフレームまたは専用シグナリングまたは共通シグナリングを使用して基地局へ第1の指摘メッセージをRNCにより送信することが含まれる。
【００２０】
第2の態様または第2の態様の第1の可能性のある実装方法または第2の態様の第2の可能性のある実装方法または第2の態様の第3の可能性のある実装方法をまたは第2の態様の第4の可能性のある実装方法参照すると、第2の態様の第5の可能性のある実装方法では、基地局への第1の指摘メッセージのRNCによる送信の後に、方法は、通信リンクがプリセット通信品質要件を満たしているかどうかをRNCによって判定すること、および通信リンクがプリセット通信品質要件を満たす場合、基地局へ第2の指摘メッセージをRNCにより送信することをさらに含み、ここで、第2の指摘メッセージは基地局に、通信リンクを使用してのUEへのTPCコマンドの送信を再開することを指令するために使用される。
【００２１】
第2の態様の第5の可能性のある実装方法を参照すると、第2の態様の第6の可能性のある実装方法では、通信リンクがプリセット通信品質要件を満たしているかどうかをRNCによって判定することには、UEから送信されるセルの1Aイベント測定レポートまたは通信リンクの基地局から送信される回復指摘情報のいずれかが受信されることをRNCによって判定すること、およびUEから送信されるセルの1Aイベント測定レポートまたは通信リンクの基地局から送信される回復指摘情報が受信された場合、通信リンクがプリセット通信品質要件を満たしていることをRNCによって判定することが含まれる。
【００２２】
第2の態様の第5の可能性の実装方法または第2の態様の第6の可能性のある実装方法を参照すると、第2の態様の第7の可能性のある実装方法では、第2の指摘メッセージは基地局に、セルとUE間の通信リンクがアップリンク同期であることの判定後、通信リンクを使用したUEへのTPCコマンドの送信を再開することを指令するために特に使用される。
【００２３】
第2の態様の第5の可能性のある実装方法または第2の態様の第6の可能性のある実装方法または第7の態様の第2の可能性のある実装方法を参照すると、第8の可能性のある実装方法では、第2の指摘メッセージは基地局に、通信リンクを使用してUEから送信されるTPCコマンドの処理を再開することまたは通信リンクを使用してUEから送信される情報の受信を再開することを指令するためにさらに使用される。
【００２４】
第2の態様の第5の可能性のある実装方法または第2の態様の第6の可能性のある実装方法または第2の態様の第7の可能性のある実装方法または第2の態様の第8の可能性のある実装方法を参照すると、第2の態様の第9の可能性のある実装方法では、基地局への第2の指摘メッセージのRNCによる送信には、専用データフレームまたは専用シグナリングまたは共通シグナリングを使用して基地局へ第2の指摘メッセージをRNCにより送信することが含まれる。
【００２５】
第3の態様によると、本発明の実施形態は、ユーザ機器（UE）のサービングセルがマイクロセルの場合、無線ネットワーク制御装置（RNC）から送信される第1の指摘メッセージを基地局により受信し、ここで、第1の指摘メッセージは基地局にアクティブセットのセルとUE間の通信リンクを使用したUEへの送信電力制御（TPC）コマンドの送信を停止するように指令するために使用され、さらに通信リンクを使用したUEへのTPCコマンドの送信を、第1の指摘メッセージに従い、基地局により停止することを含むダウンリンク情報の処理方法を提供する。
【００２６】
第3の態様の第1の可能性のある実装方法では、第1の指摘メッセージは基地局に、セルとUE間の通信リンクがアップリンク同期外れであるとの判定後、通信リンクを使用したUEへのTPCコマンドの送信を停止することを指令するために特に使用され、通信リンクを使用したUEへのTPCコマンドの送信を第1の指摘メッセージに従い、基地局により停止することには、通信リンクがアップリンク同期外れであることを第1の指摘メッセージに従い基地局により判定すること、および通信リンクを使用したUEへのTPCコマンドの送信を基地局により停止することが含まれる。
【００２７】
第3の態様または第3の態様の第1の可能性のある実装方法を参照すると、第3の態様の第2の可能性のある実装方法では、第1の指摘メッセージは基地局に、通信リンクを使用してUEから送信されるTPCコマンドの処理を停止すること、または通信リンクを使用してUEから送信される情報の受信を停止することを指令するためにさらに使用され、RNCから送信された第1の指摘メッセージを基地局により受信した後、本方法には、第1の指摘メッセージに従い、通信リンクを使用してUEから送信されたTPCコマンドの処理の基地局による停止または通信リンクを使用してUEから送信された情報の受信を停止することがさらに含まれる。
【００２８】
第3の態様または第3の態様の第1の可能性のある実装方法または第3の態様の第2の可能性のある実装方法を参照すると、第3の態様の第3の可能性のある実装方法では、第1の指摘メッセージは通信リンクが非サービングリンクであることを示すためにさらに使用される。
【００２９】
第3の態様または第3の態様の第1の可能性のある実装方法または第3の態様の第2の可能性のある実装方法または第3の態様の第3の可能性のある実装方法を参照すると、第3の態様の第4の可能性のある実装方法では、RNCにより送信される第1の指摘メッセージには、専用データフレームまたは専用シグナリングまたは共通シグナリングを使用してRNCにより送信される第1の指摘メッセージを基地局により受信することが含まれる。
【００３０】
第3の態様または第3の態様の第1の可能性のある実装方法または第3の態様の第2の可能性のある実装方法または第3の態様の第3の可能性のある実装方法または第3の態様の第4の可能性のある実装方法を参照すると、第3の態様の第5の可能性のある実装方法では、本方法には、RNCにより送信される第2の指摘メッセージを基地局によって受信すること、ここで、第2の指摘メッセージは基地局に通信リンクを使用したUEへのTPCコマンドの送信を再開することを指令するために使用され、さらに通信リンクを使用してUEにTPCコマンドを送信することを第2の指摘メッセージに従って基地局により再開することがさらに含まれる。
【００３１】
第3の態様の第5の可能性のある実装方法を参照すると、第3の態様の第6の可能性のある実装方法では、第2の指摘メッセージは基地局に、通信リンクがアップリンク同期であるとの判定後、通信リンクを使用したUEへのTPCコマンドの送信を再開することを指令するために特に使用され、通信リンクを使用したUEへのTPCコマンドの送信を第2の指摘メッセージに従い、基地局により再開することには、通信リンクがアップリンク同期であることを第2の指摘メッセージに従い基地局により判定すること、および通信リンクを使用したUEへのTPCコマンドの送信を基地局により再開することが含まれる。
【００３２】
第3の態様の第5の可能性のある実装方法または第3の態様の第6の可能性のある実装方法を参照すると、第3の態様の第7の可能性のある実装方法では、第2の指摘メッセージは基地局に、通信リンクを使用してUEから送信されるTPCコマンドの処理を再開すること、または通信リンクを使用してUEから送信される情報の受信を再開することを指令するためにさらに使用され、RNCから送信された第2の指摘メッセージを基地局により受信した後、本方法には、第2の指摘メッセージに従い、通信リンクを使用してUEから送信されたTPCコマンドの処理の基地局による再開または通信リンクを使用してUEから送信された情報の受信を再開することがさらに含まれる。
【００３３】
第3の態様の第5の可能性のある実装方法または第3の態様の第6の可能性のある実装方法または第3の態様の第7の可能性のある実装方法を参照すると、第3の態様の第8の可能性のある実装方法では、RNCから送信される第2の指摘メッセージには、専用データフレームまたは専用シグナリングまたは共通シグナリングを使用してRNCにより送信される第2の指摘メッセージを基地局により受信することが含まれる。
【００３４】
第4の態様によると、本発明の実施形態では、アクティブセットのセルとUE間の通信リンクがプリセット通信品質要件を満たしているかどうかを判定するように構成された判定モジュール、および判定モジュールがアクティブセットのセルとUE間の通信リンクがプリセット通信品質要件を満たしていないと判定する場合、通信リンクを使用して基地局から送信されるダウンリンク情報の処理を停止するように構成された処理モジュールを含むユーザ機器（UE）を提供する。
【００３５】
第4の態様の第1の可能性のある実装方法では、UEは、再開モジュールをさらに含み、ここで、判定モジュールは通信リンクを使用して基地局から送信されるダウンリンク情報の処理を停止した後、アクティブセットのセルとUE間の通信リンクがプリセット通信品質要件を満たしているかどうかをさらに判定するようにさらに構成され、再開モジュールは、判定モジュールがアクティブセットのセルとUE間の通信リンクがプリセット通信品質要件を満たしていると判定する場合、通信リンクを使用して基地局から送信されるダウンリンク情報の処理を再開するように構成されている。
【００３６】
第4の態様または第4の態様の第1の可能性のある実装方法を参照すると、第4の態様の第2の可能性のある実装方法では、処理モジュールは、第1の処理ユニットおよび／または第2の処理ユニットを含み、ここで、第1の処理ユニットは、通信リンクを使用して基地局から送信される送信電力制御（TPC）コマンドの処理を停止するように構成され、第2の処理ユニットは通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理を停止するように構成されている。
【００３７】
第4の態様の第2の可能性のある実装方法を参照すると、第4の態様の第3の可能性のある実装方法では、第2の処理ユニットは通信リンクを使用して基地局から送信されるDPCCH／DPDCH／F-DPCH／E-RGCH／E-HICHの受信の停止または通信リンクを使用して基地局から送信されるDPDCHの受信、および組み合わせ処理のDPDCHでの信号の使用の停止または通信リンクを使用して基地局から送信されるDPCCH／DPDCH／F-DPCHの受信、および信号対干渉比（SIR）評価のDPCCH／DPDCH／F-DPCHでの信号の使用の停止または通信リンクを使用して基地局から送信されるE-RGCHの受信、および組み合わせ処理のE-RGCHでの相対グラント信号の使用の停止または通信リンクを使用して基地局から送信されるE-RGCHの受信、およびUEの上位層へのE-RGCHでの相対グラント情報の送信の停止または通信リンクを使用して基地局から送信されるE-HICHの受信、および組み合わせ処理のE-HICHでのフィードバック信号の使用の停止または通信リンクを使用して基地局から送信されるE-HICHの受信、およびUEの上位層へのE-HICHでのフィードバック情報の送信の停止を行うように特に構成されている。
【００３８】
第4の態様または第4の態様の第1の可能性のある実装方法または第4の態様の第2の可能性のある実装方法または第4の態様の第3の可能性のある実装方法を参照すると、第4の態様の第4の可能性のある実装方法では、判定モジュールはTPCコマンドの信号対干渉比（SIR）がSIRしきい値未満であるかどうかを判定するように特に構成され、ここで、TPCコマンドはセルとUE間の通信リンクを使用してUEによって受信され、TPCコマンドのSIRがSIRしきい値未満の場合、通信リンクがプリセット通信品質要件を満たしていないことを判定し、さらにTPCコマンドのSIRがSIRしきい値以上の場合、通信リンクがプリセット通信品質要件を満たしていることを判定する。
【００３９】
第4の態様または第4の態様の第1の可能性のある実装方法または第4の態様の第2の可能性のある実装方法または第4の態様の第3の可能性のある実装方法を参照すると、第4の態様の第5の可能性のある実装方法では、判定モジュールは、セルが1Bイベントまたは1Aイベントを満たすかどうかを判定するように特に構成されており、セルが1Bイベントを満たす場合、通信リンクがプリセット通信品質要件を満たしていないことを判定し、セルが1Aイベントを満たす場合、通信リンクがプリセット通信品質要件を満たしていることを判定する。
【００４０】
第4の態様または第4の態様の第1の可能性のある実装方法または第4の態様の第2の可能性のある実装方法または第4の態様の第3の可能性のある実装方法を参照すると、第4の態様の第6の可能性のある実装方法では、判定モジュールは、セルとUE間の通信リンクがダウンリンク同期外れ状態またはダウンリンク同期状態のいずれかを判定するように特に構成されており、セルとUE間の通信リンクがダウンリンク同期外れ状態の場合、通信リンクがプリセット通信品質要件を満たしていないことを判定し、セルとUE間の通信リンクがダウンリンク同期状態の場合、通信リンクがプリセット通信品質要件を満たしていることを判定する。
【００４１】
第4の態様または第4の態様の第1の可能性のある実装方法または第4の態様の第2の可能性のある実装方法または第4の態様の第3の可能性のある実装方法を参照すると、第4の態様の第7の可能性のある実装方法では、判定モジュールは、1Bイベントがセルで発生し、通信リンクがダウンリンク同期外れ状態かどうか、または1Aイベントがセルで発生し、通信リンクがダウンリンク同期状態かどうかを判定するように特に構成されており、1Bイベントがセルで発生し、通信リンクがダウンリンク同期外れ状態の場合、通信リンクがプリセット通信品質要件を満たしていないことを判定し、1Aイベントがセルで発生し、通信リンクがダウンリンク同期状態の場合、通信リンクがプリセット通信品質要件を満たしていることを判定する。
【００４２】
第4の態様または第4の態様の第1の可能性のある実装方法または第4の態様の第2の可能性のある実装方法または第4の態様の第3の可能性のある実装方法を参照すると、第4の態様の第8の可能性のある実装方法では、判定モジュールは、セルの共通パイロットチャネルCPICHの品質および／またはDPCCH／DPDCH／F-DPCH／E-RGCH／E-HICHの品質がプリセットしきい値未満であるかどうかを判定するように特に構成されており、セルのCPICHの品質および／またはDPCCH／DPDCH／F-DPCH／E-RGCH／E-HICHの品質がプリセットしきい値未満の場合、通信リンクがプリセット通信品質要件を満たしていないことを判定し、セルのCPICHの品質および／またはDPCCH／DPDCH／F-DPCH／E-RGCH／E-HICHの品質がプリセットしきい値以上の場合、通信リンクがプリセット通信品質要件を満たしていることを判定する。
【００４３】
第5の態様によると、本発明の実施形態では、無線ネットワーク制御装置（RNC）であって、ユーザ機器（UE）のサービングセルがマイクロセルの場合、アクティブセットのセルとUE間の通信リンクがプリセット通信品質要件を満たしているかどうかを判定するように構成された第1の判定モジュール、および第1の判定モジュールがアクティブセットのセルとUE間の通信リンクがプリセット通信品質要件を満たしていない判定する場合、基地局へ第1の指摘メッセージを送信するように構成された第1の送信モジュールを含む無線ネットワーク制御装置を提供し、ここで、第1の指摘メッセージは基地局に通信リンクを使用したUEへの送信電力制御（TPC）コマンドの送信を停止するように指令するために使用される。
【００４４】
第5の態様の第1の可能性のある実装方法では、第1の判定モジュールは、UEから送信されるセルの1Bイベント測定レポートまたは通信リンクの基地局から送信される失敗指摘情報のいずれかが受信されることを判定するように特に構成され、そしてUEから送信されるセルの1Bイベント測定レポートまたは通信リンクの基地局から送信される失敗指摘情報が受信された場合、通信リンクがプリセット通信品質要件を満たしていないことを判定する。
【００４５】
第5の態様または第5の態様の第1の可能性のある実装方法を参照すると、第5の態様の第2の可能性のある実装方法では、第1の指摘メッセージは基地局に、セルとUE間の通信リンクがアップリンク同期外れであることの判定後、通信リンクを使用したUEへのTPCコマンドの送信を停止することを指令するために特に使用される。
【００４６】
第5の態様または第5の態様の第1の可能性のある実装方法または第5の態様の第2の可能性のある実装方法を参照すると、第5の態様の第3の可能性のある実装方法では、第1の指摘メッセージは基地局に、通信リンクを使用してUEから送信されるTPCコマンドの処理を停止することまたは通信リンクを使用してUEから送信される情報の受信を停止することを指令するためにさらに使用される。
【００４７】
第5の態様または第5の態様の第1の可能性のある実装方法または第5の態様の第2の可能性のある実装方法または第5の態様の第3の可能性のある実装方法を参照すると、第5の態様の第4の可能性のある実装方法では、第1の送信モジュールは、専用データフレームまたは専用シグナリングまたは共通シグナリングを使用して基地局へ第1の指摘メッセージを送信するように特に構成されている。
【００４８】
第5の態様または第5の態様の第1の可能性のある実装方法または第5の態様の第2の可能性のある実装方法または第5の態様の第3の可能性のある実装方法をまたは第5の態様の第4の可能性のある実装方法参照すると、第5の態様の第5の可能性のある実装方法では、RNCは、通信リンクがプリセット通信品質要件を満たしているかどうかを判定するように構成された第2の判定モジュール、および第2の判定モジュールが通信リンクがプリセット通信品質要件を満たすことを判定する場合、基地局へ第2の指摘メッセージを送信するように構成された第2の送信モジュールをさらに含み、ここで、第2の指摘メッセージは基地局に、通信リンクを使用してのUEへのTPCコマンドの送信を再開することを指令するために使用される。
【００４９】
第5の態様の第5の可能性のある実装方法を参照すると、第5の態様の第6の可能性のある実装方法では、第2の判定モジュールは、UEから送信されるセルの1Aイベント測定レポートまたは通信リンクの基地局から送信される回復指摘情報のいずれかが受信されることを判定するように特に構成され、そしてUEから送信されるセルの1Aイベント測定レポートまたは通信リンクの基地局から送信される回復指摘情報が受信された場合、通信リンクがプリセット通信品質要件を満たしていることを判定する。
【００５０】
第5の態様の第5の可能性の実装方法または第5の態様の第6の可能性のある実装方法を参照すると、第5の態様の第7の可能性のある実装方法では、第2の指摘メッセージは基地局に、セルとUE間の通信リンクがアップリンク同期であることの判定後、通信リンクを使用したUEへのTPCコマンドの送信を再開することを指令するために特に使用される。
【００５１】
第5の態様の第5の可能性のある実装方法または第5の態様の第6の可能性のある実装方法または第5の態様の第7の可能性のある実装方法を参照すると、第5の態様の第8の可能性のある実装方法では、第2の指摘メッセージは基地局に、通信リンクを使用してUEから送信されるTPCコマンドの処理を再開することまたは通信リンクを使用してUEから送信される情報の受信を再開することを指令するためにさらに使用される。
【００５２】
第5の態様の第5の可能性のある実装方法または第5の態様の第6の可能性のある実装方法または第5の態様の第7の可能性のある実装方法または第5の態様の第8の可能性のある実装方法を参照すると、第5の態様の第9の可能性のある実装方法では、第2の送信モジュールは、専用データフレームまたは専用シグナリングまたは共通シグナリングを使用して基地局へ第2の指摘メッセージを送信するように特に構成されている。
【００５３】
第6の態様によると、本発明の実施形態は、ユーザ機器（UE）のサービングセルがマイクロセルの場合、無線ネットワーク制御装置（RNC）から送信される第1の指摘メッセージを受信するように構成された第1の受信モジュールであって、第1の指摘メッセージは基地局にアクティブセットのセルとUE間の通信リンクを使用したUEへの送信電力制御（TPC）コマンドの送信を停止するように指令するために使用される第1の受信モジュール、および通信リンクを使用したUEへのTPCコマンドの送信を、第1の指摘メッセージに従い、停止するように構成された処理モジュールを含む基地局を提供する。
【００５４】
第6の態様の第1の可能性のある実装方法では、第1の指摘メッセージは基地局に、セルとUE間の通信リンクがアップリンク同期外れであるとの判定後、通信リンクを使用したUEへのTPCコマンドの送信を停止することを指令するために特に使用され、処理モジュールは通信リンクがアップリンク同期外れであることを第1の指摘メッセージに従い判定し、通信リンクを使用したUEへのTPCコマンドの送信を停止するように特に構成されている。
【００５５】
第6の態様または第6の態様の第1の可能性のある実装方法を参照すると、第6の態様の第2の可能性のある実装方法では、第1の指摘メッセージは基地局に、通信リンクを使用してUEから送信されるTPCコマンドの処理を停止すること、または通信リンクを使用してUEから送信される情報の受信を停止することを指令するためにさらに使用され、処理モジュールは、第1の受信モジュールがRNCから送信された第1の指摘メッセージを受信した後、第1の指摘メッセージに従い、通信リンクを使用してUEから送信されたTPCコマンドの処理の停止または通信リンクを使用してUEから送信された情報の受信の停止を行うようにさらに構成されている。
【００５６】
第6の態様または第6の態様の第1の可能性のある実装方法または第6の態様の第2の可能性のある実装方法を参照すると、第6の態様の第3の可能性のある実装方法では、第1の指摘メッセージは通信リンクが非サービングリンクであることを示すためにさらに使用される。
【００５７】
第6の態様または第6の態様の第1の可能性のある実装方法または第6の態様の第2の可能性のある実装方法または第6の態様の第3の可能性のある実装方法を参照すると、第6の態様の第4の可能性のある実装方法では、第1の受信モジュールは、専用データフレームまたは専用シグナリングまたは共通シグナリングを使用してRNCから送信された第1の指摘メッセージを受信するように特に構成されている。
【００５８】
第6の態様または第6の態様の第1の可能性のある実装方法または第6の態様の第2の可能性のある実装方法または第6の態様の第3の可能性のある実装方法または第6の態様の第4の可能性のある実装方法を参照すると、第6の態様の第5の可能性のある実装方法では、基地局は、RNCにより送信される第2の指摘メッセージを受信するように構成された第2の受信モジュールであって、第2の指摘メッセージは基地局に通信リンクを使用したUEへのTPCコマンドの送信を再開することを指令するために使用される第2の受信モジュール、および通信リンクを使用してUEにTPCコマンドを送信することを第2の指摘メッセージに従って再開するように構成された再開モジュールを含んでいる。
【００５９】
第6の態様の第5の可能性のある実装方法を参照すると、第6の態様の第6の可能性のある実装方法では、第2の指摘メッセージは基地局に、通信リンクがアップリンク同期であるとの判定後、通信リンクを使用したUEへのTPCコマンドの送信を再開することを指令するために特に使用され、再開モジュールは通信リンクがアップリンク同期であることを第2の指摘メッセージに従い判定し、通信リンクを使用したUEへのTPCコマンドの送信を再開するように特に構成されている。
【００６０】
第6の態様の第5の可能性のある実装方法または第6の態様の第6の可能性のある実装方法を参照すると、第6の態様の第7の可能性のある実装方法では、第2の指摘メッセージは基地局に、通信リンクを使用してUEから送信されるTPCコマンドの処理を再開すること、または通信リンクを使用してUEから送信される情報の受信を再開することを指令するためにさらに使用され、再開モジュールは、第2の受信モジュールがRNCから送信された第2の指摘メッセージを受信した後、第2の指摘メッセージに従い、通信リンクを使用してUEから送信されたTPCコマンドの処理の再開または通信リンクを使用してUEから送信された情報の受信の再開を行うようにさらに構成されている。
【００６１】
第6の態様の第5の可能性のある実装方法または第6の態様の第6の可能性のある実装方法または第6の態様の第7の可能性のある実装方法を参照すると、第6の態様の第8の可能性のある実装方法では、第2の受信モジュールは、専用データフレームまたは専用シグナリングまたは共通シグナリングを使用してRNCから送信された第2の指摘メッセージを受信するように特に構成されている。
【００６２】
第7の態様によると、本発明の実施形態では、アクティブセットのセルとUE間の通信リンクがプリセット通信品質要件を満たしているかどうかを判定し、アクティブセットのセルとUE間の通信リンクがプリセット通信品質要件を満たしていない場合、通信リンクを使用して基地局から送信されるダウンリンク情報の処理を停止するように構成されたプロセッサを含むユーザ機器（UE）を提供する。
【００６３】
第7の態様の第1の可能性のある実装方法では、プロセッサは、通信リンクを使用して基地局から送信されるダウンリンク情報の処理が停止された後、アクティブセットのセルとUE間の通信リンクがプリセット通信品質要件を満たしているかどうかをさらに判定し、アクティブセットのセルとUE間の通信リンクがプリセット通信品質要件を満たしている場合、通信リンクを使用して基地局から送信されるダウンリンク情報の処理を再開するようにさらに構成されている。
【００６４】
第7の態様または第7の態様の第1の可能性のある実装方法を参照すると、第7の態様の第2の可能性のある実装方法では、プロセッサは、通信リンクを使用して基地局から送信される送信電力制御（TPC）コマンドの処理の停止および／または通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の停止を行うように特に構成されている。
【００６５】
第7の態様または第7の態様の第2の可能性のある実装方法を参照すると、第7の態様の第3の可能性のある実装方法では、UEは受信機をさらに含んでおり、ここで、
プロセッサは通信リンクを使用して基地局から送信されるDPCCH／DPDCH／F-DPCH／E-RGCH／E-HICHの受信を停止するように特に構成されており、または
受信機は通信リンクを使用して基地局から送信されるDPDCHを受信するように構成され、プロセッサは組み合わせ処理でのDPDCHで信号の使用を停止するように特に構成されており、または
受信機は通信リンクを使用して基地局から送信されるDPCCH/DPDCH/F-DPCHを受信するように構成され、プロセッサは信号対干渉比（SIR）評価でのDPCCH／DPDCH／F-DPCHで信号の使用を停止するように特に構成されており、または
受信機は通信リンクを使用して基地局から送信されるE-RGCHを受信するように構成され、プロセッサは組み合わせ処理でのE-RGCHで相対グラント信号の使用を停止するように特に構成されており、または
受信機は通信リンクを使用して基地局から送信されるE-RGCHを受信するように構成され、プロセッサはUEの上位層へのE-RGCHでの相対グラント情報の送信を停止するように特に構成されており、または
受信機は通信リンクを使用して基地局から送信されるE-HICHを受信するように構成され、プロセッサは組み合わせ処理でのE-HICHでフィードバック信号の使用を停止するように特に構成されており、または
受信機は通信リンクを使用して基地局から送信されるE-HICHを受信するように構成され、プロセッサはUEの上位層へのE-HICHでのフィードバック情報の送信を停止するように特に構成されている。
【００６６】
第7の態様または第7の態様の第1の可能性のある実装方法または第7の態様の第2の可能性のある実装方法または第7の態様の第3の可能性のある実装方法を参照すると、第7の態様の第4の可能性のある実装方法では、プロセッサはTPCコマンドの信号対干渉比（SIR）がSIRしきい値未満であるかどうかを判定するように特に構成され、ここで、TPCコマンドはセルとUE間の通信リンクを使用してUEによって受信され、TPCコマンドのSIRがSIRしきい値未満の場合、通信リンクがプリセット通信品質要件を満たしていないことを判定し、さらにTPCコマンドのSIRがSIRしきい値以上の場合、通信リンクがプリセット通信品質要件を満たしていることを判定する。
【００６７】
第7の態様または第7の態様の第1の可能性のある実装方法または第7の態様の第2の可能性のある実装方法または第7の態様の第3の可能性のある実装方法を参照すると、第7の態様の第5の可能性のある実装方法では、プロセッサは、セルが1Bイベントまたは1Aイベントを満たすかどうかを判定するように特に構成されており、セルが1Bイベントを満たす場合、通信リンクがプリセット通信品質要件を満たしていないことを判定し、セルが1Aイベントを満たす場合、通信リンクがプリセット通信品質要件を満たしていることを判定する。
【００６８】
第7の態様または第7の態様の第1の可能性のある実装方法または第7の態様の第2の可能性のある実装方法または第7の態様の第3の可能性のある実装方法を参照すると、第7の態様の第6の可能性のある実装方法では、プロセッサは、セルとUE間の通信リンクがダウンリンク同期外れ状態またはダウンリンク同期状態のいずれかを判定するように特に構成されており、セルとUE間の通信リンクがダウンリンク同期外れ状態の場合、通信リンクがプリセット通信品質要件を満たしていないことを判定し、セルとUE間の通信リンクがダウンリンク同期状態の場合、通信リンクがプリセット通信品質要件を満たしていることを判定する。
【００６９】
第7の態様または第7の態様の第1の可能性のある実装方法または第7の態様の第2の可能性のある実装方法または第7の態様の第3の可能性のある実装方法を参照すると、第7の態様の第7の可能性のある実装方法では、プロセッサは、1Bイベントがセルで発生し、通信リンクがダウンリンク同期外れ状態かどうか、または1Aイベントがセルで発生し、通信リンクがダウンリンク同期状態かどうかを判定するように特に構成されており、1Bイベントがセルで発生し、通信リンクがダウンリンク同期外れ状態の場合、通信リンクがプリセット通信品質要件を満たしていないことを判定し、1Aイベントがセルで発生し、通信リンクがダウンリンク同期状態の場合、通信リンクがプリセット通信品質要件を満たしていることを判定する。
【００７０】
第7の態様または第7の態様の第1の可能性のある実装方法または第7の態様の第2の可能性のある実装方法または第7の態様の第3の可能性のある実装方法を参照すると、第7の態様の第8の可能性のある実装方法では、プロセッサは、セルの共通パイロットチャネルCPICHの品質および／またはDPCCH／DPDCH／F-DPCH／E-RGCH／E-HICHの品質がプリセットしきい値未満であるかどうかを判定するように特に構成されており、セルのCPICHの品質および／またはDPCCH／DPDCH／F-DPCH／E-RGCH／E-HICHの品質がプリセットしきい値未満の場合、通信リンクがプリセット通信品質要件を満たしていないことを判定し、セルのCPICHの品質および／またはDPCCH／DPDCH／F-DPCH／E-RGCH／E-HICHの品質がプリセットしきい値以上の場合、通信リンクがプリセット通信品質要件を満たしていることを判定する。
【００７１】
第8の態様によると、本発明の実施形態では、無線ネットワーク制御装置（RNC）であって、ユーザ機器（UE）のサービングセルがマイクロセルの場合、アクティブセットのセルとUE間の通信リンクがプリセット通信品質要件を満たしているかどうかを判定するように構成されたプロセッサ、およびアクティブセットのセルとUE間の通信リンクがプリセット通信品質要件を満たしていない場合、基地局へ第1の指摘メッセージを送信するように構成された送信機を含む無線ネットワーク制御装置を提供し、ここで、第1の指摘メッセージは基地局に通信リンクを使用したUEへの送信電力制御（TPC）コマンドの送信を停止するように指令するために使用される。
【００７２】
第8の態様の第1の可能性のある実装方法では、プロセッサは、UEから送信されるセルの1Bイベント測定レポートまたは通信リンクの基地局から送信される失敗指摘情報のいずれかが受信されることを判定するように特に構成され、そしてUEから送信されるセルの1Bイベント測定レポートまたは通信リンクの基地局から送信される失敗指摘情報が受信された場合、通信リンクがプリセット通信品質要件を満たしていないことを判定する。
【００７３】
第8の態様または第8の態様の第1の可能性のある実装方法を参照すると、第8の態様の第2の可能性のある実装方法では、第1の指摘メッセージは基地局に、セルとUE間の通信リンクがアップリンク同期外れであることの判定後、通信リンクを使用したUEへのTPCコマンドの送信を停止することを指令するために特に使用される。
【００７４】
第8の態様または第8の態様の第1の可能性のある実装方法または第8の態様の第2の可能性のある実装方法を参照すると、第8の態様の第3の可能性のある実装方法では、第1の指摘メッセージは基地局に、通信リンクを使用してUEから送信されるTPCコマンドの処理を停止することまたは通信リンクを使用してUEから送信される情報の受信を停止することを指令するためにさらに使用される。
【００７５】
第8の態様または第8の態様の第1の可能性のある実装方法または第8の態様の第2の可能性のある実装方法または第8の態様の第3の可能性のある実装方法を参照すると、第8の態様の第4の可能性のある実装方法では、送信機は、専用データフレームまたは専用シグナリングまたは共通シグナリングを使用して基地局へ第1の指摘メッセージを送信するように特に構成されている。
【００７６】
第8の態様または第8の態様の第1の可能性のある実装方法または第8の態様の第2の可能性のある実装方法または第8の態様の第3の可能性のある実装方法をまたは第8の態様の第4の可能性のある実装方法参照すると、第8の態様の第5の可能性のある実装方法では、プロセッサは、送信機が第1の指摘メッセージを基地局に送信した後、通信リンクがプリセット通信品質要件を満たしているかどうかを判定するようにさらに構成され、送信機は、プロセッサが通信リンクがプリセット通信品質要件を満たすことを判定する場合、基地局へ第2の指摘メッセージを送信するようにさらに構成され、ここで、第2の指摘メッセージは基地局に、通信リンクを使用してのUEへのTPCコマンドの送信を再開することを指令するために使用される。
【００７７】
第8の態様の第5の可能性のある実装方法を参照すると、第8の態様の第6の可能性のある実装方法では、プロセッサは、UEから送信されるセルの1Aイベント測定レポートまたは通信リンクの基地局から送信される回復指摘情報のいずれかが受信されることを判定するように特に構成され、そしてUEから送信されるセルの1Aイベント測定レポートまたは通信リンクの基地局から送信される回復指摘情報が受信された場合、通信リンクがプリセット通信品質要件を満たしていることを判定する。
【００７８】
第8の態様の第5の可能性の実装方法または第8の態様の第6の可能性のある実装方法を参照すると、第8の態様の第7の可能性のある実装方法では、第2の指摘メッセージは基地局に、セルとUE間の通信リンクがアップリンク同期であることの判定後、通信リンクを使用したUEへのTPCコマンドの送信を再開することを指令するために特に使用される。
【００７９】
第8の態様の第5の可能性のある実装方法または第8の態様の第6の可能性のある実装方法または第8の態様の第7の可能性のある実装方法を参照すると、第8の態様の第8の可能性のある実装方法では、第2の指摘メッセージは基地局に、通信リンクを使用してUEから送信されるTPCコマンドの処理を再開することまたは通信リンクを使用してUEから送信される情報の受信を再開することを指令するためにさらに使用される。
【００８０】
第8の態様の第5の可能性のある実装方法または第8の態様の第6の可能性のある実装方法または第8の態様の第7の可能性のある実装方法または第8の態様の第8の可能性のある実装方法を参照すると、第8の態様の第9の可能性のある実装方法では、送信機は、専用データフレームまたは専用シグナリングまたは共通シグナリングを使用して基地局へ第2の指摘メッセージを送信するように特に構成されている。
【００８１】
第9の態様によると、本発明の実施形態は、ユーザ機器（UE）のサービングセルがマイクロセルの場合、無線ネットワーク制御装置（RNC）から送信される第1の指摘メッセージを受信するように構成された第1の受信機であって、第1の指摘メッセージは基地局にアクティブセットのセルとUE間の通信リンクを使用したUEへの送信電力制御（TPC）コマンドの送信を停止するように指令するために使用される第1の受信機、および通信リンクを使用したUEへのTPCコマンドの送信を、第1の指摘メッセージに従い、停止するように構成されたプロセッサを含む基地局を提供する。
【００８２】
第9の態様の第1の可能性のある実装方法では、第1の指摘メッセージは基地局に、セルとUE間の通信リンクがアップリンク同期外れであるとの判定後、通信リンクを使用したUEへのTPCコマンドの送信を停止することを指令するために特に使用され、プロセッサは通信リンクがアップリンク同期外れであることを第1の指摘メッセージに従い判定し、通信リンクを使用したUEへのTPCコマンドの送信を停止するように特に構成されている。
【００８３】
第9の態様または第9の態様の第1の可能性のある実装方法を参照すると、第9の態様の第2の可能性のある実装方法では、第1の指摘メッセージは基地局に、通信リンクを使用してUEから送信されるTPCコマンドの処理を停止すること、または通信リンクを使用してUEから送信される情報の受信を停止することを指令するためにさらに使用され、プロセッサは、第1の受信機がRNCから送信された第1の指摘メッセージを受信した後、第1の指摘メッセージに従い、通信リンクを使用してUEから送信されたTPCコマンドの処理の停止または通信リンクを使用してUEから送信された情報の受信の停止を行うようにさらに構成されている。
【００８４】
第9の態様または第9の態様の第1の可能性のある実装方法または第9の態様の第2の可能性のある実装方法を参照すると、第9の態様の第3の可能性のある実装方法では、第1の指摘メッセージは通信リンクが非サービングリンクであることを示すためにさらに使用される。
【００８５】
第9の態様または第9の態様の第1の可能性のある実装方法または第9の態様の第2の可能性のある実装方法または第9の態様の第3の可能性のある実装方法を参照すると、第9の態様の第4の可能性のある実装方法では、受信機は、専用データフレームまたは専用シグナリングまたは共通シグナリングを使用してRNCから送信された第1の指摘メッセージを受信するように特に構成されている。
【００８６】
第9の態様または第9の態様の第1の可能性のある実装方法または第9の態様の第2の可能性のある実装方法または第9の態様の第3の可能性のある実装方法または第9の態様の第4の可能性のある実装方法を参照すると、第9の態様の第5の可能性のある実装方法では、受信機は、RNCにより送信される第2の指摘メッセージを受信するようにさらに構成され、ここで第2の指摘メッセージは基地局に通信リンクを使用したUEへのTPCコマンドの送信を再開することを指令するために使用されており、プロセッサは通信リンクを使用してUEにTPCコマンドを送信することを第2の指摘メッセージに従って再開するようにさらに構成されている。
【００８７】
第9の態様の第5の可能性のある実装方法を参照すると、第9の態様の第6の可能性のある実装方法では、第2の指摘メッセージは基地局に、通信リンクがアップリンク同期であるとの判定後、通信リンクを使用したUEへのTPCコマンドの送信を再開することを指令するために特に使用され、プロセッサは通信リンクがアップリンク同期であることを第2の指摘メッセージに従い判定し、通信リンクを使用したUEへのTPCコマンドの送信を再開するように特に構成されている。
【００８８】
第9の態様の第5の可能性のある実装方法または第9の態様の第6の可能性のある実装方法を参照すると、第9の態様の第7の可能性のある実装方法では、第2の指摘メッセージは基地局に、通信リンクを使用してUEから送信されるTPCコマンドの処理を再開すること、または通信リンクを使用してUEから送信される情報の受信を再開することを指令するためにさらに使用され、プロセッサは、受信機がRNCから送信された第2の指摘メッセージを受信した後、第2の指摘メッセージに従い、通信リンクを使用してUEから送信されたTPCコマンドの処理の再開または通信リンクを使用してUEから送信された情報の受信の再開を行うようにさらに構成されている。
【００８９】
第9の態様の第5の可能性のある実装方法または第9の態様の第6の可能性のある実装方法または第9の態様の第7の可能性のある実装方法を参照すると、第9の態様の第8の可能性のある実装方法では、受信機は、専用データフレームまたは専用シグナリングまたは共通シグナリングを使用してRNCから送信された第2の指摘メッセージを受信するように特に構成されている。
【００９０】
第10の態様によると、本発明の実施形態は、ネットワーク側デバイスから送信された停止指摘情報をユーザ機器（UE）により受信すること、ここで、停止指摘情報はUEにアクティブセットのセルとUE間の通信リンクを使用して基地局から送信されるダウンリンク情報の処理を停止するように指令するために使用され、および通信リンクを使用して基地局から送信されるダウンリンク情報の処理を停止指摘情報に従って停止することを含む、ダウンリンク情報の処理方法をさらに提供する。
【００９１】
第10の態様の第1の可能性のある実装方法では、ネットワーク側デバイスから送信される停止指摘情報をUEにより受信することには、基地局から送信される停止指摘情報をUEにより受信すること、または無線ネットワーク制御装置（RNC）から送信される停止指摘情報をUEにより受信することが含まれる。
【００９２】
第10の態様または第10の態様の第1の可能性のある実装方法を参照すると、第10の態様の第2の可能性のある実装方法では、通信リンクを使用して基地局から送信されるダウンリンク情報の処理を停止指摘情報に従ってUEにより停止した後、本方法は、ネットワーク側デバイスから送信される再開指摘情報をUEにより受信すること、ここで、再開指摘情報はUEに通信リンクを使用して基地局から送信されるダウンリンク情報の処理の再開を指令するために使用され、および通信リンクを使用して基地局から送信されるダウンリンク情報の処理を再開指摘情報に従ってUEにより再開することをさらに含んでいる。
【００９３】
第10の態様または第10の態様の第1の可能性のある実装方法または第10の態様の第2の可能性のある実装方法を参照すると、第10の態様の第3の可能性のある実装方法では、通信リンクを使用して基地局から送信されるダウンリンク情報の処理のUEによる停止には、通信リンクを使用して基地局から送信される送信電力制御（TPC）コマンドの処理をUEによって停止すること、および／または通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理をUEによって停止することが含まれる。
【００９４】
第10の態様の第3の可能性のある実装方法を参照すると、第10の態様の第4の可能性のある実装方法では、通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理をUEによって停止することには、通信リンクを使用して基地局から送信されるDPCCH／DPDCH／F-DPCH／E-RGCH／E-HICHの受信のUEによる停止または通信リンクを使用して基地局から送信されるDPDCHのUEによる受信および組み合わせ処理でのDPDCHで信号の使用の停止、または通信リンクを使用して基地局から送信されるDPCCH／DPDCH／F-DPCHのUEによる受信および信号対干渉比（SIR）評価でのDPCCH／DPDCH／F-DPCHで信号の使用の停止、または通信リンクを使用して基地局から送信されるE-RGCHのUEによる受信および組み合わせ処理でのE-RGCHで相対グラント信号の使用の停止、または通信リンクを使用して基地局から送信されるE-RGCHのUEによる受信およびUEの上位層へのE-RGCHでの相対グラント情報の送信の停止、または通信リンクを使用して基地局から送信されるE-HICHのUEによる受信および組み合わせ処理でのE-HICHでフィードバック信号の使用の停止、または通信リンクを使用して基地局から送信されるE-HICHのUEによる受信およびUEの上位層へのE-HICHでのフィードバック情報の送信の停止が含まれる。
【００９５】
第10の態様または第10の態様の第1の可能性のある実装方法または第10の態様の第2の可能性のある実装方法または第10の態様の第3の可能性のある実装方法または第10の態様の第4の可能性のある実装方法を参照すると、第10の態様の第5の可能性のある実装方法では、ネットワーク側デバイスから送信される停止指摘情報のユーザ機器（UE）による受信の前に、本方法は、ネットワーク側デバイスに能力指摘情報をUEによって送信することをさらに含み、ここで、能力指摘情報はUEがダウンリンク情報の処理の停止および／またはダウンリンク情報の処理の再開の能力を有することを示すために使用される。
【００９６】
第11の態様によると、本発明の実施形態は、ネットワーク側デバイスから送信された停止指摘情報を受信するように構成された受信モジュール、ここで、停止指摘情報はUEにアクティブセットのセルとUE間の通信リンクを使用して基地局から送信されるダウンリンク情報の処理を停止するように指令するために使用され、および通信リンクを使用して基地局から送信されるダウンリンク情報の処理を停止指摘情報に従って停止するように構成された処理モジュールを含むユーザ機器（UE）をさらに提供する。
【００９７】
第11の態様の第1の可能性のある実装方法では、受信モジュールは、基地局から送信される停止指摘情報を受信または無線ネットワーク制御装置（RNC）から送信される停止指摘情報を受信するように特に構成されている。
【００９８】
第11の態様または第11の態様の第1の可能性のある実装方法を参照すると、第11の態様の第2の可能性のある実装方法では、UEは再開モジュールであって、ここで、受信モジュールは処理モジュールが通信リンクを使用して基地局から送信されるダウンリンク情報の処理を停止指摘情報に従って停止した後、ネットワーク側デバイスから送信される再開指摘情報を受信するようにさらに構成され、ここで、再開指摘情報はUEに通信リンクを使用して基地局から送信されるダウンリンク情報の処理の再開を指令するために使用される再開モジュールをさらに含み、再開モジュールは通信リンクを使用して基地局から送信されるダウンリンク情報の処理を再開指摘情報に従って再開するように構成されている。
【００９９】
第11の態様または第11の態様の第1の可能性のある実装方法または第11の態様の第2の可能性のある実装方法を参照すると、第11の態様の第3の可能性のある実装方法では、処理モジュールは、第1の処理ユニットおよび／または第2の処理ユニットを含み、ここで、第1の処理ユニットは、通信リンクを使用して基地局から送信される送信電力制御（TPC）コマンドの処理を停止するように構成され、第2の処理ユニットは通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理を停止するように構成されている。
【０１００】
第11の態様の第3の可能性のある実装方法を参照すると、第11の態様の第4の可能性のある実装方法では、第2の処理ユニットは通信リンクを使用して基地局から送信されるDPCCH／DPDCH／F-DPCH／E-RGCH／E-HICHの受信の停止または通信リンクを使用して基地局から送信されるDPDCHの受信、および組み合わせ処理のDPDCHでの信号の使用の停止または通信リンクを使用して基地局から送信されるDPCCH／DPDCH／F-DPCHの受信、および信号対干渉比（SIR）評価のDPCCH／DPDCH／F-DPCHでの信号の使用の停止または通信リンクを使用して基地局から送信されるE-RGCHの受信、および組み合わせ処理のE-RGCHでの相対グラント信号の使用の停止または通信リンクを使用して基地局から送信されるE-RGCHの受信、およびUEの上位層へのE-RGCHでの相対グラント情報の送信の停止または通信リンクを使用して基地局から送信されるE-HICHの受信、および組み合わせ処理のE-HICHでのフィードバック信号の使用の停止または通信リンクを使用して基地局から送信されるE-HICHの受信、およびUEの上位層へのE-HICHでのフィードバック情報の送信の停止を行うように特に構成されている。
【０１０１】
第11の態様または第11の態様の第1の可能性のある実装方法または第11の態様の第2の可能性のある実装方法または第11の態様の第3の可能性のある実装方法または第11の態様の第4の可能性のある実装方法を参照すると、第11の態様の第5の可能性のある実装方法では、UEは、受信モジュールがネットワーク側デバイスから送信された停止指摘情報を受信する前に、ネットワーク側デバイスに能力指摘情報を送信するように構成された送信モジュールをさらに含み、ここで、能力指摘情報はUEがダウンリンク情報の処理の停止および／またはダウンリンク情報の処理の再開の能力を有することを示すために使用される。
【０１０２】
第12の態様によると、本発明の実施形態は、ネットワーク側デバイスから送信された停止指摘情報を受信するように構成された受信機、ここで、停止指摘情報はUEにアクティブセットのセルとUE間の通信リンクを使用して基地局から送信されるダウンリンク情報の処理を停止するように指令するために使用され、および通信リンクを使用して基地局から送信されるダウンリンク情報の処理を停止指摘情報に従って停止するように構成されたプロセッサを含むユーザ機器（UE）をさらに提供する。
【０１０３】
第12の態様の第1の可能性のある実装方法では、受信機は、基地局から送信される停止指摘情報を受信または無線ネットワーク制御装置（RNC）から送信される停止指摘情報を受信するように特に構成されている。
【０１０４】
第12の態様または第12の態様の第1の可能性のある実装方法を参照すると、第12の態様の第2の可能性のある実装方法では、受信機は、プロセッサが通信リンクを使用して基地局から送信されるダウンリンク情報の処理を停止指摘情報に従って停止した後、ネットワーク側デバイスから送信される再開指摘情報を受信するようにさらに構成され、ここで、再開指摘情報はUEに通信リンクを使用して基地局から送信されるダウンリンク情報の処理の再開を指令するために使用され、さらにプロセッサは通信リンクを使用して基地局から送信されるダウンリンク情報の処理を再開指摘情報に従って再開するようにさらに構成されている。
【０１０５】
第12の態様または第12の態様の第1の可能性のある実装方法または第12の態様の第2の可能性のある実装方法を参照すると、第12の態様の第3の可能性のある実装方法では、プロセッサは、通信リンクを使用して基地局から送信される送信電力制御（TPC）コマンドの処理の停止および／または通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の停止を行うように特に構成されている。
【０１０６】
第12の態様の第3の可能性のある実装方法を参照すると、第12の態様の第4の可能性のある実装方法では、プロセッサは通信リンクを使用して基地局から送信されるDPCCH／DPDCH／F-DPCH／E-RGCH／E-HICHの受信を停止するように特に構成され、または受信機は通信リンクを使用して基地局から送信されるDPDCHを受信するようにさらに構成され、そしてプロセッサは組み合わせ処理でのDPDCHで信号の使用を停止するように特に構成され、または受信機は通信リンクを使用して基地局から送信されるDPCCH／DPDCH／F-DPCHを受信するようにさらに構成され、そしてプロセッサは信号対干渉比（SIR）評価でのDPCCH／DPDCH／F-DPCHで信号の使用を停止するように特に構成され、または受信機は通信リンクを使用して基地局から送信されるE-RGCHを受信するようにさらに構成され、そして組み合わせ処理でのE-RGCHで相対グラント信号の使用を停止するように特に構成され、または受信機は通信リンクを使用して基地局から送信されるE-RGCHを受信するようにさらに構成され、そしてプロセッサはUEの上位層へのE-RGCHでの相対グラント情報の送信を停止するように特に構成され、または受信機は通信リンクを使用して基地局から送信されるE-HICHを受信するようにさらに構成され、そしてプロセッサは組み合わせ処理でのE-HICHでフィードバック信号の使用を停止するように特に構成され、または受信機は通信リンクを使用して基地局から送信されるE-HICHを受信するようにさらに構成され、そしてプロセッサはUEの上位層へのE-HICHでのフィードバック情報の送信を停止するように特に構成されている。
【０１０７】
第12の態様または第12の態様の第1の可能性のある実装方法または第12の態様の第2の可能性のある実装方法または第12の態様の第3の可能性のある実装方法または第12の態様の第4の可能性のある実装方法を参照すると、第12の態様の第5の可能性のある実装方法では、UEは、受信機がネットワーク側デバイスから送信される停止指摘情報を受信する前に、ネットワーク側デバイスに能力指摘情報を送信するように構成された送信機をさらに含み、ここで、能力指摘情報はUEがダウンリンク情報の処理の停止および／またはダウンリンク情報の処理の再開の能力を有することを示すために使用される。
【０１０８】
第13の態様によると、本発明の実施形態では、コンピュータ可読媒体を含む、コンピュータプログラム製品を提供し、ここで、コンピュータ可読媒体は第1の態様による本発明の実施形態で提供される方法のいずれかの方法を実行するために使用される、プログラムコードのセットを含んでいる。
【０１０９】
第14の態様によると、本発明の実施形態では、コンピュータ可読媒体を含む、コンピュータプログラム製品を提供し、ここで、コンピュータ可読媒体は第2の態様による本発明の実施形態で提供される方法のいずれかの方法を実行するために使用される、プログラムコードのセットを含んでいる。
【０１１０】
第15の態様によると、本発明の実施形態では、コンピュータ可読媒体を含む、コンピュータプログラム製品を提供し、ここで、コンピュータ可読媒体は第3の態様による本発明の実施形態で提供される方法のいずれかの方法を実行するために使用される、プログラムコードのセットを含んでいる。
【０１１１】
第16の態様によると、本発明の実施形態では、コンピュータ可読媒体を含む、コンピュータプログラム製品を提供し、ここで、コンピュータ可読媒体は第10の態様による本発明の実施形態で提供される方法のいずれかの方法を実行するために使用される、プログラムコードのセットを含んでいる。
【０１１２】
本発明の実施形態で提供されるダウンリンク情報の処理方法およびデバイスでは、UEがアクティブセットのセルとUE間の通信リンクがプリセット通信品質要件を満たしていないことを判定する場合、UEは通信リンクを使用して基地局から送信されるダウンリンク情報の処理を停止するので、UEの送信性能には影響しない。
【０１１３】
本発明の実施形態または従来技術で技術的解決策をより明確に説明するために、次に、実施形態または従来技術を説明するために必要な添付図面を簡潔に紹介している。明らかであるが、次の説明の添付図面は本発明の一部の実施形態を示しており、当業者は創意工夫なくこれらの添付図面から他の図面をさらに導き出すことができる。
【図面の簡単な説明】
【０１１４】
【図１】本発明によるダウンリンク情報の処理方法の第1の実施形態の流れ図である。
【図２】本発明によるダウンリンク情報の処理方法の第2の実施形態の流れ図である。
【図３】本発明によるダウンリンク情報の処理方法の第3の実施形態の流れ図である。
【図４】本発明によるダウンリンク情報の処理方法の第4の実施形態の流れ図である。
【図５】本発明によるダウンリンク情報の処理方法の第5の実施形態の流れ図である。
【図６】本発明によるダウンリンク情報の処理方法の第6の実施形態の流れ図である。
【図７】本発明によるダウンリンク情報の処理方法の第7の実施形態の流れ図である。
【図８】本発明によるダウンリンク情報の処理方法の第8の実施形態の流れ図である。
【図９】本発明によるダウンリンク情報の処理方法の第9の実施形態の流れ図である。
【図１０】本発明によるダウンリンク情報の処理方法の第10の実施形態の流れ図である。
【図１１】本発明によるダウンリンク情報の処理方法の第11の実施形態の流れ図である。
【図１２】本発明によるダウンリンク情報の処理方法の第12の実施形態の流れ図である。
【図１３】本発明によるダウンリンク情報の処理方法の第13の実施形態の流れ図である。
【図１４】本発明によるダウンリンク情報の処理方法の第14の実施形態の流れ図である。
【図１５】本発明によるUEの第1の実施形態の概略構造図である。
【図１６】本発明によるUEの第2の実施形態の概略構造図である。
【図１７】本発明によるUEの第4の実施形態の概略構造図である。
【図１８】本発明によるRNCの第1の実施形態の概略構造図である。
【図１９】本発明によるRNCの第2の実施形態の概略構造図である。
【図２０】本発明によるRNCの第4の実施形態の概略構造図である。
【図２１】本発明による基地局の第1の実施形態の概略構造図である。
【図２２】本発明による基地局の第2の実施形態の概略構造図である。
【図２３】本発明による基地局の第4の実施形態の概略構造図である。
【図２４】本発明によるUEの第5の実施形態の概略構造図である。
【図２５】本発明によるUEの第6の実施形態の概略構造図である。
【図２６】本発明によるUEの第7の実施形態の概略構造図である。
【発明を実施するための形態】
【０１１５】
本発明の目的、技術的解決策、および利点をより明らかにするために、次の部分では、本発明の実施形態の添付図面を参照して本発明の実施形態の技術的解決策を明らかにかつ完璧に説明している。明らかに、説明されている実施形態は本発明の実施形態の一部であって全部ではない。創意工夫なしに本発明の実施形態に基づいて当業者によって取得される他のすべての実施形態は本発明の守備範囲に当たるものであるはずである。
【０１１６】
図1は、本発明によるダウンリンク情報の処理方法の第1の実施形態の流れ図である。図1に示されているように、本実施形態の方法は次のとおり説明される。
【０１１７】
101：UEは、アクティブセットのセルとUE間の通信リンクがプリセット通信品質要件を満たしているかどうかを判定する。
【０１１８】
本実施形態では、UEのサービングセルがマイクロセルで、UEがアクティブセットのセルの1Aイベントをより早くレポートし、1Bイベントのレポートが遅延するため、1Bイベントのレポート後にも、引き続きアクティブセットのセルを保持する場合、セルはアクティブセットにより早く追加され、アクティブセットからのセルの削除は遅延する。その結果、UEとアクティブセットのセル間の通信リンクの信号品質は低品質になる。したがって、UEのサービングセルがマイクロセルの場合、UEはアクティブセットのセルとUE間の通信リンクがプリセット通信品質要件を満たしているかどうかを判定し、通信リンクがプリセット通信品質要件を満たしている場合、信号品質が高品質であることを示し、UEの送信性能には少しの影響を有する、または通信リンクがプリセット通信品質要件を満たしていない場合、通信リンクの信号品質が低品質であることを示し、UEの送信性能には大きな影響を有する。
【０１１９】
102：アクティブセットのセルとUE間の通信リンクがプリセット通信品質要件を満たしていない場合、UEは通信リンクを使用して基地局から送信されるダウンリンク情報の処理を停止する。
【０１２０】
アクティブセットのセルとUE間の通信リンクがプリセット通信品質要件を満たさない場合、通信リンクの信号品質が低品質であることを示し、UEの送信性能に大きな影響を有する。したがって、UEは通信リンクを使用して基地局から送信されるダウンリンク情報の処理を停止する。UEは通信リンクを削除せず、セルは引き続きアクティブセットに保持されるが、UEはセルから送信されるダウンリンク情報の処理を停止するので、セルから送信されるダウンリンク情報がUEの送信性能に影響することはない。処理の停止は受信の停止または受信後の無視の場合がある。
【０１２１】
場合により、通信リンクを使用して基地局から送信されるダウンリンク情報の処理がUEによって停止された後、本発明は、UEによって、アクティブセットのセルとUE間の通信リンクがプリセット通信品質要件を満たしているかどうかをさらに判定すること、およびアクティブセットのセルとUE間の通信リンクがプリセット通信品質要件を満たしている場合、通信リンクを使用して基地局から送信されるダウンリンク情報の処理がUEによって再開されることをさらに含んでいる。
【０１２２】
本発明の第1の実施形態で提供されるダウンリンク情報の処理方法では、UEがアクティブセットのセルとUE間の通信リンクがプリセット通信品質要件を満たしていないことを判定する場合、UEは通信リンクを使用して基地局から送信されるダウンリンク情報の処理を停止するので、UEはダウンリンク情報によって影響されず、UEの送信性能にも影響しない。
【０１２３】
図2は本発明によるダウンリンク情報の処理方法の第2の実施形態の流れ図である。図2に示されているように、本実施形態の方法は次のとおり説明される。
【０１２４】
201：UEは、アクティブセットのセルとUE間の通信リンクがプリセット通信品質要件を満たしているかどうかを判定する。
【０１２５】
本実施形態では、UEのサービングセルがマイクロセルで、UEがアクティブセットのセルの1Aイベントをより早くレポートし、1Bイベントのレポートが遅延するため、1Bイベントのレポート後にも、引き続きアクティブセットのセルを保持する場合、セルはアクティブセットにより早く追加され、アクティブセットからのセルの削除は遅延する。したがって、UEとアクティブセットのセル間の通信リンクの信号品質は低品質になる。マクロセルまたはマイクロセルがUEに送信電力増大コマンドを送信し、通信リンクの信号品質が低品質なので、UEは送信電力増大コマンドを送信電力減少コマンドとして誤って解釈する場合があり、それによって、UEのアップリンク送信性能に影響する。UEがダウンリンクデータチャネルを組み合わせることによってデータ受信を行う場合、低品質の通信リンクを使用して送信されるダウンリンクデータチャネルは組み合わされた受信の性能に影響する場合がある。ネットワーク側が低品質の通信リンクでのダウンリンクデータチャネルの送信を停止する場合、UEは通信リンクでノイズを受信し、ノイズが組み合わされた受信で使用される場合、組み合わされた受信の性能にも影響する。
【０１２６】
したがって、UEのサービングセルがマイクロセルの場合、UEはアクティブセットのセルとUE間の通信リンクがプリセット通信品質要件を満たしているかどうかを判定し、通信リンクがプリセット通信品質要件を満たしている場合、通信リンクの信号品質が高品質であることを示し、UEはセルから送信される送信電力増大コマンドを送信電力減少コマンドとして誤って解釈することはなく、UEが組み合わされたデータ受信で、通信リンクを使用して送信される、ダウンリンクデータチャネルを使用する場合、UEの組み合わされた受信の性能には影響しない、または通信リンクがプリセット通信品質要件を満たしていない場合、通信リンクの信号品質が低品質であることを示し、UEはセルから送信される送信電力増大コマンドを送信電力減少コマンドとして誤って解釈し、UEが組み合わされたデータ受信で、通信リンクを使用して送信される、ダウンリンクデータチャネルを使用する場合、UEの組み合わされた受信の性能に影響する。
【０１２７】
それに加えて、UEがダウンリンク電力制御を行う場合、UEは、信号対干渉比（Signal to Interference Ratio、略してSIR）評価で各通信リンクの専用物理制御チャネル（Dedicated Physical Control Channel、略してDPCCH）／専用物理データチャネル（Dedicated Physical Data Channel、略してDPDCH）／F（フラクショナル）専用物理チャネル（Dedicated Physical Channel、略してDPCH）を必要とし、評価された値と事前定義のターゲット値を比較して、評価された値が事前定義のターゲット値未満の場合、UEはネットワークに送信電力の増大を要求するか、または評価された値が事前定義のターゲット値以上の場合、UEはネットワークに送信電力の減少を要求する。UEがDPCCH／DPDCH／F-DPCHでSIR評価を行う場合、低品質の通信リンクは普通の通信リンクに対するSIR評価に影響する。それに加えて、基地局がマクロリンクのダウンリンク送信を停止した後に、SIR評価に含まれると、リンクは純粋にノイズのみを有し、つまり、SIR評価値は減少し、電力増大コマンドがネットワークに送信される。したがって、普通のリンクのダウンリンク電力制御が影響を受け、ダウンリンク干渉が増大する。
【０１２８】
したがって、UEは、SIR評価で通信リンクを使用して受信されるDPCCH／DPDCH／F-DPCHを含めるかどうかを通信リンクの品質に従って判定する必要がある。通信リンクの品質がプリセットしきい値より大きい場合、通信リンクはDPCCH／DPDCH／F-DPCHでのSIR評価に含まれるか、または通信リンクの品質がプリセットしきい値未満の場合、通信リンクはDPCCH／DPDCH／F-DPCHでのSIR評価に含まれない。
【０１２９】
UEはアクティブセットですべての通信リンクの拡張専用チャネル相対グラントチャネル（Enhanced Dedicated Channel Relative Grant Channels、略してE-RGCH）を組み合わせることができる。通信リンクの品質が低品質の場合、UEは、例えば、HOLDコマンドをDOWNコマンドとして誤って検出するなど、通信リンクでのE-RGCHでDOWNコマンドまたはHOLDコマンドを誤って検出する場合がある。誤って検出されたコマンドが上位層に送信された後、アップリング送信電力は誤って減少し、アップリンクスループットに影響する。したがって、UEは、相対グラントシグナリングの評価で通信リンクのE-RGCHを含めるかどうかを通信リンクの品質に従って判定する必要がある。
【０１３０】
UEはアクティブセットですべての通信リンクの拡張専用チャネルハイブリッド自動リピート要求肯定応答インジケータチャネル（Enhanced Dedicated Channel Hybrid Automatic Repeat Request Acknowledgment Indicator Channel、略してE-HICH）の信号を組み合わせることができる。通信リンクの品質が低品質の場合、UEは通信リンクでのE-HICHの肯定応答（Acknowledge、略してACK）を、否定応答（Not Acknowledge、略してNACK）コマンドまたは不連続送信（Discontinuous Transmission、DTX）コマンドとして誤って検出する場合がある。誤って検出したコマンドが上位層に送信された後、これは上位層が送信が成功しないと見なし、アップリンクデータを再度送信する原因となる場合がある。反対に、DTXまたはNACKがACKと誤って検出され、再送信が時間内に行われず、アップリンクスループットに影響する。したがって、UEは、組み合わせ処理での通信リンクのE-HICHでフィードバック信号を使用するかどうかを通信リンクの品質に従って判定する必要がある。
【０１３１】
本発明の本実施形態では、「DPCCH／DPDCH／F-DPCH」は「DPCCH、DPDCH、およびF-DPCHの少なくとも1つ」を表すことに留意されたい。
【０１３２】
202：アクティブセットのセルとUE間の通信リンクがプリセット通信品質要件を満たさない場合、UEは通信リンクを使用して基地局から送信される送信電力制御（Transmit Power Control、略してTPC）コマンドの処理を停止する、および／または通信リンクを使用して基地局から送信されるDPCCH／DPDCH／F-DPCH／E-RGCH／E-HICHの処理を停止する。
【０１３３】
本実施形態の第1の実現可能な実装方法では、UEがアクティブセットのセルとUE間の通信リンクがプリセット通信品質要件を満たしていないと判定する場合、通信リンクの信号品質が低品質であることを示し、UEはセルから送信される送信電力増大コマンドを送信電力減少コマンドとして誤って解釈し、したがって、UEは通信リンクを使用して基地局から送信されるTPCコマンドの処理を停止する場合があり、すなわち、UEは通信リンクを削除せず、セルは引き続きアクティブセットに保持されるが、UEはセルから送信TPCコマンドの処理を停止する、すなわち、UEはTPCコマンドを組み合わせるための電力制御アルゴリズムの実行で通信リンクを使用して受信されたTPCコマンドを使用せず、すなわち、セルがUEに送信電力の増大または送信電力の減少を指令しても、UEによって判定される最終的なTPCコマンドは全く制限されない。それに加えて、通信リンクを使用して基地局から送信されるTPCコマンドのUEによる停止は通信リンクを使用して送信される電力制御チャネルの受信の停止によって実装される場合がある。
【０１３４】
本実施形態では、UEがアクティブセットのセルとUE間の通信リンクがプリセット通信品質要件を満たさないと判定する場合、通信リンクの信号品質が低品質であることを示す。UEが通信リンクを削除せず、通信リンクがアクティブセットに引き続き保持され、基地局が通信リンクを使用してダウンリンクDPDCHの送信を停止する場合、UEはアクティブセットのDPDCHを引き続き組み合わせて評価するが、UEはDPDCHが送信されない通信リンクで純粋なノイズを受信し、したがって、DPDCHの組み合わせが影響を受ける。したがって、本実施形態では、UEは通信リンクを使用して基地局から送信されるDPCCH／DPDCH／F-DPCHの処理を停止する場合がある。例えば、通信リンクを使用して基地局から送信されるDPCCH／DPDCH／F-DPCHのUEによる停止には、通信リンクを使用して基地局から送信されるDPCCH／DPDCH／F-DPCHの受信をUEにより停止すること、または通信リンクを使用して基地局から送信されるDPDCHをUEにより受信すること、および組み合わせ処理でのDPDCHで信号の使用を停止すること、すなわち、UEがデータを取得するために別の通信リンクを使用して送信されるDPDCHでの信号とDPDCHでの信号を組み合わせることを停止すること、または通信リンクを使用して基地局から送信されるDPCCH／DPDCH／F-DPCHをUEにより受信すること、および信号対干渉比（Signal to Interference Ratio、略してSIR）評価でのDPCCH／DPDCH／F-DPCHで信号の使用を停止することが含まれる。したがって、UEは、組み合わせおよび評価での通信リンクのDPDCHで送信されたデータを使用するかどうかを通信リンクの品質に従って判定する必要がある。具体的には、通信リンクの品質が事前定義のしきい値より大きい場合、UEは組み合わされた受信で通信リンクのDPDCHを使用するか、または通信リンクの品質が事前定義のしきい値未満の場合、UEは組み合わされた受信でリンクのDPDCHを使用しない。
【０１３５】
本実施形態では、UEはDPCCH／DPDCH／F-DPCHでのSIR評価に通信リンクを含めるかどうかを通信リンクの品質に従って判定する必要がある。通信リンクの品質がプリセット通信品質要件を満たしている（例えば、通信リンクの品質がしきい値を上回る）場合、通信リンクはDPCCH／DPDCH／F-DPCHでのSIR評価に通信リンクを含めるか、または通信リンクの品質がプリセット通信品質要件を満たしていない（例えば、通信リンクの品質がしきい値未満）場合、通信リンクはDPCCH／DPDCH／F-DPCHでのSIR評価に通信リンクを含めない。
【０１３６】
本実施形態では、UEはE-RGCH処理に通信リンクを含めるかどうかを通信リンクの品質に従って判定する必要がある。通信リンクの品質がプリセット通信品質要件満たしている（例えば、通信リンクの品質がしきい値より大きい）場合、通信リンクのE-RGCHでの相対グランド信号は組み合わせ処理で使用される、または通信リンクの品質がプリセット通信品質要件満たしていない（例えば、通信リンクの品質がしきい値未満）場合、例えば、E-RGCHチャネル品質がしきい値未満の場合、UEは通信リンクを使用して基地局から送信されるE-RGCHの処理を停止し、例えば、通信リンクを使用して基地局から送信されるE-RGCHの処理をUEによって停止することには、通信リンクを使用して基地局から送信されるE-RGCHの受信をUEにより停止すること、または通信リンクを使用して基地局から送信されるE-RGCHをUEにより受信すること、および組み合わせ処理でのE-RGCHで相対グラント信号の使用を停止することが含まれ、すなわち、UEが通信リンクのE-RGCHを受信した後、E-RGCHでの相対グラント信号は通信リンクが位置するワイヤレスリンクセットのE-RGCHでの相対グラント信号の組み合わせに含まれない。
【０１３７】
本実施形態では、通信リンクの品質がプリセット通信品質要件を満たしていない場合、UEは通信リンクを使用して基地局から送信されるE-RGCHを受信し、UEの上位層にE-RGCHでの相対グラント情報の送信を停止する。ワイヤレスリンクセットが通信リンクのみを有する場合、UEはE-RGCHの検出信号を廃棄するか、またはUEの上位層にE-RGCHの検出信号を送信しない、ここで、UEの上位層はUEの媒体アクセス制御（Media Access Control、略してMAC）である。
【０１３８】
本実施形態では、UEはE-HICH処理に通信リンクを含めるかどうかを通信リンクの品質に従って判定する必要がある。通信リンクの品質がプリセット通信品質要件満たしている（例えば、通信リンクの品質がしきい値より大きい）場合、通信リンクのE-HICHでのフィードバック信号は組み合わせ処理で使用される、または通信リンクの品質がプリセット通信品質要件満たしていない（例えば、通信リンクの品質がしきい値未満）場合、例えば、E-HICHチャネル品質がしきい値未満の場合、UEは通信リンクを使用して基地局から送信されるE-HICHの処理を停止し、例えば、通信リンクを使用して基地局から送信されるE-HICHの処理をUEによって停止することには、通信リンクを使用して基地局から送信されるE-HICHの受信をUEにより停止すること、または通信リンクを使用して基地局から送信されるE-HICHをUEにより受信すること、および組み合わせ処理でのE-HICHでフィードバック信号の使用を停止することが含まれ、すなわち、UEが通信リンクのE-HICHを受信した後、E-HICHでのフィードバック信号は通信リンクが位置するワイヤレスリンクセットのE-HICHでのACK／NACK／DTX信号の組み合わせに含まれない。
【０１３９】
本実施形態では、通信リンクの品質がプリセット通信品質要件を満たしていない場合、UEは通信リンクを使用して基地局から送信されるE-HICHを受信し、UEの上位層にE-HICHでのフィードバック情報の送信を停止する。ワイヤレスリンクセットが通信リンクのみを有する場合、UEはE-HICHの検出信号を廃棄するか、またはUEの上位層にE-HICHの検出信号を送信しない。
【０１４０】
「DPCCH／DPDCH／F-DPCH／E-RGCH／E-HICH」は「DPCCH、DPDCH、F-DPCH、E-RGCH、およびE-HICHの少なくとも1つ」を表すことができる。
【０１４１】
通信リンクの品質がプリセットまたは合意した通信品質要件を満たしていない実装方法は、通信リンクの品質がDPCCH／DPDCH／F-DPCH／E-RGCH／E-HICHの少なくとも1つのチャネルのチャネル品質と共通パイロットチャネル（Common Pilot Channel、略してCPICH）のチャネル品質の両方を満たしていない場合がある。
【０１４２】
本実施形態で言及されたアクティブセットのセルはアクティブセットのマクロセルであるか、またはアクティブセットのマイクロセルである場合があるが、本実施形態に限定されるわけではないことに留意されたい。
【０１４３】
本実施形態で言及されたアクティブセットのセルはアクティブセットのマクロセルであることが好適である。
【０１４４】
本発明の第2の実施形態で提供されたダウンリンク情報の処理方法では、UEがアクティブセットのセルとUE間の通信リンクがプリセット通信品質要件を満たしておらず、UEが通信リンクを使用して基地局から送信されるTPCコマンドの処理を停止する場合、UEは送信電力増大コマンドを送信電力減少コマンドとして誤って解釈せず、そのため、UEのアップリンク送信性能に影響しない、そしてUEが通信リンクを使用して基地局から送信されるDPCCH／DPDCH／F-DPCH／E-RGCH／E-HICHの処理を停止する場合、UEは組み合わされたデータ受信での低品質の通信リンクを使用して送信されたDPDCHで信号を使用しない、またはSIR評価での低品質の通信リンクを使用して送信されるDPCCH／DPDCH／F-DPCHで信号を使用しない、または相対グラント信号の組み合わせでの低品質の通信リンクのE-RGCHを使用しない、またはACK／NACK／DTX信号の組み合わせでの低品質の通信リンクのE-HICHを使用しない、そのため、UEによって組み合わされたデータ受信の性能は影響されず、ダウンリンク干渉は増大せず、アップリンクスループットにも影響しない。
【０１４５】
図3は、本発明によるダウンリンク情報の処理方法の第3の実施形態の流れ図である。図3に示されているように、図2に示されているダウンリンク情報の処理方法の第2の実施形態に基づき、本実施形態の方法には次のコンテンツをさらに含めることができる。
【０１４６】
301：UEは、アクティブセットのセルとUE間の通信リンクがプリセット通信品質要件を満たしているかどうかをさらに判定する。
【０１４７】
本実施形態では、図2で示された202が行われた後、301がさらに行うことができ、すなわち、UEがアクティブセットのセルとUE間の通信リンクを使用して基地局から送信されるTPCコマンドの処理を停止すること、および／またはUEが通信リンクを使用して基地局から送信されるダウンリンク情報の処理を停止すること後のに、UEはセルに移動することができ、それによって、セルとUE間の通信リンクの信号品質は向上するので、UEはアクティブセットのセルとUE間の通信リンクがプリセット通信品質要件を満たしているかどうかをさらに判定することができ、通信リンクがプリセット通信品質要件を満たしている場合、通信リンクの品質が向上したことを示し、UEはセルから送信される送信電力増大コマンドを送信電力減少コマンドとして誤って解釈はせず、UEが組み合わされたデータ受信で通信リンクを使用して送信されるDPDCHを使用する場合、UEの組み合わされた受信の性能は影響されないか、またはリンクのDPCCH／DPDCHがSIR評価に含まれていない場合、ダウンリンク電力制御は影響されず、または通信リンクがプリセット通信品質要件を満たしていない場合、通信リンクの信号品質が引き続き低品質であることを示し、UEはセルから送信された送信電力増大コマンドを送信電力減少コマンドと誤って解釈し、UEが組み合わされたデータ受信で通信リンクを使用して送信されるDPDCHを使用する場合、UEの組み合わされた受信の性能が影響を受けるか、または通信リンクのDPCCH／DPDCHがSIR評価に含まれる場合、ダウンリンク電力制御が影響を受け、または通信リンクのE-RGCHが相対グラント信号の組み合わせに使用される場合、アップリンクスループットが影響を受け、または通信リンクのE-HICHがACK／NACK／DTX信号の組み合わせで使用される場合、アップリンクスループットが影響を受ける。
【０１４８】
302：アクティブセットのセルとUE間の通信リンクがプリセット通信品質要件を満たす場合、UEは通信リンクを使用して基地局から送信されるTPCコマンドの処理を再開する、および／またはUEは通信リンクを使用して基地局から送信されるDPCCH／DPDCH／F-DPCH／E-RGCH／E-HICHの処理を再開する。
【０１４９】
本実施形態の第1の実現可能な実装方法では、UEがアクティブセットのセルとUE間の通信リンクがプリセット通信品質要件を満たしていると判定する場合、通信リンクの信号品質が向上したことを示し、UEはセルから送信される送信電力増大コマンドを送信電力減少コマンドとして誤って解釈せず、すなわち、UEはセルから送信される送信電力増大コマンドを正しく解釈する。したがって、この場合、UEは通信リンクを使用して基地局から送信されるTPCコマンドの処理を再開することができ、すなわち、UEは、通信リンクが削除されず、セルがアクティブセットに引き続き保持されることに基づき、セルから送信されるTPCコマンドの処理を再開する、すなわち、UEはTPCコマンドを組み合わせるための電力制御アルゴリズムの実行で通信リンクを使用して受信されたTPCコマンドを使用し、それによって、セルがUEに送信電力の増大または減少を要求する場合、UEは時間内に送信電力の増大または減少を行えることを確実にすることができ、UEのアップリンク送信能力を確保する。
【０１５０】
第2の実現可能な実装方法では、UEがアクティブセットのセルとUE間の通信リンクがプリセット通信品質要件を満たしていると判定する場合、通信リンクの信号品質が向上したことを示し、UEは通信リンクを使用して送信されるDPCCH／DPDCH／F-DPCH／E-RGCH／E-HICHの処理を再開する。通信リンクを使用して基地局から送信されるDPCCH／DPDCH／F-DPCH／E-RGCH／E-HICHの処理をUEによって再開することには、通信リンクを使用して基地局から送信されるDPCCH／DPDCH／F-DPCH／E-RGCH／E-HICHの受信のUEによる再開、または通信リンクを使用して基地局から送信されるDPDCHのUEによる受信、および組み合わせ処理でのDPDCHで信号の使用の再開、または通信リンクを使用して基地局から送信されるDPCCH／DPDCH／F-DPCHのUEによる受信、およびSIR評価でのDPCCH／DPDCH／F-DPCHで信号の使用の再開、または通信リンクを使用して送信されるE-RGCHのUEによる受信、および組み合わせ処理でのE-RGCHで相対グラント信号の使用の再開、または通信リンクを使用して送信されるE-RGCHのUEによる受信、およびUEの上位層へのE-RGCHでの相対グラント情報の送信の再開、または通信リンクを使用して送信されるE-HICHのUEによる受信、および組み合わせ処理でのE-HICHでフィードバック信号の使用の再開、または通信リンクを使用して基地局から送信されるE-HICHのUEによる受信、およびUEの上位層へのE-HICHでのフィードバック情報の送信の再開が含まれる。例えば、通信リンクの品質が事前定義のしきい値より大きい場合、UEはチャネルの組み合わされた受信で通信リンクのDPDCHを使用するか、またはSIR評価でDPCCH／DPDCHを使用するか、または相対グラント情報の組み合わせでE-RGCHを使用するか、またはUEの上位層に通信リンクの相対グラントコマンドを送信するか、またはACK／NACK／DTX信号の組み合わせでE-HICHを使用するか、またはUEの上位層に通信リンクのフィードバック情報を送信する。
【０１５１】
本実施形態で言及されたアクティブセットのセルはアクティブセットのマクロセルであるか、またはアクティブセットのマイクロセルである場合があるが、本実施形態に限定されるわけではないことに留意されたい。
【０１５２】
本実施形態で言及されたアクティブセットのセルはアクティブセットのマクロセルであることが好適である。
【０１５３】
本発明の第3の実施形態で提供されるダウンリンク情報の処理方法では、UEがアクティブセットのセルとUE間の通信リンクがプリセット通信品質要件を満たしている場合、UEは通信リンクを使用して基地局から送信されるTPCコマンドの処理を再開でき、それによって、UEは送信電力増大または減少コマンドを正しく解釈でき、送信電力の増大または減少をさらに行い、それによって、UEのアップリンク送信性能を確保する、さらにUEは通信リンクを使用して基地局から送信されるDPCCH／DPDCH／F-DPCH／E-RGCH／E-HICHの処理を再開でき、それによって、UEによって組み合わされたデータ受信の性能を確保し、普通のリンクのダウンリンク電力制御を確保し、UEのアップリンクスループットもさらに確保する。
【０１５４】
図4は、本発明によるダウンリンク情報の処理方法の第4の実施形態の流れ図である。図4に示されているように、本実施形態の方法は次のとおり説明することができる。
【０１５５】
401：UEはTPCコマンドの信号対干渉比（Signal to Interference Ratio、略してSIR）がSIRしきい値未満かどうかを判定し、ここで、TPCコマンドはアクティブセットのセルとUE間の通信リンクを使用して受信され、TPCコマンドのSIRがSIRしきい値未満の場合、UEは通信リンクがプリセット通信品質要件を満たしていないと判定する。
【０１５６】
本実施形態では、UEのサービングセルがマイクロセルの場合、UEはアクティブセットのセルとUE間の通信リンクがプリセット通信品質要件を満たしているかどうかを判定する、すなわち、UEはTPCコマンドのSIRがSIRしきい値未満であるかどうかを判定し、ここで、TPCコマンドはアクティブセットのセルとUE間の通信リンクを使用して受信され、SIRしきい値はプリセットされる、そしてUEがTPCコマンドのSIRがSIRしきい値以上であると判定する場合、通信リンクはプリセット通信品質要件を満たしていることを示す、すなわち、通信リンクの信号品質が高品質であることを示し、UEはセルから送信される送信電力増大コマンドを送信電力減少コマンドとして誤って解釈はせず、UEが組み合わされたデータ受信で通信リンクを使用して送信されるDPDCHを使用する場合、UEの組み合わされた受信の性能が影響を受けるか、またはリンクのDPCCH／DPDCH／F-DPCHがSIR評価に含まれる場合、ダウンリンク電力制御が影響を受ける、またはUEがTPCコマンドのSIRがSIRしきい値未満であると判定する場合、通信リンクがプリセット通信品質要件を満たしていないことを示す、すなわち、通信リンクの信号品質が低品質であり、UEはセルから送信された送信電力増大コマンドを送信電力減少コマンドと誤って解釈し、UEが組み合わされたデータ受信で通信リンクを使用して送信されるDPDCHを使用する場合、UEの組み合わされた受信の性能が影響を受けないか、またはリンクのDPCCH／DPDCH／F-DPCHがSIR評価に含まれる場合、ダウンリンク電力制御が影響を受け、または通信リンクのE-RGCHが相対グラント情報の組み合わせに使用される場合、アップリンクスループットが影響を受け、または通信リンクのE-HICHがACK／NACK／DTX信号の組み合わせで使用される場合、アップリンクスループットが影響を受け、それから402を行うことができる。
【０１５７】
402：UEは通信リンクを使用して基地局から送信されるTPCコマンドの処理を停止する、および／またはUEは通信リンクを使用して基地局から送信されるDPCCH／DPDCH／F-DPCH／E-RGCH／E-HICHの処理を停止する。
【０１５８】
本実施形態では、402の特定の実装プロセスが図2で示されたダウンリンク情報の処理方法の実施形態での202の特定の実装プロセスに類似しており、詳細なプロセスについて202の記録を参照することができ、本実施形態ではさらに説明されていない。
【０１５９】
さらに、本実施形態の方法には次をさらに含めることができる。
【０１６０】
403：UEはTPCコマンドのSIRがSIRしきい値未満であるかどうかをさらに判定し、TPCコマンドのSIRがSIRしきい値以上の場合、UEは通信リンクがプリセット通信品質要件を満たしていると判定する。
【０１６１】
本実施形態では、UEがTPCコマンドのSIRがSIRしきい値未満であることを判定し、UEが通信リンクを使用して基地局から送信される送信電力制御（TPC）コマンドの処理を停止する、および／またはUEが通信リンクを使用して基地局から送信されるDPCCH／DPDCH／F-DPCH／E-RGCH／E-HICHの処理を停止した後、UEはセルに移動することができ、それによって、セルとUE間の通信リンクの信号品質が向上し、UEは通信リンクがプリセット通信品質要件を満たしているかどうかを判定する、すなわち、UEは通信リンクを使用して受信されたTPCコマンドのSIRがSIRしきい値未満かどうかを判定し、TPCコマンドのSIRがSIRしきい値未満の場合、通信リンクはプリセット通信品質要件を満たしておらず、すなわち、通信リンクの信号品質が低品質であることを示し、UEはセルから送信される送信電力増大コマンドを送信電力減少コマンドとして誤って解釈し、UEが組み合わされたデータ受信で通信リンクを使用して送信されるDPDCHを使用する場合、UEの組み合わされた受信の性能が影響を受けるか、またはリンクのDPCCH／DPDCH／F-DPCHがSIR評価に含まれる場合、ダウンリンク電力制御が影響を受ける、またはTPCコマンドのSIRがSIRしきい値以上である場合、通信リンクがプリセット通信品質要件を満たしていることを示す、すなわち、通信リンクの信号品質が向上し、UEはセルから送信された送信電力増大コマンドを送信電力減少コマンドと誤って解釈せず、UEが組み合わされたデータ受信で通信リンクを使用して送信されるDPDCHを使用する場合、UEの組み合わされた受信の性能が影響を受けるか、または通信リンクのDPCCH／DPDCH／F-DPCHがSIR評価に含まれる場合、ダウンリンク電力制御は影響を受けず、または通信リンクのE-RGCHが相対グラント情報の組み合わせに使用される場合、アップリンクスループットは影響を受けず、または通信リンクのE-HICHがACK／NACK／DTX信号の組み合わせで使用される場合、アップリンクスループットは影響を受けず、それから304を行うことができる。SIRしきい値はUEによってプリセットすることができるか、またはUEへ無線ネットワーク制御装置（Radio Network Controller、略してRNC）によって提供することができるが、本実施形態に限定されるわけではないことに留意されたい。
【０１６２】
404：UEは通信リンクを使用して基地局から送信されるTPCコマンドの処理を再開する、および／またはUEは通信リンクを使用して基地局から送信されるDPCCH／DPDCH／F-DPCH／E-RGCH／E-HICHの処理を再開する。
【０１６３】
本実施形態では、404の特定の実装プロセスが図3で示されたダウンリンク情報の処理方法の実施形態の302の特定の実装プロセスと類似しており、詳細なプロセスについては302の記録を参照することができ、本実施形態ではさらに説明されていない。
【０１６４】
本実施形態で言及されたアクティブセットのセルはアクティブセットのマクロセルであるか、またはアクティブセットのマイクロセルである場合があるが、本実施形態に限定されるわけではないことに留意されたい。
【０１６５】
本実施形態で言及されたアクティブセットのセルはアクティブセットのマクロセルであることが好適である。
【０１６６】
本発明の第4の実施形態で提供されたダウンリンク情報の処理方法では、UEがTPCコマンドのSIRがSIRしきい値未満であると判定する場合、UEはアクティブセットのセルとUE間の通信リンクを使用して基地局から送信されるTPCコマンドの処理を停止する、および／または通信リンクを使用して基地局から送信されるDPCCH／DPDCH／F-DPCH／E-RGCH／E-HICHの処理を停止し、それから、UEがTPCコマンドのSIRがSIRしきい値以上であると判定する場合、UEは通信リンクを使用して基地局から送信されるTPCコマンドの処理を再開する、および／または通信リンクを使用して基地局から送信されるDPCCH／DPDCH／F-DPCH／E-RGCH／E-HICHの処理を再開し、それによって、UEは送信電力増大コマンドを送信電力減少コマンドとして誤って解釈せず、さらにUEのアップリンク送信能力も影響を受けず、UEによる組み合わされたデータ受信の性能も影響を受けず、ダウンリンク干渉も増大せず、アップリンクスループットにも影響しない。
【０１６７】
図5は、本発明によるダウンリンク情報の処理方法の第5の実施形態の流れ図である。図5に示されているように、本実施形態の方法は次のとおり説明することができる。
【０１６８】
501：UEはアクティブセットのセルとUE間の通信リンクがダウンリンク同期外れ状態にあるかどうかを判定し、アクティブセットのセルとUE間の通信リンクがダウンリンク同期外れ状態の場合、UEは通信リンクがプリセット通信品質要件を満たしていないと判定する。
【０１６９】
本実施形態では、UEのサービングセルがマイクロセルの場合、UEはアクティブセットのセルとUE間の通信リンクがプリセット通信品質要件を満たしているかどうかを判定する、すなわち、UEは、セルとUE間の通信リンクがダウンリンク同期外れ状態にあるかどうかに従って、セルとUE間の通信リンクがプリセット通信品質要件を満たしているかどうかを判定し、UEは通信リンクがダウンリンク同期外れ状態であると判定する場合、通信リンクがプリセット通信品質要件を満たしていないこと、すなわち、通信リンクの信号品質が低品質であることを示し、UEは送信電力増大コマンドを送信電力減少コマンドとして誤って解釈し、UEが組み合わされたデータ受信で通信リンクを使用することによって送信されたDPDCHを使用する場合、UEの組み合わされた受信の性能が影響を受け、または通信リンクのDPCCH／DPDCH／F-DPCHがSIR評価に含まれる場合、ダウンリンク電力制御が影響を受け、または通信リンクのE-RGCHが相対グラント情報の組み合わせで使用される場合、アップリンクスループットが影響を受け、または通信リンクのE-HICHがACK／NACK／DTX信号の組み合わせで使用される場合、アップリンクスループットが影響を受け、それから502を行うことができる。通信リンクがダウンリンク同期外れ状態にあるかどうかのUEによる判定は従来技術と一致しており、詳細は本実施形態では説明されないことに留意されたい。
【０１７０】
502：UEは通信リンクを使用して基地局から送信されるTPCコマンドの処理を停止する、および／またはUEは通信リンクを使用して基地局から送信されるDPCCH／DPDCH／F-DPCH／E-RGCH／E-HICHの処理を停止する。
【０１７１】
本実施形態では、502の特定の実装プロセスが図2で示されたダウンリンク情報の処理方法の実施形態での202の特定の実装プロセスに類似しており、詳細なプロセスについて202の記録を参照することができ、本実施形態ではさらに説明されていない。
【０１７２】
さらに、本実施形態の方法には次をさらに含めることができる。
【０１７３】
503：UEはセルとUE間の通信リンクがダウンリンク同期状態にあるかどうかをさらに判定し、アクティブセットのセルとUE間の通信リンクがダウンリンク同期状態の場合、UEは通信リンクがプリセット通信品質要件を満たしていると判定する。
【０１７４】
本実施形態では、UEが通信リンクがダウンリンク同期外れ状態にあると判定し、UEが通信リンクを使用して基地局から送信される送信電力制御（TPC）コマンドの処理を停止する、および／またはUEが通信リンクを使用して基地局から送信されるDPCCH／DPDCH／F-DPCH／E-RGCH／E-HICHの処理を停止した後、UEはセルに移動することができ、それによって、セルとUE間の通信リンクの信号品質が向上し、UEは通信リンクがプリセット通信品質要件を満たしているかどうかを判定する、すなわち、UEは通信リンクがダウンリンク同期状態にあるかどうかを判定し、通信リンクがダウンリンク同期状態にある場合、通信リンクがプリセット通信品質要件を満たしていることを示す、すなわち、通信リンクの信号品質が向上し、UEはセルから送信された送信電力増大コマンドを送信電力減少コマンドと誤って解釈せず、UEが組み合わされたデータ受信で通信リンクを使用して送信されるDPDCHを使用する場合、UEの組み合わされた受信の性能が影響を受けないか、またはリンクのDPCCH／DPDCH／F-DPCHがSIR評価に含まれる場合、ダウンリンク電力制御は影響を受けず、または通信リンクのE-RGCHが相対グラント情報の組み合わせに使用される場合、アップリンクスループットは影響を受けず、または通信リンクのE-HICHがACK／NACK／DTX信号の組み合わせで使用される場合、アップリンクスループットは影響を受けず、それから504を行うことができる。
【０１７５】
504：UEは通信リンクを使用して基地局から送信されるTPCコマンドの処理を再開する、および／またはUEは通信リンクを使用して基地局から送信されるDPCCH／DPDCH／F-DPCH／E-RGCH／E-HICHの処理を再開する。
【０１７６】
本実施形態では、504の特定の実装プロセスが図3で示されたダウンリンク情報の処理方法の実施形態の302の特定の実装プロセスと類似しており、詳細なプロセスについては302の記録を参照することができ、本実施形態ではさらに説明されていない。
【０１７７】
本実施形態で言及されたアクティブセットのセルはアクティブセットのマクロセルであるか、またはアクティブセットのマイクロセルである場合があるが、本実施形態に限定されるわけではないことに留意されたい。
【０１７８】
本実施形態で言及されたアクティブセットのセルはアクティブセットのマクロセルであることが好適である。
【０１７９】
本発明の第5の実施形態で提供されたダウンリンク情報の処理方法では、UEがアクティブセットのセルとUE間の通信リンクがダウンリンク同期外れ状態にあると判定する場合、UEは通信リンクを使用して基地局から送信されるTPCコマンドの処理を停止する、および／または通信リンクを使用して基地局から送信されるDPCCH／DPDCH／F-DPCH／E-RGCH／E-HICHの処理を停止し、さらに、UEが通信リンクがダウンリンク同期状態にあると判定する場合、UEは通信リンクを使用して基地局から送信されるTPCコマンドの処理を再開する、および／または通信リンクを使用して基地局から送信されるDPCCH／DPDCH／F-DPCH／E-RGCH／E-HICHの処理を再開し、それによって、UEは送信電力増大コマンドを送信電力減少コマンドとして誤って解釈せず、さらにUEのアップリンク送信能力も影響を受けず、UEによる組み合わされたデータ受信の性能も影響を受けず、ダウンリンク干渉も増大せず、アップリンクスループットにも影響しない。
【０１８０】
図6は、本発明によるダウンリンク情報の処理方法の第6の実施形態の流れ図である。図6に示されているように、本実施形態の方法は次のとおり説明することができる。
【０１８１】
601：UEはアクティブセットのセルが1Bイベントを満たすかどうかを判定し、セルが1Bイベントを満たす場合、UEはセルとUE間の通信リンクがプリセット通信品質要件を満たしていないと判定する。
【０１８２】
本実施形態では、UEのサービングセルがマイクロセルの場合、UEはアクティブセットのセルとUE間の通信リンクがプリセット通信品質要件を満たしているかどうかを判定する、すなわち、UEは、1Bイベントがセルで発生するかどうかに従って、セルとUE間の通信リンクがプリセット通信品質要件を満たしているかどうかを判定し、UEはセルが1Bイベントを満たしていると判定する場合、通信リンクがプリセット通信品質要件を満たしていないこと、すなわち、通信リンクの信号品質が低品質であることを示し、UEは送信電力増大コマンドを送信電力減少コマンドとして誤って解釈し、UEが組み合わされたデータ受信で通信リンクを使用することによって送信されたDPDCHを使用する場合、UEの組み合わされた受信の性能が影響を受け、または通信リンクのDPCCH／DPDCH／F-DPCHがSIR評価に含まれる場合、ダウンリンク電力制御が影響を受け、または通信リンクのE-RGCHが相対グラント情報の組み合わせで使用される場合、アップリンクスループットが影響を受け、または通信リンクのE-HICHがACK／NACK／DTX信号の組み合わせで使用される場合、アップリンクスループットが影響を受け、それから602を行うことができ、そうではない場合、手順は終了する。1Bイベントは従来技術と一致しており、本実施形態では詳細に説明されていないことに留意されたい。
【０１８３】
さらに、セルが1Bイベントを満たしていると判定した後、UEは通信リンクがダウンリンク同期外れ状態かどうかをさらに判定することができ、通信リンクがダウンリンク同期外れ状態にない場合、通信リンクがプリセット通信品質要件を満たしている、すなわち、通信リンクの信号品質が高品質であること示す、または通信リンクがダウンリンク同期外れ状態にある場合、通信リンクがプリセット通信品質要件を満たしていない、すなわち、通信リンクの信号品質が低品質であることを示し、それから602を行うことができる。
【０１８４】
さらに、セルが1Bイベントを満たしているとの判定後、UEはセルとUE間の通信リンクのDPCCH／DPDCH／F-DPCH／E-RGCH／E-HICHの信号品質がしきい値未満かどうかをさらに判定することができるか、またはUEはセルとUE間の通信リンクのDPCCH／DPDCH／F-DPCH／E-RGCH／E-HICHの信号品質と参照通信リンク（例えば、UEのサービングセルとUE間の通信リンク）のDPCCH／DPDCH／F-DPCH／E-RGCH／E-HICHの信号品質の違いがしきい値未満であることをさらに判定することができ、しきい値未満の場合、セルとUE間の通信リンクがプリセット通信品質要件を満たしていないことを示す。
【０１８５】
場合により、アクティブセットのセルが1Bイベントを満たしていると判定した後、UEのワイヤレスリンク制御プロトコル（無線リソース制御、略してRRC）層は物理層にセルとUE間の通信リンクの信号処理を停止するように指令する。例えば、UEのRRC層は通信リンクの削除または一時停止の指摘プリミティブを物理層に送信し、物理層は通信リンクを開放または一時停止するか、またはRRC層は物理層に、通信リンクの信号処理の不実行または一時停止を指令するために変数を設定する。
【０１８６】
602：UEは通信リンクを使用して基地局から送信されるTPCコマンドの処理を停止する、および／またはUEは通信リンクを使用して基地局から送信されるDPCCH／DPDCH／F-DPCH／E-RGCH／E-HICHの処理を停止する。
【０１８７】
本実施形態では、602の特定の実装プロセスが図2で示されたダウンリンク情報の処理方法の実施形態での202の特定の実装プロセスに類似しており、詳細なプロセスについて202の記録を参照することができ、本実施形態ではさらに説明されていない。
【０１８８】
さらに、本実施形態の方法には次をさらに含めることができる。
【０１８９】
603：UEはセルが1Aイベントを満たすかどうかを判定し、セルが1Aイベントを満たす場合、UEは通信リンクがプリセット通信品質要件を満たしていると判定する。
【０１９０】
本実施形態では、UEが、セルが1Aイベントを満たしていると判定し、UEが通信リンクを使用して基地局から送信される送信電力制御（TPC）コマンドの処理を停止する、および／またはUEが通信リンクを使用して基地局から送信されるDPCCH／DPDCH／F-DPCH／E-RGCH／E-HICHの処理を停止した後、UEはセルに移動することができ、それによって、セルとUE間の通信リンクの信号品質が向上し、UEは通信リンクがプリセット通信品質要件を満たしているかどうかを判定する、すなわち、UEはセルが1Aイベントを満たしているかどうかを判定し、セルが1Aイベントを満たしている場合、通信リンクがプリセット通信品質要件を満たしていることを示す、すなわち、通信リンクの信号品質が向上し、UEはセルから送信された送信電力増大コマンドを送信電力減少コマンドと誤って解釈せず、UEが組み合わされたデータ受信で通信リンクを使用して送信されるDPDCHを使用する場合、UEの組み合わされた受信の性能が影響を受けないか、またはリンクのDPCCH／DPDCH／F-DPCHがSIR評価に含まれる場合、ダウンリンク電力制御は影響を受けず、または通信リンクのE-RGCHが相対グラント情報の組み合わせに使用される場合、アップリンクスループットは影響を受けず、または通信リンクのE-HICHがACK／NACK／DTX信号の組み合わせで使用される場合、アップリンクスループットは影響を受けず、それから604を行うことができ、そうではない場合、手順は終了する。
【０１９１】
さらに、セルが1Aイベントを満たしていると判定した後、UEは通信リンクがダウンリンク同期状態かどうかをさらに判定することができ、通信リンクがダウンリンク同期状態にない場合、通信リンクが引き続きプリセット通信品質要件を満たしていない、すなわち、通信リンクの信号品質が引き続き高品質であること示す、または通信リンクがダウンリンク同期状態にある場合、通信リンクがプリセット通信品質要件を満たしている、すなわち、通信リンクの信号品質が高品質であることを示し、それから604を行うことができる。
【０１９２】
さらに、セルが1Aイベントを満たしているとの判定後、UEはセルとUE間の通信リンクのDPCCH／DPDCH／F-DPCH／E-RGCH／E-HICHの信号品質がしきい値より大きいかどうかをさらに判定することができるか、またはUEはセルとUE間の通信リンクのDPCCH／DPDCH／F-DPCH／E-RGCH／E-HICHの信号品質と参照通信リンク（例えば、UEのサービングセルとUE間の通信リンク）のDPCCH／DPDCH／F-DPCH／E-RGCH／E-HICHの信号品質の違いがしきい値より大きいことをさらに判定することができ、しきい値より大きい場合、通信リンクがプリセット通信品質要件を満たしていないことを示す。
【０１９３】
場合により、アクティブセットのセルが1Aイベントを満たしていると判定した後、UEのRRC層は物理層にセルとUE間の通信リンクの信号処理を再開するように指令する。例えば、UEのRRC層は通信リンクの確立または再開の指摘プリミティブを物理層に送信し、物理層は通信リンクを確立または再開するか、またはRRC層は物理層に、通信リンクの信号処理の処理を指令するために変数を設定する。
【０１９４】
さらに、UEはプリミティブまたは変数の指摘に従って、通信リンクの同期プロセスBを実行することができ、ここで、同期プロセスはUEがネットワークにより構成されたタイミングオフセット情報に従ってダウンリンク同期状態の検出を行い、DPCCHの品質またはTPCコマンドの品質がしきい値より大きいと判定される場合、同期が上位層にレポートされるか、またはDPCCHの品質またはTPCコマンドの品質がしきい値未満と判定される場合、同期外れが上位層にレポートされる。
【０１９５】
604：UEは通信リンクを使用して基地局から送信されるTPCコマンドの処理を再開する、および／またはUEは通信リンクを使用して基地局から送信されるDPCCH／DPDCH／F-DPCH／E-RGCH／E-HICHの処理を再開する。
【０１９６】
本実施形態では、604の特定の実装プロセスが図3で示されたダウンリンク情報の処理方法の実施形態の302の特定の実装プロセスと類似しており、詳細なプロセスについては302の記録を参照することができ、本実施形態ではさらに説明されていない。
【０１９７】
本実施形態で言及されたアクティブセットのセルはアクティブセットのマクロセルであるか、またはアクティブセットのマイクロセルである場合があるが、本実施形態に限定されるわけではないことに留意されたい。
【０１９８】
本実施形態で言及されたアクティブセットのセルはアクティブセットのマクロセルであることが好適である。
【０１９９】
本発明の第6の実施形態で提供されたダウンリンク情報の処理方法では、UEが1Bイベントがアクティブセットのセルで発生したことを判定し、通信リンクがダウンリンク同期外れ状態にあるとさらに判定する場合、UEは通信リンクを使用して基地局から送信されるTPCコマンドの処理を停止する、および／または通信リンクを使用して基地局から送信されるDPCCH／DPDCH／F-DPCH／E-RGCH／E-HICHの処理を停止し、それから、UEが1Aイベントがセルで発生したことを判定し、通信リンクがダウンリンク同期状態にあるとさらに判定する場合、UEは通信リンクを使用して基地局から送信されるTPCコマンドの処理を再開する、および／または通信リンクを使用して基地局から送信されるDPCCH／DPDCH／F-DPCH／E-RGCH／E-HICHの処理を再開し、それによって、UEは送信電力増大コマンドを送信電力減少コマンドとして誤って解釈せず、さらにUEのアップリンク送信能力も影響を受けず、UEによる組み合わされたデータ受信の性能も影響を受けず、ダウンリンク電力制御も影響されず、アップリンクスループットにも影響しない。
【０２００】
図7は、本発明によるダウンリンク情報の処理方法の第7の実施形態の流れ図である。図7に示されているように、本実施形態の方法は次のとおり説明することができる。
【０２０１】
701：UEはアクティブセットのセルのCPICHの品質および／またはDPCCH／DPDCH／F-DPCH／E-RGCH／E-HICHの品質がプリセットしきい値未満であるかどうかを判定し、セルのCPICHの品質および／またはDPCCH／DPDCH／F-DPCH／E-RGCH／E-HICHの品質がプリセットしきい値未満の場合、UEは通信リンクがプリセット通信品質要件を満たしていないと判定する。
【０２０２】
本実施形態では、UEのサービングセルがマイクロセルの場合、UEはアクティブセットのセルとUE間の通信リンクがプリセット通信品質要件を満たしているかどうかを判定する、すなわち、UEは、セルのCPICHの品質および／またはDPCCH／DPDCH／F-DPCH／E-RGCH／E-HICHの品質がプリセットしきい値未満であるかどうかに従って、セルとUE間の通信リンクがプリセット通信品質要件を満たしているかどうかを判定する、ここで、様々なチャネルに対して、プリセットしきい値は対応するチャネル用であることに留意されたい。そして、UEは、セルのCPICHの品質および／またはDPCCH／DPDCH／F-DPCH／E-RGCH／E-HICHの品質がプリセットしきい値未満であると判定する場合、通信リンクがプリセット通信品質要件を満たしていないこと、すなわち、通信リンクの信号品質が低品質であることを示し、UEは送信電力増大コマンドを送信電力減少コマンドとして誤って解釈し、UEが組み合わされたデータ受信で通信リンクを使用することによって送信されたDPDCHを使用する場合、UEの組み合わされた受信の性能が影響を受け、または通信リンクのDPCCH／DPDCH／F-DPCHがSIR評価に含まれる場合、ダウンリンク電力制御が影響を受け、または通信リンクのE-RGCHが相対グラント情報の組み合わせで使用される場合、アップリンクスループットが影響を受け、または通信リンクのE-HICHがACK／NACK／DTX信号の組み合わせで使用される場合、アップリンクスループットが影響を受け、それから702を行うことができる。F-DPCHはF（フラクショナル）専用物理チャネル（Dedicated Physical Channel、略してDPCH）を表している。
【０２０３】
場合により、通信リンクのCPICHの信号品質がしきい値未満であることが判定された後、UEのRRC層は物理層に通信リンクの信号処理の停止を指令する。例えば、UEのRRC層は通信リンクの削除または一時停止の指摘プリミティブを物理層に送信し、物理層は通信リンクを開放または一時停止するか、またはRRC層は物理層に変数を設定するか、物理層に指摘プリミティブを送信して、通信リンクの信号処理の不実行または一時停止を指令するか、物理層にパイロット信号の品質がしきい値未満であることを示す。
【０２０４】
場合により、RRCから受信される指摘プリミティブに従い、または物理層がCPICHの信号品質がしきい値未満でDPCCH／DPDCH／F-DPCH／E-RGCH／E-HICHのチャネルがしきい値未満であると判定する場合、UEの物理層はチャネルのダウンリンクを処理しない、または一時停止する。
【０２０５】
702：UEは通信リンクを使用して基地局から送信されるTPCコマンドの処理を停止する、および／またはUEは通信リンクを使用して基地局から送信されるDPCCH／DPDCH／F-DPCH／E-RGCH／E-HICHの処理を停止する。
【０２０６】
本実施形態では、702の特定の実装プロセスが図2で示されたダウンリンク情報の処理方法の実施形態での202の特定の実装プロセスに類似しており、詳細なプロセスについて202の記録を参照することができ、本実施形態ではさらに説明されていない。
【０２０７】
さらに、本実施形態の方法には次をさらに含めることができる。
【０２０８】
703：UEはセルのCPICHの品質および／またはDPCCH／DPDCH／F-DPCH／E-RGCH／E-HICHの品質がプリセットしきい値未満であるかどうかをさらに判定し、セルのCPICHの品質および／またはDPCCH／DPDCH／F-DPCH／E-RGCH／E-HICHの品質がプリセットしきい値以上の場合、UEは通信リンクがプリセット通信品質要件を満たしていると判定する。
【０２０９】
本実施形態では、UEがセルのCPICHの品質および／またはDPCCH／DPDCH／F-DPCH／E-RGCH／E-HICHの品質がプリセットしきい値未満と判定し、UEが通信リンクを使用して基地局から送信される送信電力制御（TPC）コマンドの処理を停止する、および／またはUEが通信リンクを使用して基地局から送信されるDPCCH／DPDCH／F-DPCH／E-RGCH／E-HICHの処理を停止した後、UEはセルに移動することができ、それによって、セルとUE間の通信リンクの信号品質が向上し、UEは通信リンクがプリセット通信品質要件を満たしているかどうかを判定する、すなわち、UEはセルのCPICHの品質および／またはDPCCH／DPDCH／F-DPCH／E-RGCH／E-HICHの品質がプリセットしきい値未満であるかどうかを判定し、セルのCPICHの品質および／またはDPCCH／DPDCH／F-DPCH／E-RGCH／E-HICHの品質がプリセットしきい値以上の場合、通信リンクがプリセット通信品質要件を満たしていることを示す、すなわち、通信リンクの信号品質が向上し、UEはセルから送信された送信電力増大コマンドを送信電力減少コマンドと誤って解釈せず、UEが組み合わされたデータ受信で通信リンクを使用して送信されるDPDCHを使用する場合、UEの組み合わされた受信の性能が影響を受けないか、または通信リンクのDPCCH／DPDCH／F-DPCHがSIR評価に含まれる場合、ダウンリンク電力制御は影響を受けず、または通信リンクのE-RGCHが相対グラント情報の組み合わせに使用される場合、アップリンクスループットは影響を受けず、または通信リンクのE-HICHがACK／NACK／DTX信号の組み合わせで使用される場合、アップリンクスループットは影響を受けず、それから704を行うことができる。
【０２１０】
場合により、通信リンクのCPICHの信号品質がしきい値より大きいことが判定された後、UEのRRC層は物理層に通信リンクの信号処理の再開を指令する。例えば、UEのRRC層は通信リンクの確立または再開の指摘プリミティブを物理層に送信し、物理層は通信リンクを確立または再開するか、またはRRC層は物理層に変数を設定するか、物理層に指摘プリミティブを送信して、通信リンクの信号処理の再開を指令するか、物理層にパイロット信号の品質がしきい値より大きいことを示す。
【０２１１】
場合により、RRCから受信される指摘プリミティブに従い、または物理層がCPICHの信号品質がしきい値より大きく、DPCCH／DPDCH／F-DPCH／E-RGCH／E-HICHのチャネルがしきい値より大きいと判定する場合、UEの物理層はチャネルのダウンリンクを処理する。
【０２１２】
さらに、UEはプリミティブまたは変数の指摘に従って、リンクの同期プロセスBを実行することができ、ここで、同期プロセスはUEがネットワークにより構成されたタイミングオフセット情報に従ってダウンリンク同期状態の検出を行い、DPCCHの品質またはTPCコマンドの品質がしきい値より大きいと判定される場合、同期が上位層にレポートされるか、またはDPCCHの品質またはTPCコマンドの品質がしきい値未満と判定される場合、同期外れが上位層にレポートされる。
【０２１３】
704：UEは通信リンクを使用して基地局から送信されるTPCコマンドの処理を再開する、および／またはUEは通信リンクを使用して基地局から送信されるDPCCH／DPDCH／F-DPCH／E-RGCH／E-HICHの処理を再開する。
【０２１４】
本実施形態では、704の特定の実装プロセスが図3で示されたダウンリンク情報の処理方法の実施形態の302の特定の実装プロセスと類似しており、詳細なプロセスについては302の記録を参照することができ、本実施形態ではさらに説明されていない。
【０２１５】
場合により、CPICHの品質のプリセットしきい値および／またはDPCCH／DPDCH／F-DPCH／E-RGCH／E-HICHの品質のプリセットしきい値はUEのネットワークによって構成することができるか、または事前にUEによって合意することができる。
【０２１６】
本実施形態で言及されたアクティブセットのセルはアクティブセットのマクロセルであるか、またはアクティブセットのマイクロセルである場合があるが、本実施形態に限定されるわけではないことに留意されたい。
【０２１７】
本実施形態で言及されたアクティブセットのセルはアクティブセットのマクロセルであることが好適である。
【０２１８】
本発明の第7の実施形態で提供されたダウンリンク情報の処理方法では、UEがセルのCPICHの品質および／またはDPCCH／DPDCH／F-DPCH／E-RGCH／E-HICHの品質がプリセットしきい値未満であると判定する場合、UEは通信リンクを使用して基地局から送信されるTPCコマンドの処理を停止する、および／または通信リンクを使用して基地局から送信されるDPCCH／DPDCH／F-DPCH／E-RGCH／E-HICHの処理を停止し、さらに、UEがセルのCPICHの品質および／またはDPCCH／DPDCH／F-DPCH／E-RGCH／E-HICHの品質がプリセットしきい値以上であると判定する場合、UEは通信リンクを使用して基地局から送信されるTPCコマンドの処理を再開する、および／または通信リンクを使用して基地局から送信されるDPCCH／DPDCH／F-DPCH／E-RGCH／E-HICHの処理を再開し、それによって、UEは送信電力増大コマンドを送信電力減少コマンドとして誤って解釈せず、さらにUEのアップリンク送信能力も影響を受けず、UEによる組み合わされたデータ受信の性能も影響を受けず、ダウンリンク電力制御も影響されず、アップリンクスループットにも影響しない。
【０２１９】
本発明によるダウンリンク情報の処理方法の実施形態によると、UEはネットワーク側デバイスから送信された停止指摘情報を受信し、ここで、停止指摘情報はUEにアクティブセットのセルとUE間の通信リンクを使用して基地局から送信されるダウンリンク情報の処理を停止するように指令するために使用され、UEは通信リンクを使用して基地局から送信されるダウンリンク情報の処理を停止指摘情報に従って停止する。
【０２２０】
本実施形態では、UEは、通信リンクを使用して基地局から送信されるダウンリンク情報の処理を、ネットワーク側デバイスから送信される停止指摘情報に従って停止する。したがって、UEはダウンリンク情報によって影響を受けず、さらにUEの送信性能にも影響しない。
【０２２１】
場合により、ネットワーク側デバイスから送信される停止指摘情報のUEによる受信には、基地局から送信される停止指摘情報をUEによって受信することが含まれる。具体的には、基地局はアクティブセットのセルとUE間の通信リンクがプリセット通信品質要件を満たしているかどうかを判定することができ、例えば、基地局は通信リンクのDPCCHの品質がプリセットしきい値未満であるかどうかを判定でき、通信リンクのDPCCHの品質がプリセットしきい値以上である場合、基地局は通信リンクがプリセット通信品質要件を満たしていると判定することができ、または通信リンクのDPCCHの品質がプリセットしきい値未満である場合、基地局は通信リンクがプリセット通信品質要件を満たしていないと判定することができ、基地局はUEに停止指摘情報を送信し、ここで基地局から送信される停止指摘情報は物理層命令である。
【０２２２】
場合により、ネットワーク側デバイスから送信される停止指摘情報のUEによる受信には、RNCにより送信される停止指摘情報をUEによって受信することが含まれる。具体的には、RNCはアクティブセットのセルとUE間の通信リンクがプリセット通信品質要件を満たしているかどうかを判定することができ、アクティブセットのセルとUE間の通信リンクがプリセット通信品質要件を満たしていない場合、RNCは通信リンクがプリセット通信品質要件を満たしていると判定することができ、またはアクティブセットのセルとUE間の通信リンクがプリセット通信品質要件を満たしている場合、RNCは通信リンクがプリセット通信品質要件を満たしていないと判定することができ、UEに停止指摘情報を送信する、ここで、基地局から送信される停止指摘情報はRRC層命令またはMAC層命令で、MAC層命令はデータパケットで実行されるMAC層命令とすることができる。停止指摘情報がRRC層命令の場合、UEのRRC層は停止指摘情報を受信することができ、それからUEのRRC層は、ダウンリンク情報の処理をUEの物理層を使用して停止する。停止指摘情報がMAC層命令の場合、UEのMAC層は停止指摘情報を受信することができ、それからUEのMAC層は、ダウンリンク情報の処理をUEの物理層を使用して停止する。場合により、通信リンクの1Bイベントを受信するか、または通信リンクの信号品質がしきい値未満と判定する場合、RNCは通信リンクがプリセット通信品質要件を満たしていないと判定し、それから、UEに通信リンクの処理の停止を指令するためにUEに命令を送信することができる、および通信リンクの1Aイベントを受信するか、または通信リンクの信号品質がしきい値より大きいと判定する場合、RNCは通信リンクがプリセット通信品質要件を満たしていると判定し、それから、UEに通信リンクの処理の再開を指令するためにUEに命令を送信することができる。
【０２２３】
場合により、通信リンクを使用して基地局から送信されるダウンリンク情報の処理を停止指摘情報に従ってUEにより停止した後、本方法は、ネットワーク側デバイスから送信される再開指摘情報をUEにより受信すること、ここで、再開指摘情報はUEに通信リンクを使用して基地局から送信されるダウンリンク情報の処理の再開を指令するために使用され、および通信リンクを使用して基地局から送信されるダウンリンク情報の処理を再開指摘情報に従ってUEにより再開することをさらに含んでいる。特定の実装プロセスについては本実施形態の前述の関連記録を参照することができ、本明細書ではさらに説明されていない。
【０２２４】
場合により、通信リンクを使用して基地局から送信されるダウンリンク情報の処理のUEによる停止には、通信リンクを使用して基地局から送信される送信電力制御（TPC）コマンドの処理をUEによって停止すること、および／または通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理をUEによって停止することが含まれる。場合により、通信リンクを使用して基地局から送信されるDPCCH／DPDCH／F-DPCH／E-RGCH／E-HICHの処理をUEによって停止することには、通信リンクを使用して基地局から送信されるDPCCH／DPDCH／F-DPCH／E-RGCH／E-HICHの受信のUEによる停止、または通信リンクを使用して基地局から送信されるDPDCHのUEによる受信、および組み合わせ処理でのDPDCHで信号の使用の停止、または通信リンクを使用して基地局から送信されるDPCCH／DPDCH／F-DPCHのUEによる受信、および信号対干渉比（SIR）評価でのDPCCH／DPDCH／F-DPCHで信号の使用の停止、または通信リンクを使用して基地局から送信されるE-RGCHのUEによる受信、および組み合わせ処理でのE-RGCHで相対グラント信号の使用の停止、または通信リンクを使用して基地局から送信されるE-RGCHのUEによる受信、およびUEの上位層へのE-RGCHでの相対グラント情報の送信の停止、または通信リンクを使用して基地局から送信されるE-HICHのUEによる受信、および組み合わせ処理でのE-HICHでフィードバック信号の使用の停止、または通信リンクを使用して基地局から送信されるE-HICHのUEによる受信、およびUEの上位層へのE-HICHでのフィードバック情報の送信の停止が含まれる。特定の実装プロセスについては本発明による方法の第2の実施形態の関連記録を参照することができ、本明細書ではさらに説明されていない。
【０２２５】
場合により、ネットワーク側デバイスから送信された停止指摘情報のUEによる受信の前に、本方法は、ネットワーク側デバイスに能力指摘情報をUEによって送信することがさらに含まれ、ここで、能力指摘情報はUEがダウンリンク情報の処理の停止および／またはダウンリンク情報の処理の再開の能力を有することを示すために使用される。したがって、UEに停止指摘情報または再開指摘情報を提供する前に、ネットワーク側デバイスは、UEが停止指摘情報によって示される動作をサポートする能力を有していること、および／またはUEが再開指摘情報によって示される動作をサポートする能力を有していることを、UEによってレポートされる能力指摘情報に従って習得することができ、それからネットワーク側デバイスはUEに停止指摘情報または再開指摘情報を提供する。例えば、UEが当該能力をサポートする場合、通信リンクの品質がしきい値未満であると判定されると、ネットワーク側デバイスは停止指摘情報（例えば、処理停止命令）を提供し、通信リンクの品質がしきい値より大きいと判定されると、ネットワーク側デバイスは再開指摘情報（例えば、処理再開命令）を提供する。
【０２２６】
図8は、本発明によるダウンリンク情報の処理方法の第8の実施形態の流れ図である。図8に示されているように、本実施形態の方法は次のとおり説明することができる。
【０２２７】
801：UEのサービングセルがマイクロセルの場合、RNCはアクティブセットのセルとUE間の通信リンクがプリセット通信品質要件を満たしているかどうかを判定する。
【０２２８】
本実施形態では、UEのサービングセルがマイクロセルで、UEがアクティブセットのセルの1Aイベントをより早くレポートし、1Bイベントのレポートが遅延するため、1Bイベントのレポート後にも、引き続きアクティブセットのセルを保持する場合、セルはアクティブセットにより早く追加され、アクティブセットからのセルの削除は遅延する。その結果、UEとアクティブセットのセル間の通信リンクの信号品質は低品質になる。したがって、RNCはアクティブセットのセルとUE間の通信リンクがプリセット通信品質要件を満たしているかどうかを判定し、通信リンクがプリセット通信品質要件を満たしている場合、信号品質が高品質であることを示し、UEは送信電力増大コマンドを送信電力減少コマンドとして誤って解釈しないか、または通信リンクがプリセット通信品質要件を満たしていない場合、通信リンクの信号品質が低品質であることを示し、UEは送信電力増大コマンドを送信電力減少コマンドとして誤って解釈する。
【０２２９】
802：アクティブセットのセルとUE間の通信リンクがプリセット通信品質要件を満たしていない場合、RNCは第1の指摘メッセージを基地局に送信する、ここで、第1の指摘メッセージは基地局に、通信リンクを使用したUEへのTPCコマンドの送信の停止を指令するために使用される。
【０２３０】
本実施形態では、RNCがアクティブセットのセルとUE間の通信リンクがプリセット通信品質要件を満たしていないと判定する場合、通信リンクの信号品質が低品質であることを示し、UEは送信電力増大コマンドを送信電力減少コマンドとして誤って解釈する。したがって、RNCは第1の指摘メッセージを基地局に送信し、ここで、第1の指摘メッセージは基地局に、通信リンクを使用したUEへのTPCコマンドの送信の停止を指令するために使用され、それによって、基地局が第1の指摘メッセージを受信後、基地局は通信リンクを使用したUEへのTPCコマンドの送信を第1の指摘メッセージに従って停止し、したがって、UEは通信リンクを使用して基地局から送信されるTPCコマンドを受信せず、UEは送信電力増大コマンドを送信電力減少コマンドとして誤って解釈しない。RNCはUEと基地局に通信リンクの削除を指令しないので、セルは引き続き、アクティブセットで保持されることに留意されたい。
【０２３１】
本実施形態で言及されたアクティブセットのセルはアクティブセットのマクロセルであるか、またはアクティブセットのマイクロセルである場合があるが、本実施形態に限定されるわけではないことに留意されたい。
【０２３２】
本実施形態で言及されたアクティブセットのセルはアクティブセットのマクロセルであることが好適である。
【０２３３】
本発明の第8の実施形態で提供されたダウンリンク情報の処理方法では、RNCがアクティブセットのセルとUE間の通信リンクがプリセット通信品質要件を満たしていないと判定する場合、RNCは第1の指摘メッセージを基地局に送信し、ここで、第1の指摘メッセージは基地局に、通信リンクを使用したUEへのTPCコマンドの送信の停止を指令するために使用され、それによって、基地局は通信リンクを使用したUEへのTPCコマンドの送信を停止する。このようにして、UEが送信電力増大コマンドを送信電力減少コマンドとして誤って解釈する問題は解決され、さらに、UEのアップリンク送信能力にも影響しない。
【０２３４】
図9は、本発明によるダウンリンク情報の処理方法の第9の実施形態の流れ図である。図9に示されているように、図8に示されているダウンリンク情報の処理方法の第8の実施形態に基づき、本実施形態の方法には次のコンテンツをさらに含めることができる。
【０２３５】
901：RNCは、アクティブセットのセルとUE間の通信リンクがプリセット通信品質要件を満たしているかどうかを判定する。
【０２３６】
本実施形態では、図8で示された802が行われた後、901をさらに行うことができる、すなわち、RNCは、基地局に通信リンクを使用したUEへのTPCコマンドの送信の停止を指令するため、第1の指摘メッセージを基地局に送信した後、UEはセルに移動することができ、それによって、セルとUE間の通信リンクの信号品質は向上し、したがって、RNCは通信リンクがプリセット通信品質要件を満たしているかどうかをさらに判定することができ、通信リンクがプリセット通信品質要件を満たしている場合、通信リンクの品質が向上したことを示し、UEはセルから送信された送信電力増大コマンドを送信電力減少コマンドとして誤って解釈せず、または通信リンクがプリセット通信品質要件を満たしていない場合、通信リンクの信号品質が引き続き低品質であることを示し、UEはセルから送信された送信電力増大コマンドを送信電力減少コマンドとして誤って解釈し、手順は終了する。
【０２３７】
902：通信リンクがプリセット通信品質要件を満たしている場合、RNCは第2の指摘メッセージを基地局に送信する、ここで、第2の指摘メッセージは基地局に、通信リンクを使用したUEへのTPCコマンドの送信の再開を指令するために使用される。
【０２３８】
本実施形態では、RNCがアクティブセットのセルとUE間の通信リンクがプリセット通信品質要件を満たしていると判定する場合、通信リンクの信号品質が向上したことを示し、UEはセルから送信される送信電力増大コマンドを送信電力減少コマンドとして誤って解釈せず、すなわち、UEはセルから送信される送信電力増大コマンドを正しく解釈する。したがって、この場合、RNCは第2の指摘メッセージを基地局に送信し、ここで、第2の指摘メッセージは基地局に、通信リンクを使用したUEへのTPCコマンドの送信の再開を指令するために使用され、それによって、基地局が第2の指摘メッセージを受信した後、基地局は通信リンクを使用したUEへのTPCコマンドの送信を第2の指摘メッセージに従って再開する、すなわち、基地局は通信リンクを使用したUEへのTPCコマンドの送信を、通信リンクが削除されていないことに基づいて再開し、したがって、UEはTPCコマンドを組み合わせるための電力制御アルゴリズムの実行で通信リンクを使用して受信されたTPCコマンドを使用し、それによって、セルがUEに送信電力の増大または減少を要求する場合、UEは時間内に送信電力の増大または減少を行えることを確実にすることができ、UEのアップリンク送信能力を向上し、UEのアップリンク送信能力を確保する。
【０２３９】
本実施形態で言及されたアクティブセットのセルはアクティブセットのマクロセルであるか、またはアクティブセットのマイクロセルである場合があるが、本実施形態に限定されるわけではないことに留意されたい。
【０２４０】
本実施形態で言及されたアクティブセットのセルはアクティブセットのマクロセルであることが好適である。
【０２４１】
本発明の第9の実施形態で提供されたダウンリンク情報の処理方法では、さらに、RNCがセルとUE間の通信リンクがプリセット通信品質要件を満たしていると判定する場合、RNCは第2の指摘メッセージを基地局に送信し、ここで、第2の指摘メッセージは基地局に、通信リンクを使用したUEへのTPCコマンドの送信の再開を指令するために使用され、それによって、基地局は通信リンクを使用したUEへのTPCコマンドの送信を再開する。このようにして、UEは送信電力増大または減少コマンドを正しく解釈して、さらに送信電力を増大または減少させることができ、それによって、UEのアップリンク送信能力を確保する。
【０２４２】
図10は、本発明によるダウンリンク情報の処理方法の第10の実施形態の流れ図である。図10に示されているように、本実施形態の方法は次のとおり説明することができる。
【０２４３】
1001：UEのサービングセルがマイクロセルの場合、基地局はRNCから送信された第1の指摘メッセージを受信し、ここで、第1の指摘メッセージは基地局に、アクティブセットのセルとUE間の通信リンクを使用したUEへのTPCコマンドの送信の停止を指令するために使用される。
【０２４４】
本実施形態では、UEのサービングセルがマイクロセルで、UEがアクティブセットのセルの1Aイベントをより早くレポートし、1Bイベントのレポートが遅延するため、1Bイベントのレポート後にも、引き続きアクティブセットのセルを保持する場合、セルはアクティブセットにより早く追加され、アクティブセットからのセルの削除は遅延する。その結果、UEとアクティブセットのセル間の通信リンクの信号品質は低品質になる。したがって、基地局はRNCから第1の指摘メッセージを受信し、ここで、第1の指摘メッセージは基地局に、アクティブセットのセルとUE間の通信リンクを使用したUEへのTPCコマンドの送信の停止を指令するために使用される、すなわち、RNCはUEがセルから送信される送信電力増大コマンドを送信電力減少コマンドとして誤って解釈することを習得し、したがって、RNCは基地局に、通信リンクを使用したUEへのTPCコマンドの送信の停止を指令することができ、ここで、RNCは、通信リンクがプリセット通信品質要件を満たしていないと判定する場合、TPCコマンドをUEに送信することができるが、本実施形態はそれに限定されるものではない。RNCは基地局に通信リンクの削除を指令しないので、基地局は通信リンクを削除しないことに留意されたい。
【０２４５】
1002：基地局は、通信リンクを使用したUEへのTPCコマンドの送信を、第1の指摘メッセージに従って停止する。
【０２４６】
本実施形態では、第1の指摘メッセージを受信した後、基地局はRNCが基地局に、セルとUE間の通信リンクを使用したUEへのTPCコマンドの送信の停止を指令したことを習得する。したがって、基地局は通信リンクを使用したUEへのTPCコマンドの送信を、第1の指摘メッセージに従って停止し、したがって、UEは通信リンクを使用して基地局から送信されるTPCコマンドを受信せず、UEは送信電力増大コマンドを送信電力減少コマンドとして誤って解釈しない。
【０２４７】
本発明の第10の実施形態で提供されたダウンリンク情報の処理方法では、基地局はRNCから第1の指摘メッセージを受信し、ここで、第1の指摘メッセージは基地局に、アクティブセットのセルとUE間の通信リンクを使用したUEへのTPCコマンドの送信の停止を指令するために使用され、それによって、基地局は通信リンクを使用したUEへのTPCコマンドの送信を、第1の指摘メッセージに従って停止する。このようにして、UEが送信電力増大コマンドを送信電力減少コマンドとして誤って解釈する問題は解決され、さらに、UEのアップリンク送信能力にも影響しない。
【０２４８】
図11は、本発明によるダウンリンク情報の処理方法の第11の実施形態の流れ図である。図11に示されているように、図10に示されているダウンリンク情報の処理方法の第10の実施形態に基づき、本実施形態の方法には次のコンテンツをさらに含めることができる。
【０２４９】
1101：基地局はRNCから送信された第2の指摘メッセージを受信し、ここで、第2の指摘メッセージは基地局に、アクティブセットのセルとUE間の通信リンクを使用したUEへのTPCコマンドの送信の再開を指令するために使用される。
【０２５０】
本実施形態では、図10で示された1002が行われた後、1101をさらに行うことができる、すなわち、基地局が通信リンクを使用したUEへのTPCコマンドの送信を第1の指摘メッセージに従って停止した後、UEはセルに移動することができ、それによって、セルとUE間の通信リンクの信号品質は向上し、基地局はRNCから第2の指摘メッセージを受信し、ここで、第2の指摘メッセージは基地局に、アクティブセットのセルとUE間の通信リンクを使用したUEへのTPCコマンドの送信の再開を指令するために使用される、すなわち、RNCはUEがセルから送信される送信電力増大コマンドを送信電力減少コマンドとして誤って解釈しないことを習得し、したがって、RNCは基地局に、通信リンクを使用したUEへのTPCコマンドの送信の再開を指令することができ、ここで、RNCは、通信リンクがプリセット通信品質要件を満たしていると判定する場合、TPCコマンドをUEに送信することができるが、本実施形態はそれに限定されるものではない。
【０２５１】
1102：基地局は、通信リンクを使用したUEへのTPCコマンドの送信を、第2の指摘メッセージに従って再開する。
【０２５２】
本実施形態では、第2の指摘メッセージを受信した後、基地局はRNCが基地局に、セルとUE間の通信リンクを使用したUEへのTPCコマンドの送信の再開を指令したことを習得し、したがって、基地局は通信リンクを使用したUEへのTPCコマンドの送信を第2の指摘メッセージに従って再開する、すなわち、基地局は通信リンクを使用したUEへのTPCコマンドの送信を、通信リンクが削除されていないことに基づいて再開し、したがって、UEはTPCコマンドを組み合わせるための電力制御アルゴリズムの実行で通信リンクを使用して受信されたTPCコマンドを使用し、それによって、セルがUEに送信電力の増大または減少を要求する場合、UEは時間内に送信電力の増大または減少を行えることを確実にすることができ、UEのアップリンク送信能力を向上し、UEのアップリンク送信能力を確保する。
【０２５３】
本実施形態で言及されたアクティブセットのセルはアクティブセットのマクロセルであるか、またはアクティブセットのマイクロセルである場合があるが、本実施形態に限定されるわけではないことに留意されたい。
【０２５４】
本実施形態で言及されたアクティブセットのセルはアクティブセットのマクロセルであることが好適である。
【０２５５】
本発明の第11の実施形態で提供されたダウンリンク情報の処理方法では、さらに、基地局はRNCから第2の指摘メッセージを受信し、ここで、第2の指摘メッセージは基地局に、アクティブセットのセルとUE間の通信リンクを使用したUEへのTPCコマンドの送信の再開を指令するために使用され、それによって、基地局は通信リンクを使用したUEへのTPCコマンドの送信を、第2の指摘メッセージに従って再開する。このようにして、UEは送信電力増大または減少コマンドを正しく解釈して、さらに送信電力を増大または減少させることができ、それによって、UEのアップリンク送信能力を確保する。
【０２５６】
図12は、本発明によるダウンリンク情報の処理方法の第12の実施形態の流れ図である。図12に示されているように、本実施形態の方法は次のとおり説明することができる。
【０２５７】
1201：RNCはUEから送信される、アクティブセットのセルの1Bイベント測定レポートまたはセルとUE間の通信リンクの基地局から送信される失敗指摘メッセージのいずれかが受信されることを判定し、UEから送信されるセルの1Bイベント測定レポートまたは通信リンクの基地局から送信される失敗指摘メッセージが受信される場合、RNCは通信リンクがプリセット通信品質要件を満たしていないと判定する。
【０２５８】
本実施形態では、UEのサービングセルがマイクロセルの場合、RNCはアクティブセットのセルとUE間の通信リンクがプリセット通信品質要件を満たしているかどうかを判定する。
【０２５９】
第1の可能性のある実装方法では、RNCはセルとUE間の通信リンクがプリセット通信品質要件を満たしているかどうかを、UEから送信されるセルの1Bイベント測定レポートが受信されるかどうかに従って判定し、RNCがUEから送信されるセルの1Bイベント測定レポートを受信する場合、通信リンクがプリセット通信品質要件を満たしていないことを示す、すなわち、通信リンクの信号品質が低品質で、UEはセルから送信される送信電力増大コマンドを送信電力減少コマンドとして誤って解釈し、それから1002を行うことができ、そうではない場合、手順は終了する。1Bイベント測定レポートは従来技術と一致しており、本実施形態では詳細に説明されていないことに留意されたい。
【０２６０】
第2の可能性のある実装方法では、RNCはセルとUE間の通信リンクがプリセット通信品質要件を満たしているかどうかを、セルとUE間の通信リンクの基地局から送信される失敗指摘メッセージが受信されるかどうかに従って判定し、RNCが通信リンクの基地局から送信される失敗指摘メッセージを受信する場合、通信リンクがプリセット通信品質要件を満たしていないことを示す、すなわち、通信リンクの信号品質が低品質で、UEはセルから送信される送信電力増大コマンドを送信電力減少コマンドとして誤って解釈し、それから1202を行うことができ、そうではない場合、手順は終了する。基地局がプリセット時間内に、アクティブセットのセルとUE間の通信リンクがプリセット時間量の間、継続的にアップリンク同期外れにある場合、基地局は通信リンクが失敗したことを判定し、通信リンクの失敗指摘メッセージをRNCに送信することに留意されたい。
【０２６１】
1202：RNCは第1の指摘メッセージを基地局に送信する、ここで、第1の指摘メッセージは基地局に、通信リンクを使用したUEへのTPCコマンドの送信の停止を指令するために使用される。
【０２６２】
本実施形態では、1202の特定の実装プロセスが図8で示されたダウンリンク情報の処理方法の実施形態の802の特定の実装プロセスと類似しており、詳細なプロセスについては802の記録を参照することができ、本実施形態ではさらに説明されていない。
【０２６３】
さらに、第1の可能性のある実装方法では、第1の指摘メッセージは基地局に、セルとUE間の通信リンクがアップリンク同期外れであるとの判定後、通信リンクを使用したUEへのTPCコマンドの送信を停止することを指令するために特に使用され、それによって、セルとUE間の通信リンクがアップリンク同期外れであることの判定後、基地局は通信リンクを使用したUEへのTPCコマンドの送信を停止する。
【０２６４】
場合により、第1の指摘メッセージは基地局に、通信リンクを使用してUEから送信されるTPCコマンドの処理を停止すること、または通信リンクを使用してUEから送信される情報の受信を停止することを指令するためにさらに使用され、それによって、基地局は、通信リンクを使用してUEから送信されたTPCコマンドの処理の停止または通信リンクを使用してUEから送信された情報の受信の停止をさらに行う。
【０２６５】
さらに、基地局への第1の指摘メッセージのRNCによる送信には、専用データフレームまたは専用シグナリングまたは共通シグナリングを使用して基地局へ第1の指摘メッセージをRNCにより送信することが含まれる。
【０２６６】
1203：基地局はRNCから第1の指摘メッセージを受信する。
【０２６７】
本実施形態では、RNCがUEから送信されるセルの1Bイベント測定レポートまたはセルとUE間の通信リンクの基地局から送信される失敗指摘メッセージを受信した後、RNCは第1の指摘メッセージを基地局に送信し、それ応じて、基地局はRNCから第1の指摘メッセージを受信する。
【０２６８】
さらに、RNCからの第1の指摘メッセージの基地局による受信には、専用データフレームまたは専用シグナリングまたは共通シグナリングを使用してRNCにより送信される第1の指摘メッセージを基地局により受信することが含まれる。
【０２６９】
1204：基地局は、通信リンクを使用したUEへのTPCコマンドの送信を、第1の指摘メッセージに従って停止する。
【０２７０】
本実施形態では、1204の特定の実装プロセスが図10で示されたダウンリンク情報の処理方法の実施形態の1002の特定の実装プロセスと類似しており、詳細なプロセスについては1002の記録を参照することができ、本実施形態ではさらに説明されていない。
【０２７１】
さらに、第1の可能性のある実装方法では、第1の指摘メッセージは基地局に、セルとUE間の通信リンクがアップリンク同期外れであるとの判定後、通信リンクを使用したUEへのTPCコマンドの送信を停止することを指令するために特に使用されるとき、通信リンクを使用したUEへのTPCコマンドの送信を第1の指摘メッセージに従い、基地局により停止することには、通信リンクがアップリンク同期外れであることを第1の指摘メッセージに従い基地局により判定すること、それから通信リンクを使用したUEへのTPCコマンドの送信を基地局により停止することが含まれる。基地局が通信リンクがアップリンク同期外れではないと判定する場合、基地局は通信リンクを使用したUEへのTPCコマンドの送信を停止しない。
【０２７２】
場合により、第1の指摘メッセージが基地局に、通信リンクを使用してUEから送信されるTPCコマンドの処理を停止すること、または通信リンクを使用してUEから送信される情報の受信を停止することを指令するためにさらに使用され、RNCから送信された第1の指摘メッセージを基地局により受信した後、本方法には、第1の指摘メッセージに従い、通信リンクを使用してUEから送信されたTPCコマンドの処理の基地局による停止または通信リンクを使用してUEから送信された情報の受信を停止することがさらに含まれる。
【０２７３】
さらに、本実施形態の方法には次をさらに含めることができる。
【０２７４】
1205：RNCはUEから送信されるセルの1Aイベント測定レポートまたは通信リンクの基地局から送信される回復指摘メッセージのいずれかが受信されることを判定し、UEから送信されるセルの1Aイベント測定レポートまたは通信リンクの基地局から送信される回復指摘メッセージが受信される場合、RNCは通信リンクがプリセット通信品質要件を満たしていると判定する。
【０２７５】
本実施形態では、RNCがUEから送信されるセルの1Bイベント測定レポートを受信し、第1の指摘メッセージを基地局に送信した後、UEはセルに移動することができ、それによって、セルとUE間の通信リンクの信号品質は向上し、したがって、RNCは通信リンクがプリセット通信品質要件を満たしているかどうかをさらに判定することができる。
【０２７６】
第1の可能性のある実装方法では、RNCはUEから送信されるセルの1Aイベント測定レポートが受信されたかどうかを判定し、UEから送信されるセルの1Aイベント測定レポートが受信された場合、通信リンクがプリセット通信品質要件を満たしていることを示す、すなわち、通信リンクの品質が向上し、UEはセルから送信される送信電力増大コマンドを送信電力減少コマンドとして誤って解釈せず、それから1206を行うことができ、UEから送信されるセルの1Aイベント測定レポートが受信されない場合、手順は終了する。
【０２７７】
第2の可能性のある実装方法では、RNCはセルとUE間の通信リンクがプリセット通信品質要件を満たしているかどうかを、通信リンクの基地局から送信される回復指摘メッセージが受信されるかどうかに従って判定し、セルとUE間の通信リンクがプリセット通信品質要件を満たしている場合、通信リンクがプリセット通信品質要件を満たしていることを示す、すなわち、通信リンクの品質が向上し、UEはセルから送信される送信電力増大コマンドを送信電力減少コマンドとして誤って解釈せず、それから1206を行うことができ、セルとUE間の通信リンクがプリセット通信品質要件を満たしていない場合、手順は終了する。基地局がプリセット時間内に、アクティブセットのセルとUE間の通信リンクがプリセット時間量の間、継続的にアップリンク同期にある場合、基地局は通信リンクが回復したことを判定し、通信リンクの回復指摘メッセージをRNCに送信することに留意されたい。
【０２７８】
1206：RNCは第2の指摘メッセージを基地局に送信する、ここで、第2の指摘メッセージは基地局に、通信リンクを使用したUEへのTPCコマンドの送信の再開を指令するために使用される。
【０２７９】
本実施形態では、1206の特定の実装プロセスが図9で示されたダウンリンク情報の処理方法の実施形態の902の特定の実装プロセスと類似しており、詳細なプロセスについては902の記録を参照することができ、本実施形態ではさらに説明されていない。
【０２８０】
さらに、第1の可能性のある実装方法では、第2の指摘メッセージは基地局に、セルとUE間の通信リンクがアップリンク同期であるとの判定後、通信リンクを使用したUEへのTPCコマンドの送信を再開することを指令するために特に使用され、それによって、セルとUE間の通信リンクがアップリンク同期であることの判定後、基地局は通信リンクを使用したUEへのTPCコマンドの送信を再開する。
【０２８１】
場合により、第2の指摘メッセージは基地局に、通信リンクを使用してUEから送信されるTPCコマンドの処理を再開すること、または通信リンクを使用してUEから送信される情報の受信を再開することを指令するためにさらに使用され、それによって、基地局は、通信リンクを使用してUEから送信されたTPCコマンドの再開または通信リンクを使用してUEから送信された情報の受信の再開をさらに行う。
【０２８２】
さらに、基地局への第2の指摘メッセージのRNCによる送信には、専用データフレームまたは専用シグナリングまたは共通シグナリングを使用して基地局へ第2の指摘メッセージをRNCにより送信することが含まれる。
【０２８３】
1207：基地局はRNCから第2の指摘メッセージを受信する。
【０２８４】
本実施形態では、RNCがUEから送信されるセルの1Aイベント測定レポートまたは通信リンクの基地局から送信される回復指摘メッセージを受信した後、RNCは第2の指摘メッセージを基地局に送信し、それ応じて、基地局はRNCから第2の指摘メッセージを受信する。
【０２８５】
さらに、RNCからの第2の指摘メッセージの基地局による受信には、専用データフレームまたは専用シグナリングまたは共通シグナリングを使用してRNCにより送信される第2の指摘メッセージを基地局により受信することが含まれる。
【０２８６】
1208：基地局は、通信リンクを使用したUEへのTPCコマンドの送信を、第2の指摘メッセージに従って再開する。
【０２８７】
本実施形態では、1208の特定の実装プロセスが図11で示されたダウンリンク情報の処理方法の実施形態の1102の特定の実装プロセスと類似しており、詳細なプロセスについては1102の記録を参照することができ、本実施形態ではさらに説明されていない。
【０２８８】
さらに、第1の可能性のある実装方法では、第2の指摘メッセージは基地局に、通信リンクがアップリンク同期であるとの判定後、通信リンクを使用したUEへのTPCコマンドの送信を再開することを指令するために特に使用されるとき、通信リンクを使用したUEへのTPCコマンドの送信を第2の指摘メッセージに従い、基地局により再開することには、通信リンクがアップリンク同期であることを第2の指摘メッセージに従い基地局により判定すること、および通信リンクを使用したUEへのTPCコマンドの送信を基地局により再開することが含まれる。基地局が、通信リンクがアップリンク同期ではないと判定する場合、基地局は通信リンクを使用したUEへのTPCコマンドの送信を再開しない。
【０２８９】
場合により、第2の指摘メッセージが基地局に、通信リンクを使用してUEから送信されるTPCコマンドの処理を再開すること、または通信リンクを使用してUEから送信される情報の受信を再開することを指令するためにさらに使用され、RNCから送信された第2の指摘メッセージを基地局により受信した後、本方法には、第2の指摘メッセージに従い、通信リンクを使用してUEから送信されたTPCコマンドの処理の基地局による再開または通信リンクを使用してUEから送信された情報の受信を再開することがさらに含まれる。
【０２９０】
本実施形態に基づいて、UEから送信される1Aイベント測定レポートを受信した後、RNCはアクティブセットのセルの、1Aイベント測定レポートで実行された、信号パラメータに従うセルの送信電力および／またはタイミングオフセットの再構成、第2の指摘メッセージへのセルの送信電力および／またはタイミングオフセットの追加、ならびに基地局への第2の指摘メッセージの送信を行い、第2の指摘メッセージを受信した後、基地局はセルのRNCによって再構成された、送信電力および／またはタイミングオフセットを取得し、それから基地局は、セルとUE間の通信リンクを使用しての送信電力でのUEへのTPCコマンドの送信および／またはセルとUE間の通信リンクを使用していつTPCコマンドを送信すべきかのタイミングオフセットに従う判定を行う。このようにして、従来技術において、基地局がセルとUE間の通信リンクを使用したUEへの情報の送信を再開する場合、基地局がダウンリンク送信電力の初期値および／またはセルのタイミングオフセットを判定できないことが解決できる。
【０２９１】
本実施形態で言及されたアクティブセットのセルはアクティブセットのマクロセルであるか、またはアクティブセットのマイクロセルである場合があるが、本実施形態に限定されるわけではないことに留意されたい。
【０２９２】
本実施形態で言及されたアクティブセットのセルはアクティブセットのマクロセルであることが好適である。
【０２９３】
本発明の第12の実施形態で提供されたダウンリンク情報の処理方法では、RNCがUEから送信される、アクティブセットのセルの1Bイベント測定レポートまたは通信リンクの基地局から送信される失敗指摘メッセージが受信されたと判定する場合、RNCは第1の指摘メッセージを基地局に送信し、基地局は通信リンクを使用したUEへのTPCコマンドの送信を、第1の指摘メッセージに従って停止する。それから、RNCがUEから送信されるセルの1Aイベント測定レポートまたは通信リンクの基地局から送信される回復指摘メッセージが受信されたと判定する場合、RNCは第2の指摘メッセージを基地局に送信し、基地局は通信リンクを使用したUEへのTPCコマンドの送信を、第2の指摘メッセージに従って再開する。このようにして、UEは送信電力増大または減少コマンドを正しく解釈して、さらに送信電力を増大または減少させることができ、それによって、UEのアップリンク送信能力を確保する。
【０２９４】
図13は、本発明によるダウンリンク情報の処理方法の第13の実施形態の流れ図である。図13に示されているように、本実施形態の方法は次のとおり説明することができる。
【０２９５】
1301：基地局はRNCにより送信される第1の指摘メッセージおよび第2の指摘メッセージを受信し、ここで、第1の指摘メッセージはアクティブセットのセルとUE間のリンクが非サービングリンクであることを基地局に示し、基地局に、セルとUE間の通信リンクがアップリンク同期外れであると判定した後、通信リンクを使用したUEへのTPCコマンドの送信の停止を指令するために使用され、第2の指摘メッセージは基地局に、セルとUE間の通信リンクがアップリンク同期であると判定した後、通信リンクを使用したUEへのTPCコマンドの送信の再開を指令するために使用される。
【０２９６】
本実施形態では、RNCがUEのサービングセルがマイクロセルであると判定する場合、RNCは第1の指摘メッセージを基地局に送信し、ここで、第1の指摘メッセージは非サービングリンクである通信リンクがアクティブセットの当該セルとUE間に存在することを基地局に指摘し、基地局に、セルとUE間の通信リンクがアップリンク同期外れであると判定した後、通信リンクを使用したUEへのTPCコマンドの送信の停止をさらに指令し、それに加えて、RNCは第2の指摘メッセージを基地局に送信し、ここで、第2の指摘メッセージは基地局に、通信リンクを使用したUEへのTPCコマンドの送信を停止してから、セルとUE間の通信リンクがアップリンク同期であると判定した後、通信リンクを使用したUEへのTPCコマンドの送信の再開を指令する。基地局はRNCにより送信される第1の指摘メッセージおよび第2の指摘メッセージを同時に受信できる、またはRNCにより送信される第1の指摘メッセージを最初に受信して、それからRNCにより送信される第2の指摘メッセージを受信することができる、または第1の指摘メッセージおよび第2の指摘メッセージは1つの同じ指摘メッセージとすることができることに留意されたい。
【０２９７】
場合により、第1の指摘メッセージは通信リンクを使用してUEから送信されるTPCコマンドの処理の停止または通信リンクを使用してUEから送信される情報の受信の停止を指令するためにさらに使用される。
【０２９８】
さらに、RNCにより送信される第1の指摘メッセージおよび第2の指摘メッセージの基地局による受信には、専用データフレームまたは専用シグナリングまたは共通シグナリングを使用してRNCにより送信される第1の指摘メッセージおよび第2の指摘メッセージを基地局により受信することが含まれる。
【０２９９】
1302：基地局は通信リンクがアップリンク同期外れにあることを、第1の指摘メッセージに従って判定する。
【０３００】
本実施形態では、基地局はアクティブセットのセルとUE間の通信リンクが非サービングリンクであることを、第1の指摘メッセージに従って習得することができ、それから、基地局は通信リンクを使用したUEへのTPCコマンドの送信を停止することができる。しかし、通信リンクを使用したUEへのTPCコマンドの送信を停止する前に、基地局は通信リンクがアップリンク同期外れにあるかどうかを判定する必要があり、基地局が通信リンクがアップリンク同期外れにあると判定する場合、基地局は1303を行い、そうではない場合には、基地局は1303を行わず、手順は終了する。
【０３０１】
1303：基地局は通信リンクを使用したUEへのTPCコマンドの送信を停止する。
【０３０２】
本実施形態では、1303の特定の実装プロセスが図10で示されたダウンリンク情報の処理方法の実施形態の1002の特定の実装プロセスと類似しており、詳細なプロセスについては1002の記録を参照することができ、本実施形態ではさらに説明されていない。
【０３０３】
場合により、第1の指摘メッセージが基地局に、通信リンクを使用してUEから送信されるTPCコマンドの処理を停止すること、または通信リンクを使用してUEから送信される情報の受信を停止することを指令するためにさらに使用され、RNCから送信された第1の指摘メッセージを基地局により受信した後、本方法には、第1の指摘メッセージに従い、通信リンクを使用してUEから送信されたTPCコマンドの処理の基地局による停止または通信リンクを使用してUEから送信された情報の受信を停止することがさらに含まれる。
【０３０４】
さらに、本実施形態の方法には次をさらに含めることができる。
【０３０５】
1304：基地局は通信リンクがアップリンク同期にあることを、第2の指摘メッセージに従って判定する。
【０３０６】
本実施形態では、基地局が、通信リンクがアップリンク同期外れにあることを、第1の指摘メッセージに従って判定し、通信リンクを使用したUEへのTPCコマンドの送信を停止した後、基地局は通信リンクを使用したUEへのTPCコマンドの送信を再開することができるが、通信リンクを使用したUEへのTPCコマンドの送信を再開する前に、基地局は通信リンクがアップリンク同期にあるかどうかを判定する必要があり、基地局が通信リンクがアップリンク同期にあると判定する場合、基地局は1305を行い、そうではない場合には、基地局は1305を行わず、手順は終了する。
【０３０７】
1305：基地局は通信リンクを使用したUEへのTPCコマンドの送信を再開する。
【０３０８】
本実施形態では、1305の特定の実装プロセスが図11で示されたダウンリンク情報の処理方法の実施形態の1102の特定の実装プロセスと類似しており、詳細なプロセスについては1102の記録を参照することができ、本実施形態ではさらに説明されていない。
【０３０９】
場合により、第2の指摘メッセージが基地局に、通信リンクを使用してUEから送信されるTPCコマンドの処理を再開すること、または通信リンクを使用してUEから送信される情報の受信を再開することを指令するためにさらに使用され、通信リンクがアップリンク同期にあることを基地局により判定した後、本方法には、第2の指摘メッセージに従い、通信リンクを使用してUEから送信されたTPCコマンドの処理の基地局による再開または通信リンクを使用してUEから送信された情報の受信を再開することがさらに含まれる。
【０３１０】
本実施形態で言及されたアクティブセットのセルはアクティブセットのマクロセルであるか、またはアクティブセットのマイクロセルである場合があるが、本実施形態に限定されるわけではないことに留意されたい。
【０３１１】
本実施形態で言及されたアクティブセットのセルはアクティブセットのマクロセルであることが好適である。
【０３１２】
本発明の第13の実施形態で提供されたダウンリンク情報の処理方法では、基地局がアクティブセットのセルとUE間の通信リンクが非サービングリンクであることを習得してから、通信リンクがアップリンク同期外れにあることをRNCの指摘に従って判定した後、基地局は通信リンクを使用したUEへのTPCコマンドの送信を停止し、それから通信リンクがアップリンク同期にあることをRNCの指摘に従って判定した後、基地局は通信リンクを使用したUEへのTPCコマンドの送信を再開する。このようにして、UEは送信電力増大または減少コマンドを正しく解釈して、さらに送信電力を増大または減少させることができ、それによって、UEのアップリンク送信能力を確保する。
【０３１３】
図14は、本発明によるダウンリンク情報の処理方法の第14の実施形態の流れ図である。図14に示されているように、本実施形態の方法は次のとおり説明することができる。
【０３１４】
1401：基地局は、アクティブセットのセルとUE間の通信リンクが非サービングリンクであることを判定する。
【０３１５】
本実施形態では、アクティブセットのセルとUE間の通信リンクを使用したUEへのTPCコマンドの送信を停止する前に、基地局は通信リンクが非サービングリンクであることを判定することができる。第1の実現可能な実装方法では、基地局はRNCから第1の指摘メッセージを受信し、ここで、第1の指摘メッセージは通信リンクが非サービングリンクであることを示すために使用され、それによって、基地局は通信リンクが非サービングリンクであることを、第1の指摘メッセージに従って判定する。第2の実現可能な実装方法では、通信リンクが拡張専用チャネル（Enhanced Dedicated Channel、略してE-DCH）の場合、基地局は通信リンクが非サービングリンクでるかどうかを単独で判定することができる。
【０３１６】
1402：基地局は通信リンクがアップリンク同期外れにあるかどうかを判定し、通信リンクがアップリンク同期外れにある場合、基地局は通信リンクを使用したUEへのTPCコマンドの送信を停止する。
【０３１７】
本実施形態では、基地局が、通信リンクがアップリンク同期外れにあるかどうかを判定し、通信リンクがアップリンク同期外れにある場合、基地局は通信リンクがプリセット通信品質要件を満たしていないことを判定し、したがって、基地局は通信リンクを使用したUEへのTPCコマンドの送信を停止することができ、そうではない場合、手順は終了する。
【０３１８】
場合により、基地局は通信リンクを使用してUEから送信されるTPCコマンドの処理の停止または通信リンクを使用してUEから送信される情報の受信の停止をさらに行うことができる。
【０３１９】
1403：基地局は通信リンクがアップリンク同期にあるかどうかを判定し、通信リンクがアップリンク同期にある場合、基地局は通信リンクを使用したUEへのTPCコマンドの送信を再開する。
【０３２０】
本実施形態では、基地局が、通信リンクがアップリンク同期外れにあることを判定し、通信リンクを使用してUEから送信されるTPCコマンドの送信を停止した後、基地局は通信リンクがアップリンク同期にあるかどうかを判定し、通信リンクがアップリンク同期にある場合、基地局は通信リンクを使用したUEへのTPCコマンドの送信を再開することができ、そうではない場合、手順は終了する。
【０３２１】
場合により、基地局は通信リンクを使用してUEから送信されるTPCコマンドの処理の再開または通信リンクを使用してUEから送信される情報の受信の再開をさらに行うことができる。
【０３２２】
本実施形態で言及されたアクティブセットのセルはアクティブセットのマクロセルであるか、またはアクティブセットのマイクロセルである場合があるが、本実施形態に限定されるわけではないことに留意されたい。
【０３２３】
本実施形態で言及されたアクティブセットのセルはアクティブセットのマクロセルであることが好適である。
【０３２４】
本発明の第14の実施形態で提供されたダウンリンク情報の処理方法では、基地局がアクティブセットのセルとUE間の通信リンクが非サービングリンクであることを判定し、通信リンクがアップリンク同期外れにあることを判定した後、基地局は通信リンクを使用したUEへのTPCコマンドの送信を停止し、それから通信リンクがアップリンク同期にあることを判定した後、基地局は通信リンクを使用したUEへのTPCコマンドの送信を再開する。このようにして、UEは送信電力増大または減少コマンドを正しく解釈して、さらに送信電力を増大または減少させることができ、それによって、UEのアップリンク送信能力を確保する。
【０３２５】
本発明の第1の実施形態から第7の実施形態の任意の実施形態は送信電力を制御するための使用で本発明の第8の実施形態から第14の実施形態と組み合わせることができることに留意されたい。
【０３２６】
図15は、本発明によるUEの第1の実施形態の概略構造図である。図15で示されているように、本実施形態のUEは、判定モジュール11および処理モジュール12を含み、ここで、判定モジュール11はアクティブセットのセルとUE間の通信リンクがプリセット通信品質要件を満たしているかどうかを判定するように構成され、処理モジュール12は、判定モジュール11がアクティブセットのセルとUE間の通信リンクがプリセット通信品質要件を満たしていないと判定する場合、通信リンクを使用して基地局から送信されるダウンリンク情報の処理を停止するように構成されている。
【０３２７】
本実施形態のUEは本発明によるダウンリンク情報の処理方法の前述の実施形態において、UEによって実行される、技術的解決策を実行するように構成可能で、その実装原理および技術的効果は類似しており、詳細については前述の実施形態の関連記録を参照することができ、本明細書では再度説明されていない。
【０３２８】
図16は、本発明によるUEの第2の実施形態の概略構造図である。図15で示されたUE構造に基づき、図16で示されているように、さらに、本実施形態のUEは再開モジュール13をさらに含めることができ、ここで、判定モジュール11は処理モジュール12が通信リンクを使用して基地局から送信されるダウンリンク情報の処理を停止した後、アクティブセットのセルとUE間の通信リンクがプリセット通信品質要件を満たしているかどうかをさらに判定するようにさらに構成され、再開モジュール13は、判定モジュール11がアクティブセットのセルとUE間の通信リンクがプリセット通信品質要件を満たしていると判定する場合、通信リンクを使用して基地局から送信されるダウンリンク情報の処理を再開するように構成されている。
【０３２９】
さらに、処理モジュール12には、第1の処理ユニット121および／または第2の処理ユニット122を含めることができる。第1の処理ユニット121は、通信リンクを使用して基地局から送信される送信電力制御（TPC）コマンドの処理を停止するように構成され、第2の処理ユニット122は通信リンクを使用して基地局から送信されるDPCCH／DPDCH／F-DPCH／E-RGCH／E-HICHの処理を停止するように構成されている。
【０３３０】
場合により、第2の処理ユニット122は通信リンクを使用して基地局から送信されるDPCCH／DPDCH／F-DPCH／E-RGCH／E-HICHの受信の停止または通信リンクを使用して基地局から送信されるDPDCHの受信、および組み合わせ処理で、通信リンクを使用して送信される、DPDCHでの信号の使用の停止または通信リンクを使用して基地局から送信されるDPCCH／DPDCH／F-DPCHの受信、および信号対干渉比（SIR）評価でのDPCCH／DPDCH／F-DPCHで信号の使用の停止または通信リンクを使用して基地局から送信されるE-RGCHの受信、および組み合わせ処理のE-RGCHでの相対グラント信号の使用の停止または通信リンクを使用して基地局から送信されるE-RGCHの受信、およびUEの上位層へのE-RGCHでの相対グラント情報の送信の停止または通信リンクを使用して基地局から送信されるE-HICHの受信、および組み合わせ処理でのE-HICHでフィードバック信号の使用の停止または通信リンクを使用して基地局から送信されるE-HICHの受信、およびUEの上位層へのE-HICHでのフィードバック情報の送信の停止を行うように特に構成されている。
【０３３１】
本実施形態のUEは本発明によるダウンリンク情報の処理方法の前述の実施形態において、UEによって実行される、技術的解決策を実行するように構成可能で、その実装原理および技術的効果は類似しており、詳細については前述の実施形態の関連記録を参照することができ、本明細書では再度説明されていない。
【０３３２】
図15または図16で示されたUE構造に基づく、本実施形態のUEにおいて、本発明によるUEの第3の実施形態で、さらに、第1の実現可能な実装方法では、判定モジュール11はTPCコマンドの信号対干渉比（SIR）がSIRしきい値未満であるかどうかを判定するように特に構成され、ここで、TPCコマンドはセルとUE間の通信リンクを使用してUEによって受信され、TPCコマンドのSIRがSIRしきい値未満の場合、通信リンクがプリセット通信品質要件を満たしていないことを判定し、さらにTPCコマンドのSIRがSIRしきい値以上の場合、通信リンクがプリセット通信品質要件を満たしていることを判定する。
【０３３３】
第2の実現可能な実装方法では、判定モジュール11はセルが1Bイベントまたは1Aイベントのいずれかを満たしているかを判定するように特に構成され、セルが1Bイベントを満たしている場合、通信リンクがプリセット通信品質要件を満たしていないことを判定し、セルが1Aイベントを満たしている場合、通信リンクがプリセット通信品質要件を満たしていることを判定する。
【０３３４】
第3の実現可能な実装方法では、判定モジュール11は、セルとUE間の通信リンクがダウンリンク同期外れ状態またはダウンリンク同期状態のいずれかを判定するように特に構成されており、セルとUE間の通信リンクがダウンリンク同期外れ状態の場合、通信リンクがプリセット通信品質要件を満たしていないことを判定し、セルとUE間の通信リンクがダウンリンク同期状態の場合、通信リンクがプリセット通信品質要件を満たしていることを判定する。
【０３３５】
第4の実現可能な実装方法では、判定モジュール11は、1Bイベントがセルで発生し、通信リンクがダウンリンク同期外れ状態かどうか、または1Aイベントがセルで発生し、通信リンクがダウンリンク同期状態かどうかを判定するように特に構成されており、1Bイベントがセルで発生し、通信リンクがダウンリンク同期外れ状態の場合、通信リンクがプリセット通信品質要件を満たしていないことを判定し、1Aイベントがセルで発生し、通信リンクがダウンリンク同期状態の場合、通信リンクがプリセット通信品質要件を満たしていることを判定する。
【０３３６】
第5の実現可能な実装方法では、判定モジュール11は、セルのCPICHの品質および／またはDPCCH／DPDCH／F-DPCH／E-RGCH／E-HICHの品質がプリセットしきい値未満であるかどうかを判定するように特に構成されており、セルのCPICHの品質および／またはDPCCH／DPDCH／F-DPCH／E-RGCH／E-HICHの品質がプリセットしきい値未満の場合、通信リンクがプリセット通信品質要件を満たしていないことを判定し、セルのCPICHの品質および／またはDPCCH／DPDCH／F-DPCH／E-RGCH／E-HICHの品質がプリセットしきい値以上の場合、通信リンクがプリセット通信品質要件を満たしていることを判定する。
【０３３７】
本実施形態のUEは本発明によるダウンリンク情報の処理方法の前述の実施形態において、UEによって実行される、技術的解決策を実行するように構成可能で、その実装原理および技術的効果は類似しており、詳細については前述の実施形態の関連記録を参照することができ、本明細書では再度説明されていない。
【０３３８】
ハードウェアの実装という点では、判定モジュール11、処理モジュール12、および再開モジュール13はハードウェアの形でUEのプロセッサに埋め込まれるか、それから独立していることができるか、またはソフトウェアの形でUEのメモリに保存することができ、それによって、前述のモジュールに対応した動作を実行するためにプロセッサによって呼び出されることに留意されたい。プロセッサは中央処理ユニット（Central Processing Unit、略してCPU）、マイクロプロセッサ、単一チップのマイクロプロセッサなどにすることができる。
【０３３９】
図17は、本発明によるUEの第4の実施形態の概略構造図である。図17で示されているように、UEにはプロセッサ21が含まれ、ここで、プロセッサ21は、アクティブセットのセルとUE間の通信リンクがプリセット通信品質要件を満たしているかどうかを判定し、アクティブセットのセルとUE間の通信リンクがプリセット通信品質要件を満たしていない場合、通信リンクを使用して基地局から送信されるダウンリンク情報の処理を停止するように構成されている。
【０３４０】
さらに、プロセッサ21は通信リンクを使用して基地局から送信されるダウンリンク情報の処理が停止された後、アクティブセットのセルとUE間の通信リンクがプリセット通信品質要件を満たしているかどうかをさらに判定し、アクティブセットのセルとUE間の通信リンクがプリセット通信品質要件を満たしている場合、通信リンクを使用して基地局から送信されるダウンリンク情報の処理を再開するようにさらに構成されている。
【０３４１】
場合により、プロセッサ21は、通信リンクを使用して基地局から送信される送信電力制御（TPC）コマンドの処理を停止するように、および／または通信リンクを使用して基地局から送信されるDPCCH／DPDCH／F-DPCH／E-RGCH／E-HICHの処理を停止するように特に構成されている。
【０３４２】
場合により、本実施形態のUEには受信機22さらに含めることができる。第1の実現可能な実装方法では、プロセッサ21は通信リンクを使用して基地局から送信されるDPCCH／DPDCH／F-DPCH／E-RGCH／E-HICHの受信を停止するため受信機22を制御するように特に構成されている。第2の実現可能な実装方法では、プロセッサ21は通信リンクを使用して基地局から送信されるDPDCHを受信するため受信機22を制御するように特に構成され、プロセッサ21は、組み合わせ処理で、通信リンクを使用して送信される、DPDCHでの信号の使用を停止するように特に構成されている。第3の実現可能な実装方法では、プロセッサ21は通信リンクを使用して基地局から送信されるDPCCH／DPDCH／F-DPCHを受信するため受信機22を制御するように特に構成され、プロセッサ21は信号対干渉比（SIR）評価でのDPCCH／DPDCH／F-DPCHで信号の使用の停止するように特に構成されている。第4の実現可能な実装方法では、プロセッサ21は通信リンクを使用して基地局から送信されるE-RGCHを受信するため受信機22を制御するように特に構成され、プロセッサ21は組み合わせ処理でのE-RGCHで相対グラント信号の使用を停止するように特に構成されている。第5の実現可能な実装方法では、プロセッサ21は通信リンクを使用して基地局から送信されるE-RGCHを受信するように受信機22を制御し、プロセッサ21はUEの上位層へのE-RGCHでの相対グラント情報の送信を停止するように特に構成されている。第6の実現可能な実装方法では、プロセッサ21は通信リンクを使用して基地局から送信されるE-HICHを受信するため受信機22を制御するように特に構成され、プロセッサ21は組み合わせ処理でのE-HICHでフィードバック信号の使用を停止するように特に構成されている。第7の実現可能な実装方法では、プロセッサ21は通信リンクを使用して基地局から送信されるE-HICHを受信するために受信機22を制御するように特に構成され、プロセッサ21はUEの上位層へのE-HICHでのフィードバック情報の送信を停止するように特に構成されている。
【０３４３】
その上、第1の実現可能な実装方法では、プロセッサ21はTPCコマンドの信号対干渉比（SIR）がSIRしきい値未満であるかどうかを判定するように特に構成され、ここで、TPCコマンドはセルとUE間の通信リンクを使用してUEによって受信され、TPCコマンドのSIRがSIRしきい値未満の場合、通信リンクがプリセット通信品質要件を満たしていないことを判定し、さらにTPCコマンドのSIRがSIRしきい値以上の場合、通信リンクがプリセット通信品質要件を満たしていることを判定する。
【０３４４】
第2の実現可能な実装方法では、プロセッサ21はセルが1Bイベントまたは1Aイベントのいずれかを満たしているかを判定するように特に構成され、セルが1Bイベントを満たしている場合、通信リンクがプリセット通信品質要件を満たしていないことを判定し、セルが1Aイベントを満たしている場合、通信リンクがプリセット通信品質要件を満たしていることを判定する。
【０３４５】
第3の実現可能な実装方法では、プロセッサ21は、セルとUE間の通信リンクがダウンリンク同期外れ状態またはダウンリンク同期状態のいずれかを判定するように特に構成されており、セルとUE間の通信リンクがダウンリンク同期外れ状態の場合、通信リンクがプリセット通信品質要件を満たしていないことを判定し、セルとUE間の通信リンクがダウンリンク同期状態の場合、通信リンクがプリセット通信品質要件を満たしていることを判定する。
【０３４６】
第4の実現可能な実装方法では、プロセッサ21は、1Bイベントがセルで発生し、通信リンクがダウンリンク同期外れ状態かどうか、または1Aイベントがセルで発生し、通信リンクがダウンリンク同期状態かどうかを判定するように特に構成されており、1Bイベントがセルで発生し、通信リンクがダウンリンク同期外れ状態の場合、通信リンクがプリセット通信品質要件を満たしていないことを判定し、1Aイベントがセルで発生し、通信リンクがダウンリンク同期状態の場合、通信リンクがプリセット通信品質要件を満たしていることを判定する。
【０３４７】
第5の実現可能な実装方法では、プロセッサ21は、セルのCPICHの品質および／またはDPCCH／DPDCH／F-DPCH／E-RGCH／E-HICHの品質がプリセットしきい値未満であるかどうかを判定するように特に構成されており、セルのCPICHの品質および／またはDPCCH／DPDCH／F-DPCH／E-RGCH／E-HICHの品質がプリセットしきい値未満の場合、通信リンクがプリセット通信品質要件を満たしていないことを判定し、セルのCPICHの品質および／またはDPCCH／DPDCH／F-DPCH／E-RGCH／E-HICHの品質がプリセットしきい値以上の場合、通信リンクがプリセット通信品質要件を満たしていることを判定する。
【０３４８】
本実施形態のUEは本発明によるダウンリンク情報の処理方法の前述の実施形態において、UEによって実行される、技術的解決策を実行するように構成可能で、その実装原理および技術的効果は類似しており、詳細については前述の実施形態の関連記録を参照することができ、本明細書では再度説明されていない。
【０３４９】
図18は、本発明によるRNCの第1の実施形態の概略構造図である。図18で示されているように、本実施形態のRNCには第1の判定モジュール31および第1の送信モジュール32を含めることができ、ここで、第1の判定モジュール32はユーザ機器（UE）のサービングセルがマイクロセルの場合、アクティブセットのセルとUE間の通信リンクがプリセット通信品質要件を満たしているかどうかを判定するように構成され、第1の送信モジュール32は第1の判定モジュール31がアクティブセットのセルとUE間の通信リンクがプリセット通信品質要件を満たしていない判定する場合、基地局へ第1の指摘メッセージを送信するように構成され、ここで、第1の指摘メッセージは基地局に通信リンクを使用したUEへの送信電力制御（TPC）コマンドの送信を停止するように指令するために使用される。
【０３５０】
本実施形態のRNCは本発明によるダウンリンク情報の処理方法の前述の実施形態において、RNCによって実行される、技術的解決策を実行するように構成可能で、その実装原理および技術的効果は類似しており、詳細については前述の実施形態の関連記録を参照することができ、本明細書では再度説明されていない。
【０３５１】
図19は、本発明によるRNCの第2の実施形態の概略構造図である。図18で示されたRNC構造に基づく、図19で示されているように、さらに、本実施形態のRNCは第2の判定モジュール33および第2の送信モジュール34をさらに含めることができ、ここで、第2の判定モジュール33は通信リンクがプリセット通信品質要件を満たしているかどうかを判定するように構成され、第2の送信モジュール34は第2の判定モジュール33が通信リンクがプリセット通信品質要件を満たすことを判定する場合、基地局へ第2の指摘メッセージを送信するように構成され、ここで、第2の指摘メッセージは基地局に、通信リンクを使用してのUEへのTPCコマンドの送信を再開することを指令するために使用される。
【０３５２】
本実施形態のRNCは本発明によるダウンリンク情報の処理方法の前述の実施形態において、RNCによって実行される、技術的解決策を実行するように構成可能で、その実装原理および技術的効果は類似しており、詳細については前述の実施形態の関連記録を参照することができ、本明細書では再度説明されていない。
【０３５３】
図18または図19で示されたRNC構造に基づく、本実施形態のRNCにおいて、本発明によるRNCの第3の実施形態では、さらに、第1の判定モジュール31は、UEから送信されるセルの1Bイベント測定レポートまたは通信リンクの基地局から送信される失敗指摘情報のいずれかが受信されることを判定するように特に構成され、そしてUEから送信されるセルの1Bイベント測定レポートまたは通信リンクの基地局から送信される失敗指摘情報が受信された場合、通信リンクがプリセット通信品質要件を満たしていないことを判定する。
【０３５４】
第1の指摘メッセージは基地局に、セルとUE間の通信リンクがアップリンク同期外れであることの判定後、通信リンクを使用したUEへのTPCコマンドの送信を停止することを指令するために特に使用されることが好適である。
【０３５５】
場合により、第1の指摘メッセージは通信リンクを使用してUEから送信されるTPCコマンドの処理の停止または通信リンクを使用してUEから送信される情報の受信の停止を指令するためにさらに使用される。
【０３５６】
さらに、第1の送信モジュール32は、専用データフレームまたは専用シグナリングまたは共通シグナリングを使用して基地局へ第1の指摘メッセージを送信するように特に構成されている。
【０３５７】
さらに、第2の判定モジュール33は、UEから送信されるセルの1Aイベント測定レポートまたは通信リンクの基地局から送信される回復指摘情報のいずれかが受信されることを判定するように特に構成され、そしてUEから送信されるセルの1Aイベント測定レポートまたは通信リンクの基地局から送信される回復指摘情報が受信された場合、通信リンクがプリセット通信品質要件を満たしていることを判定する。
【０３５８】
第2の指摘メッセージは基地局に、セルとUE間の通信リンクがアップリンク同期であることの判定後、通信リンクを使用したUEへのTPCコマンドの送信を再開することを指令するために特に使用されることが好適である。
【０３５９】
場合により、第2の指摘メッセージは通信リンクを使用してUEから送信されるTPCコマンドの処理の再開または通信リンクを使用してUEから送信される情報の受信の再開を指令するためにさらに使用される。
【０３６０】
さらに、第2の送信モジュール34は、専用データフレームまたは専用シグナリングまたは共通シグナリングを使用して基地局へ第2の指摘メッセージを送信するように特に構成されている。
【０３６１】
本実施形態のRNCは本発明によるダウンリンク情報の処理方法の前述の実施形態において、RNCによって実行される、技術的解決策を実行するように構成可能で、その実装原理および技術的効果は類似しており、詳細については前述の実施形態の関連記録を参照することができ、本明細書では再度説明されていない。
【０３６２】
ハードウェアの実装という点では、第1の送信モジュール32および第2の送信モジュール34は送信機またはトランシーバとすることができることに留意されたい。第1の判定モジュール31および第2の判定モジュール33はハードウェアの形でRNCのプロセッサに埋め込まれるか、それから独立していることができるか、またはソフトウェアの形でRNCのメモリに保存することができ、それによって、前述のモジュールに対応した動作を実行するためにプロセッサによって呼び出される。プロセッサはCPU、マイクロプロセッサ、単一チップのマイクロプロセッサなどにすることができる。
【０３６３】
図20は、本発明によるRNCの第4の実施形態の概略構造図である。図20で示されているように、本実施形態のRNCにはプロセッサ41および第1の送信機42を含めることができ、ここで、プロセッサ41はユーザ機器（UE）のサービングセルがマイクロセルの場合、アクティブセットのセルとUE間の通信リンクがプリセット通信品質要件を満たしているかどうかを判定するように構成され、送信機42はアクティブセットのセルとUE間の通信リンクがプリセット通信品質要件を満たしていない場合、基地局へ第1の指摘メッセージを送信するように構成され、ここで、第1の指摘メッセージは基地局に通信リンクを使用したUEへの送信電力制御（TPC）コマンドの送信を停止するように指令するために使用される。
【０３６４】
さらに、プロセッサ41は、UEから送信されるセルの1Bイベント測定レポートまたは通信リンクの基地局から送信される失敗指摘情報のいずれかが受信されることを判定するように特に構成され、そしてUEから送信されるセルの1Bイベント測定レポートまたは通信リンクの基地局から送信される失敗指摘情報が受信された場合、通信リンクがプリセット通信品質要件を満たしていないことを判定する。
【０３６５】
第1の指摘メッセージは基地局に、セルとUE間の通信リンクがアップリンク同期外れであることの判定後、通信リンクを使用したUEへのTPCコマンドの送信を停止することを指令するために特に使用されることが好適である。
【０３６６】
場合により、第1の指摘メッセージは通信リンクを使用してUEから送信されるTPCコマンドの処理の停止または通信リンクを使用してUEから送信される情報の受信の停止を指令するためにさらに使用される。
【０３６７】
さらに、送信機42は、専用データフレームまたは専用シグナリングまたは共通シグナリングを使用して基地局へ第1の指摘メッセージを送信するように特に構成されている。
【０３６８】
その上、プロセッサ41は、送信機42が基地局へ第1の指摘メッセージを送信した後、通信リンクがプリセット通信品質要件を満たしているかどうかを判定するようにさらに構成され、送信機42はプロセッサ41が、通信リンクがプリセット通信品質要件を満たすことを判定する場合、基地局へ第2の指摘メッセージを送信するようにさらに構成され、ここで、第2の指摘メッセージは基地局に、通信リンクを使用してのUEへのTPCコマンドの送信を再開することを指令するために使用される。
【０３６９】
さらに、プロセッサ41は、UEから送信されるセルの1Aイベント測定レポートまたは通信リンクの基地局から送信される回復指摘情報のいずれかが受信されることを判定するように特に構成され、そしてUEから送信されるセルの1Aイベント測定レポートまたは通信リンクの基地局から送信される回復指摘情報が受信された場合、通信リンクがプリセット通信品質要件を満たしていることを判定する。
【０３７０】
第2の指摘メッセージは基地局に、セルとUE間の通信リンクがアップリンク同期であることの判定後、通信リンクを使用したUEへのTPCコマンドの送信を再開することを指令するために特に使用されることが好適である。
【０３７１】
場合により、第2の指摘メッセージは通信リンクを使用してUEから送信されるTPCコマンドの処理の再開または通信リンクを使用してUEから送信される情報の受信の再開を指令するためにさらに使用される。
【０３７２】
さらに、送信機42は、専用データフレームまたは専用シグナリングまたは共通シグナリングを使用して基地局へ第2の指摘メッセージを送信するように特に構成されている。
【０３７３】
本実施形態のRNCは本発明によるダウンリンク情報の処理方法の前述の実施形態において、RNCによって実行される、技術的解決策を実行するように構成可能で、その実装原理および技術的効果は類似しており、詳細については前述の実施形態の関連記録を参照することができ、本明細書では再度説明されていない。
【０３７４】
図21は、本発明による基地局の第1の実施形態の概略構造図である。図21で示されているように、本実施形態の基地局には第1の受信モジュール51および処理モジュール52を含めることができ、ここで、第1の受信モジュール51は、ユーザ機器（UE）のサービングセルがマイクロセルの場合、無線ネットワーク制御装置（RNC）から送信される第1の指摘メッセージを受信するように構成され、ここで、第1の指摘メッセージは基地局にアクティブセットのセルとUE間の通信リンクを使用したUEへの送信電力制御（TPC）コマンドの送信を停止するように指令するために使用され、処理モジュール52は通信リンクを使用したUEへのTPCコマンドの送信を、第1の指摘メッセージに従い、停止するように構成されている。
【０３７５】
本実施形態の基地局は本発明によるダウンリンク情報の処理方法の前述の実施形態において、基地局によって実行される、技術的解決策を実行するように構成可能で、その実装原理および技術的効果は類似しており、詳細については前述の実施形態の関連記録を参照することができ、本明細書では再度説明されていない。
【０３７６】
図22は、本発明による基地局の第2の実施形態の概略構造図である。図21で示された基地局構造に基づき、図22で示されているように、さらに、本実施形態の基地局には第2の受信モジュール53および再開モジュール54をさらに含めることができ、ここで、第2の受信モジュール53はRNCにより送信される第2の指摘メッセージを受信するように構成され、ここで、第2の指摘メッセージは基地局に通信リンクを使用したUEへのTPCコマンドの送信を再開することを指令するために使用され、再開モジュール54は通信リンクを使用してUEにTPCコマンドを送信することを第2の指摘メッセージに従って再開するように構成されている。
【０３７７】
本実施形態の基地局は本発明によるダウンリンク情報の処理方法の前述の実施形態において、基地局によって実行される、技術的解決策を実行するように構成可能で、その実装原理および技術的効果は類似しており、詳細については前述の実施形態の関連記録を参照することができ、本明細書では再度説明されていない。
【０３７８】
図21または図22で示された基地局構造に基づく、本実施形態の基地局において、本発明による基地局の第3の実施形態では、さらに、第1の指摘メッセージは基地局に、セルとUE間の通信リンクがアップリンク同期外れであるとの判定後、通信リンクを使用したUEへのTPCコマンドの送信を停止することを指令するために特に使用され、処理モジュール52は通信リンクがアップリンク同期外れであることを第1の指摘メッセージに従い判定し、通信リンクを使用したUEへのTPCコマンドの送信を停止するように特に構成されている。
【０３７９】
場合により、第1の指摘メッセージは基地局に、通信リンクを使用してUEから送信されるTPCコマンドの処理を停止すること、または通信リンクを使用してUEから送信される情報の受信を停止することを指令するためにさらに使用され、処理モジュール52は、第1の受信モジュール51がRNCから送信された第1の指摘メッセージを受信した後、第1の指摘メッセージに従い、通信リンクを使用してUEから送信されたTPCコマンドの処理の停止または通信リンクを使用してUEから送信された情報の受信の停止を行うようにさらに構成されている。
【０３８０】
場合により、第1の指摘メッセージは通信リンクが非サービングリンクであることを示すためにさらに使用される。
【０３８１】
さらに、第1の受信モジュール51は、専用データフレームまたは専用シグナリングまたは共通シグナリングを使用してRNCにより送信される第1の指摘メッセージを受信するように特に構成されている。
【０３８２】
第2の指摘メッセージは基地局に、通信リンクがアップリンク同期であるとの判定後、通信リンクを使用したUEへのTPCコマンドの送信を再開することを指令するために特に使用され、再開モジュール54は通信リンクがアップリンク同期であることを第2の指摘メッセージに従い判定し、通信リンクを使用したUEへのTPCコマンドの送信を再開するように特に構成されていることが好適である。
【０３８３】
場合により、第2の指摘メッセージは基地局に、通信リンクを使用してUEから送信されるTPCコマンドの処理を再開すること、または通信リンクを使用してUEから送信される情報の受信を再開することを指令するためにさらに使用され、再開モジュール54は、第2の受信モジュール53がRNCから送信された第2の指摘メッセージを受信した後、第2の指摘メッセージに従い、通信リンクを使用してUEから送信されたTPCコマンドの処理の再開または通信リンクを使用してUEから送信された情報の受信の再開を行うようにさらに構成される。
【０３８４】
さらに、第2の受信モジュール53は、専用データフレームまたは専用シグナリングまたは共通シグナリングを使用してRNCにより送信される第2の指摘メッセージを受信するように特に構成されている。
【０３８５】
本実施形態の基地局は本発明によるダウンリンク情報の処理方法の前述の実施形態において、基地局によって実行される、技術的解決策を実行するように構成可能で、その実装原理および技術的効果は類似しており、詳細については前述の実施形態の関連記録を参照することができ、本明細書では再度説明されていない。
【０３８６】
ハードウェアの実装という点では、第1の受信モジュール51および第2の受信モジュール53は送信機またはトランシーバとすることができることに留意されたい。処理モジュール52および再開モジュール54はハードウェアの形で基地局のプロセッサに埋め込まれるか、それから独立していることができるか、またはソフトウェアの形で基地局のメモリに保存することができ、それによって、前述のモジュールに対応した動作を実行するためにプロセッサによって呼び出される。プロセッサはCPU、マイクロプロセッサ、単一チップのマイクロプロセッサなどにすることができる。
【０３８７】
図23は、本発明による基地局の第4の実施形態の概略構造図である。図23で示されているように、本実施形態の基地局には受信機61およびプロセッサ62を含めることができ、ここで、受信機61は、ユーザ機器（UE）のサービングセルがマイクロセルの場合、無線ネットワーク制御装置（RNC）から送信される第1の指摘メッセージを受信するように構成され、ここで、第1の指摘メッセージは基地局にアクティブセットのセルとUE間の通信リンクを使用したUEへの送信電力制御（TPC）コマンドの送信を停止するように指令するために使用され、プロセッサ62は通信リンクを使用したUEへのTPCコマンドの送信を、第1の指摘メッセージに従い、停止するように構成されている。
【０３８８】
第1の指摘メッセージは基地局に、セルとUE間の通信リンクがアップリンク同期外れであるとの判定後、通信リンクを使用したUEへのTPCコマンドの送信を停止することを指令するために特に使用され、プロセッサ62は通信リンクがアップリンク同期外れであることを第1の指摘メッセージに従い判定し、通信リンクを使用したUEへのTPCコマンドの送信を停止するように特に構成されていることが好適である。
【０３８９】
場合により、第1の指摘メッセージは基地局に、通信リンクを使用してUEから送信されるTPCコマンドの処理を停止すること、または通信リンクを使用してUEから送信される情報の受信を停止することを指令するためにさらに使用され、プロセッサ62は、受信機61がRNCから送信された第1の指摘メッセージを受信した後、第1の指摘メッセージに従い、通信リンクを使用してUEから送信されたTPCコマンドの処理の停止または通信リンクを使用してUEから送信された情報の受信の停止を行うようにさらに構成されている。
【０３９０】
場合により、第1の指摘メッセージは通信リンクが非サービングリンクであることを示すためにさらに使用される。
【０３９１】
さらに、受信機61は、専用データフレームまたは専用シグナリングまたは共通シグナリングを使用してRNCにより送信される第1の指摘メッセージを受信するように特に構成されている。
【０３９２】
その上、受信機61はRNCにより送信される第2の指摘メッセージを受信するように構成され、ここで、第2の指摘メッセージは基地局に通信リンクを使用したUEへのTPCコマンドの送信を再開することを指令するために使用され、プロセッサ62は通信リンクを使用してUEにTPCコマンドを送信することを第2の指摘メッセージに従って再開するようにさらに構成されている。
【０３９３】
第2の指摘メッセージは基地局に、通信リンクがアップリンク同期であるとの判定後、通信リンクを使用したUEへのTPCコマンドの送信を再開することを指令するために特に使用され、プロセッサ62は通信リンクがアップリンク同期であることを第2の指摘メッセージに従い判定し、通信リンクを使用したUEへのTPCコマンドの送信を再開するように特に構成されていることが好適である。
【０３９４】
場合により、第2の指摘メッセージは基地局に、通信リンクを使用してUEから送信されるTPCコマンドの処理を再開すること、または通信リンクを使用してUEから送信される情報の受信を再開することを指令するためにさらに使用され、プロセッサ62は、受信機61がRNCから送信された第2の指摘メッセージを受信した後、第2の指摘メッセージに従い、通信リンクを使用してUEから送信されたTPCコマンドの処理の再開または通信リンクを使用してUEから送信された情報の受信の再開を行うようにさらに構成されている。
【０３９５】
さらに、受信機61は、専用データフレームまたは専用シグナリングまたは共通シグナリングを使用してRNCにより送信される第2の指摘メッセージを受信するように特に構成されている。
【０３９６】
本実施形態の基地局は本発明によるダウンリンク情報の処理方法の前述の実施形態において、基地局によって実行される、技術的解決策を実行するように構成可能で、その実装原理および技術的効果は類似しており、詳細については前述の実施形態の関連記録を参照することができ、本明細書では再度説明されていない。
【０３９７】
図24は、本発明によるUEの第5の実施形態の概略構造図である。図24で示されているように、本実施形態のUEには受信モジュール71および処理モジュール72を含めることができ、ここで、受信モジュール71はネットワーク側デバイスから送信された停止指摘情報を受信するように構成され、ここで、停止指摘情報はUEにアクティブセットのセルとUE間の通信リンクを使用して基地局から送信されるダウンリンク情報の処理を停止するように指令するために使用され、処理モジュール72は通信リンクを使用して基地局から送信されるダウンリンク情報の処理を停止指摘情報に従って停止するように構成されている。
【０３９８】
場合により、受信モジュール71は、基地局から送信される停止指摘情報を受信または無線ネットワーク制御装置（RNC）から送信される停止指摘情報を受信するように特に構成されている。
【０３９９】
本実施形態のUEは本発明によるダウンリンク情報の処理方法の前述の実施形態において、UEによって実行される、技術的解決策を実行するように構成可能で、その実装原理および技術的効果は類似しており、詳細については前述の実施形態の関連記録を参照することができ、本明細書では再度説明されていない。
【０４００】
図25は、本発明によるUEの第6の実施形態の概略構造図である。図24に示されたUE構造に基づき、図25に示されているように、さらに、本実施形態のUEには再開モジュール73を含めることができ、ここで、受信モジュール71は処理モジュール72が通信リンクを使用して基地局から送信されるダウンリンク情報の処理を停止指摘情報に従って停止した後、ネットワーク側デバイスから送信される再開指摘情報を受信するようにさらに構成され、ここで、再開指摘情報はUEに通信リンクを使用して基地局から送信されるダウンリンク情報の処理の再開を指令するために使用され、再開モジュール73は通信リンクを使用して基地局から送信されるダウンリンク情報の処理を再開指摘情報に従って再開するように構成されている。
【０４０１】
場合により、処理モジュール72は、第1の処理ユニット721および／または第2の処理ユニット722を含み、ここで、第1の処理ユニット721は、通信リンクを使用して基地局から送信される送信電力制御（TPC）コマンドの処理を停止するように構成され、第2の処理ユニット722は通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理を停止するように構成されている。
【０４０２】
場合により、第2の処理ユニット722は通信リンクを使用して基地局から送信されるDPCCH／DPDCH／F-DPCH／E-RGCH／E-HICHの受信の停止または通信リンクを使用して基地局から送信されるDPDCHの受信、および組み合わせ処理でのDPDCHで信号の使用の停止または通信リンクを使用して基地局から送信されるDPCCH／DPDCH／F-DPCHの受信、および信号対干渉比（SIR）評価でのDPCCH／DPDCH／F-DPCHで信号の使用の停止または通信リンクを使用して基地局から送信されるE-RGCHの受信、および組み合わせ処理のE-RGCHでの相対グラント信号の使用の停止または通信リンクを使用して基地局から送信されるE-RGCHの受信、およびUEの上位層へのE-RGCHでの相対グラント情報の送信の停止または通信リンクを使用して基地局から送信されるE-HICHの受信、および組み合わせ処理でのE-HICHでフィードバック信号の使用の停止または通信リンクを使用して基地局から送信されるE-HICHの受信、およびUEの上位層へのE-HICHでのフィードバック情報の送信の停止を行うように特に構成されている。
【０４０３】
場合により、本実施形態のUEには送信モジュール74をさらに含めることができ、ここで、送信モジュール74は受信モジュール71がネットワーク側デバイスから送信された停止指摘情報を受信する前に、ネットワーク側デバイスに能力指摘情報を送信するように構成され、ここで、能力指摘情報はUEがダウンリンク情報の処理の停止および／またはダウンリンク情報の処理の再開の能力を有することを示すために使用される。
【０４０４】
本実施形態のUEは本発明によるダウンリンク情報の処理方法の前述の実施形態において、UEによって実行される、技術的解決策を実行するように構成可能で、その実装原理および技術的効果は類似しており、詳細については前述の実施形態の関連記録を参照することができ、本明細書では再度説明されていない。
【０４０５】
ハードウェアの実装という点では、受信モジュール71は受信機またはトランシーバとすることができ、送信モジュール74は送信機またはトランシーバとすることができ、および受信モジュール71と送信モジュール74は、ハードウェアの実装に対応して、トランシーバである、トランシーバユニットを形成するために一体化することができることに留意されたい。処理モジュール72および再開モジュール73はハードウェアの形でUEのプロセッサに埋め込まれるか、それから独立していることができるか、またはソフトウェアの形でUEのメモリに保存することができ、それによって、前述のモジュールに対応した動作を実行するためにプロセッサによって呼び出される。プロセッサはCPU、マイクロプロセッサ、単一チップのマイクロプロセッサなどにすることができる。
【０４０６】
図26は、本発明によるUEの第7の実施形態の概略構造図である。図26で示されているように、本実施形態のUEには受信機81およびプロセッサ82を含めることができ、ここで、受信機81はネットワーク側デバイスから送信された停止指摘情報を受信するように構成され、ここで、停止指摘情報はUEにアクティブセットのセルとUE間の通信リンクを使用して基地局から送信されるダウンリンク情報の処理を停止するように指令するために使用され、プロセッサ82は通信リンクを使用して基地局から送信されるダウンリンク情報の処理を停止指摘情報に従って停止するように構成されている。
【０４０７】
場合により、受信機81は、基地局から送信される停止指摘情報を受信または無線ネットワーク制御装置（RNC）から送信される停止指摘情報を受信するように特に構成されている。
【０４０８】
場合により、受信機81は、プロセッサ82が通信リンクを使用して基地局から送信されるダウンリンク情報の処理を停止指摘情報に従って停止した後、ネットワーク側デバイスから送信される再開指摘情報を受信するようにさらに構成され、ここで、再開指摘情報はUEに通信リンクを使用して基地局から送信されるダウンリンク情報の処理の再開を指令するために使用され、さらにプロセッサ82は通信リンクを使用して基地局から送信されるダウンリンク情報の処理を再開指摘情報に従って再開するようにさらに構成されている。
【０４０９】
場合により、プロセッサ82は、通信リンクを使用して基地局から送信される送信電力制御（TPC）コマンドの処理の停止および／または通信リンクを使用して基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の停止を行うように特に構成されている。
【０４１０】
さらに、第1の実現可能な実装方法では、プロセッサ82は通信リンクを使用して基地局から送信されるDPCCH／DPDCH／F-DPCH／E-RGCH／E-HICHの受信を停止するように特に構成されている。
【０４１１】
第2の実現可能な実装方法では、受信機81は通信リンクを使用して基地局から送信されるDPDCHを受信するようにさらに構成され、プロセッサ82は組み合わせ処理でのDPDCHで信号の使用を停止するように特に構成されている。
【０４１２】
第3の実現可能な実装方法では、受信機81は通信リンクを使用して基地局から送信されるDPCCH／DPDCH／F-DPCHを受信するようにさらに構成され、プロセッサ82は信号対干渉比（SIR）評価でのDPCCH／DPDCH／F-DPCHで信号の使用の停止するように特に構成されている。
【０４１３】
第4の実現可能な実装方法では、受信機81は通信リンクを使用して基地局から送信されるE-RGCHを受信するようにさらに構成され、プロセッサ82は組み合わせ処理でのE-RGCHで相対グラント信号の使用を停止するように特に構成されている。
【０４１４】
第5の実現可能な実装方法では、受信機81は通信リンクを使用して基地局から送信されるE-RGCHを受信するようにさらに構成され、プロセッサ82はUEの上位層へのE-RGCHでの相対グラント情報の送信を停止するように特に構成されている。
【０４１５】
第6の実現可能な実装方法では、受信機81は通信リンクを使用して基地局から送信されるE-HICHを受信するようにさらに構成され、プロセッサ82は組み合わせ処理でのE-HICHでフィードバック信号の使用を停止するように特に構成されている。
【０４１６】
第7の実現可能な実装方法では、受信機81は通信リンクを使用して基地局から送信されるE-HICHを受信するようにさらに構成され、プロセッサ82はUEの上位層へのE-HICHでのフィードバック情報の送信を停止するように特に構成されている。
【０４１７】
場合により、本実施形態のUEには送信機83をさらに含めることができ、ここで、送信機83は受信機81がネットワーク側デバイスから送信された停止指摘情報を受信する前に、ネットワーク側デバイスに能力指摘情報を送信するように構成され、ここで、能力指摘情報はUEがダウンリンク情報の処理の停止および／またはダウンリンク情報の処理の再開の能力を有することを示すために使用される。
【０４１８】
本実施形態のUEは本発明によるダウンリンク情報の処理方法の前述の実施形態において、UEによって実行される、技術的解決策を実行するように構成可能で、その実装原理および技術的効果は類似しており、詳細については前述の実施形態の関連記録を参照することができ、本明細書では再度説明されていない。
【０４１９】
当業者であれば、本方法の実施形態のステップの全部または一部が関連ハードウェアに指令するプログラムによって実装可能であることを理解することができる。プログラムはコンピュータ可読記憶媒体に保存可能である。プログラムが実行すると、本方法の実施形態のステップが行われる。前述の記憶媒体には、ROM、RAM、磁気ディスク、または光ディスクなど、プログラムコードを保存できるいずれかの媒体が含まれる。
【０４２０】
最後に、前述の実施形態は本発明の技術的解決策を説明することを単に意図しており、本発明を限定することを意図していないことに留意されたい。本発明は前述の実施形態を参照して詳細に説明されたが、当業者であれば、本発明の実施形態の技術的解決策の範囲を逸脱することなく、前述の実施形態で説明された技術的解決策に対する変更または該当する一部または全部の技術的機能に対する等価置換をさらに行うことができることを理解されたい。
【符号の説明】
【０４２１】
11  判定モジュール
12  処理モジュール
13  再開モジュール
121  第1の処理ユニット
122  第2の処理ユニット
21  プロセッサ
22  受信機
31  第1の判定モジュール
32  第1の送信モジュール
33  第2の判定モジュール
34  第2の送信モジュール
41  プロセッサ
42  送信機
51  第1の受信モジュール
52  処理モジュール
53  第2の受信モジュール
54  再開モジュール
61  受信機
62  プロセッサ
71  受信モジュール
72  処理モジュール
73  再開モジュール
74  送信モジュール
721  第1の処理ユニット
722  第2の処理ユニット
81  受信機
82  プロセッサ
83  送信機
【図１】
2016515779.tif 000003
【図２】
2016515779.tif 000004
【図３】
2016515779.tif 000005
【図４】
2016515779.tif 000006
【図５】
2016515779.tif 000007
【図６】
2016515779.tif 000008
【図７】
2016515779.tif 000009
【図８】
2016515779.tif 000010
【図９】
2016515779.tif 000011
【図１０】
2016515779.tif 000012
【図１１】
2016515779.tif 000013
【図１２】
2016515779.tif 000014
【図１３】
2016515779.tif 000015
【図１４】
2016515779.tif 000016
【図１５】
2016515779.tif 000017
【図１６】
2016515779.tif 000018
【図１７】
2016515779.tif 000019
【図１８】
2016515779.tif 000020
【図１９】
2016515779.tif 000021
【図２０】
2016515779.tif 000022
【図２１】
2016515779.tif 000023
【図２２】
2016515779.tif 000024
【図２３】
2016515779.tif 000025
【図２４】
2016515779.tif 000026
【図２５】
2016515779.tif 000027
【図２６】
2016515779.tif 000028
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
ダウンリンク情報の処理方法であって、
ネットワーク側デバイスから送信される停止指摘情報のユーザ機器（UE）による受信であって、前記停止指摘情報は前記UEにアクティブセットのセルと前記UE間の通信リンクを使用して基地局から送信されるダウンリンク情報の処理を停止するように指令するために使用される受信と、
前記通信リンクを使用して前記基地局から送信される前記ダウンリンク情報の処理の、前記停止指摘情報に従う前記UEによる停止とを含む方法。
【請求項２】
ネットワーク側デバイスから送信された停止指摘情報の、UEによる前記受信が、
前記基地局から送信される前記停止指摘情報の、前記UEによる受信、または
無線ネットワーク制御装置（RNC）から送信される前記停止指摘情報の、前記UEによる受信を含む、請求項1に記載の方法。
【請求項３】
前記通信リンクを使用して基地局から送信されるダウンリンク情報の処理の、前記停止指摘情報に従う前記UEによる前記停止の後に、方法が、
前記ネットワーク側デバイスから送信される再開指摘情報の前記UEによる受信であって、前記再開指摘情報は前記UEに前記通信リンクを使用して前記基地局から送信される前記ダウンリンク情報の処理を再開するように指令するために使用される受信と、
前記通信リンクを使用して前記基地局から送信される前記ダウンリンク情報の処理の、再開指摘情報に従う前記UEによる再開とをさらに含む、請求項1または2に記載の方法。
【請求項４】
前記通信リンクを使用して前記基地局から送信される前記ダウンリンク情報の処理の前記UEによる前記停止が、
前記通信リンクを使用して前記基地局から送信される送信電力制御（TPC）コマンドの処理の前記UEによる停止、および／または
前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の前記UEによる停止を含む、請求項1から3のいずれか一項に記載の方法。
【請求項５】
前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理の前記UEによる前記停止が、
前記通信リンクを使用して前記基地局から送信される前記DPCCH／DPDCH／F-DPCH／E-RGCH／E-HICHの受信の前記UEによる停止、または
前記通信リンクを使用して基地局から送信されるDPDCHの前記UEによる受信、および組み合わせ処理での前記DPDCHで信号の使用の停止、または
前記通信リンクを使用して前記基地局から送信されるDPCCH/DPDCH/F-DPCHの前記UEによる受信、および信号対干渉比（SIR）評価での前記DPCCH／DPDCH／F-DPCHで信号の使用の停止、または
前記通信リンクを使用して前記基地局から送信されるE-RGCHの、前記UEによる受信、および組み合わせ処理での前記E-RGCHで相対グラント信号の使用の停止、または
前記通信リンクを使用して前記基地局から送信されるE-RGCHの、前記UEによる受信、および前記UEの上位層への前記E-RGCHでの相対グラント情報の送信の停止、または
前記通信リンクを使用して前記基地局から送信されるE-HICHの、前記UEによる受信、および組み合わせ処理での前記E-HICHでフィードバック信号の使用の、または
前記通信リンクを使用して前記基地局から送信されるE-HICHの、前記UEによる受信、および前記UEの上位層への前記E-HICHでのフィードバック情報の送信の停止を含む、請求項4に記載の方法。
【請求項６】
ネットワーク側デバイスから送信された停止指摘情報の、ユーザ機器（UE）による前記受信の前に、方法が、
前記ネットワーク側デバイスへの能力指摘情報の、前記UEによる送信することであって、前記能力指摘情報は前記UEが前記ダウンリンク情報の処理の停止および／または前記ダウンリンク情報の処理の再開の能力を有することを示すために使用される、送信することをさらに含む、請求項1から5のいずれか一項に記載の方法。
【請求項７】
ユーザ機器（UE）であって、
ネットワーク側デバイスから送信される停止指摘情報の受信であって、前記停止指摘情報は前記UEにアクティブセットのセルと前記UE間の通信リンクを使用して基地局から送信されるダウンリンク情報の処理を停止するように指令するために使用される受信を行うように構成された受信モジュールと、
前記通信リンクを使用して前記基地局から送信される前記ダウンリンク情報の処理を、前記停止指摘情報に従って停止するように構成された処理モジュールとを備えるUE。
【請求項８】
前記受信モジュールは、前記基地局から送信される前記停止指摘情報を受信または無線ネットワーク制御装置（RNC）から送信される前記停止指摘情報を受信するようにさらに構成されている、請求項7に記載のUE。
【請求項９】
再開モジュールをさらに備え、
前記受信モジュールは、前記処理モジュールが前記通信リンクを使用して前記基地局から送信される前記ダウンリンク情報の処理を前記停止指摘情報に従って停止した後、前記ネットワーク側デバイスから送信される再開指摘情報の受信であって、前記再開指摘情報は前記UEに前記通信リンクを使用して前記基地局から送信される前記ダウンリンク情報の処理の再開を指令するために使用される受信を行うようにさらに構成され、
前記再開モジュールは、前記通信リンクを使用して前記基地局から送信される前記ダウンリンク情報の処理を、前記再開指摘情報に従って再開するように構成されている、請求項7または8に記載のUE。
【請求項１０】
前記処理モジュールが第1の処理ユニットおよび／または第2の処理ユニットを備え、
前記第1の処理ユニットは、前記通信リンクを使用して前記基地局から送信される送信電力制御（TPC）コマンドの処理を停止するように構成され、
前記第2の処理ユニットは、前記通信リンクを使用して前記基地局から送信される専用物理制御チャネル（DPCCH）／専用物理データチャネル（DPDCH）／F専用物理チャネル（DPCH）／拡張専用チャネル相対グラントチャネル（E-RGCH）／拡張専用チャネルハイブリッド自動リピート要求肯定応答インジケータチャネル（E-HICH）の処理を停止するように構成された、請求項7から9のいずれか一項に記載のUE。
【請求項１１】
前記第2の処理ユニットは前記通信リンクを使用して前記基地局から送信される前記DPCCH／DPDCH／F-DPCH／E-RGCH／E-HICHの受信の停止または前記通信リンクを使用して前記基地局から送信されるDPDCHの受信、および組み合わせ処理での前記DPDCHで信号の使用の停止または前記通信リンクを使用して前記基地局から送信されるDPCCH／DPDCH／F-DPCHの受信、および信号対干渉比（SIR）評価での前記DPCCH／DPDCH／F-DPCHで信号の使用の停止または前記通信リンクを使用して前記基地局から送信されるE-RGCHの受信、および組み合わせ処理の前記E-RGCHでの相対グラント信号の使用の停止または前記通信リンクを使用して前記基地局から送信されるE-RGCHの受信、および前記UEの上位層への前記E-RGCHでの相対グラント情報の送信の停止または前記通信リンクを使用して前記基地局から送信されるE-HICHの受信、および組み合わせ処理での前記E-HICHでフィードバック信号の使用の停止または前記通信リンクを使用して前記基地局から送信されるE-HICHの受信、および前記UEの上位層への前記E-HICHでのフィードバック情報の送信の停止を行うようにさらに構成されている、請求項10に記載のUE。
【請求項１２】
請求項7から11のいずれか一項に記載のUEであって、
前記受信モジュールが前記ネットワーク側デバイスから送信された前記停止指摘情報を受信する前に、前記ネットワーク側デバイスへの能力指摘情報の送信であって、前記能力指摘情報はUEが前記ダウンリンク情報の処理の停止および／または前記ダウンリンク情報の処理の再開の能力を有することを示すために使用される送信を行うように構成された送信モジュールをさらに備えるUE。
【請求項１３】
ダウンリンク情報の制御方法であって、
ユーザ機器（UE）のサービングセルがマイクロセルの場合、アクティブセットのセルと前記UE間の通信リンクがプリセット通信品質要件を満たしているかどうかを無線ネットワーク制御装置（RNC）によって判定することと、
前記アクティブセットの前記セルと前記UE間の前記通信リンクが前記プリセット通信品質要件を満たしていない場合、前記RNCによって基地局への第1の指摘メッセージを送信することであって、前記第1の指摘メッセージは前記基地局に、前記通信リンクを使用した前記UEへの送信電力制御（TPC）コマンドの送信の停止を指令するために使用される送信することとを含む方法。
【請求項１４】
前記第1の指摘メッセージは前記基地局に、前記通信リンクを使用して前記UEから送信されるTPCコマンドの処理を停止することまたは前記通信リンクを使用して前記UEから送信される情報の受信を停止することを指令するためにさらに使用される、
請求項13に記載のダウンリンク情報の制御方法。
【請求項１５】
ユーザ機器（UE）のサービングセルがマイクロセルの場合、無線ネットワーク制御装置（RNC）から送信される第1の指摘メッセージを基地局により受信することであって、前記第1の指摘メッセージは前記基地局にアクティブセットのセルと前記UE間の通信リンクを使用した前記UEへの送信電力制御（TPC）コマンドの送信を停止するように指令するために使用される、受信することと、
前記通信リンクを使用した前記UEへの前記TPCコマンドの送信を、前記第1の指摘メッセージに従い、前記基地局により停止することと、
を備えるダウンリンク情報の処理方法。
【請求項１６】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用され、
RNCから送信される第1の指摘情報の、基地局による前記受信後、前記方法が、
前記第1の指摘メッセージにしたがって、前記通信リンクを使用して前記UEから送信される前記TPCコマンドの処理の前記基地局による停止、または、前記通信リンクを使用して前記UEから送信される前記情報の受信の停止をさらに含む、請求項15に記載の方法。
【請求項１７】
無線ネットワーク制御装置（RNC）であって、
ユーザ機器（UE）のサービングセルがマイクロセルの場合、アクティブセットのセルと前記UE間の通信リンクがプリセット通信品質要件を満たしているかどうかを判定するように構成された、第1の判定モジュールと、
第1の送信モジュールであって、前記第1の判定モジュールが前記アクティブセットの前記セルと前記UE間の前記通信リンクが前記プリセット通信品質要件を満たしていないと判定する場合、基地局への第1の指摘メッセージの送信するよう構成され、前記第1の指摘メッセージは前記基地局に、前記通信リンクを使用した前記UEへの送信電力制御（TPC）コマンドの送信の停止を指令するために使用される、前記第1の送信モジュールと、
を含むRNC。
【請求項１８】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用される、請求項17に記載のRNC。
【請求項１９】
基地局であって、
第1の受信モジュールであって、ユーザ機器（UE）のサービングセルがマイクロセルの場合、無線ネットワーク制御装置（RNC）から送信された第1の指摘メッセージの受信するよう構成され、前記第1の指摘メッセージは前記基地局に、アクティブセットのセルと前記UE間の通信リンクを使用した前記UEへの送信電力制御（TPC）コマンドの 送信の停止を指令するために使用される、前記第1の受信モジュールと、
前記通信リンクを使用した前記UEへの前記TPCコマンドの送信を、前記第1の指摘メッセージに従って停止するように構成された処理モジュールと、を備える基地局。
【請求項２０】
前記第1の指摘メッセージは前記基地局に、前記通信リンクを使用して前記UEから送信されるTPCコマンドの処理の停止または前記通信リンクを使用して前記UEから送信される情報の受信の停止を指令するためにさらに使用され、
前記処理モジュールは、前記第1の受信モジュールが前記RNCから送信される前記第1の指摘メッセージを受信した後、前記第1の指摘メッセージに従って、前記通信リンクを使用して前記UEから送信される前記TPCコマンドの処理の停止または前記通信リンクを使用して前記UEから送信される前記情報の受信の停止を行うようにさらに構成された、請求項19に記載の基地局。
【手続補正２】
【補正対象書類名】明細書
【補正対象項目名】００１１
【補正方法】変更
【補正の内容】
【００１１】
第1の態様または第1の態様の第1の可能性のある実装方法または第1の態様の第2の可能性のある実装方法または第1の態様の第3の可能性のある実装方法を参照すると、第1の態様の第5の可能性のある実装方法では、アクティブセットのセルとUE間の通信リンクがプリセット通信品質要件を満たしているかどうかをUEによって判定することには、1Bイベントまたは1Aイベントがセルにおいて発生するかどうかをUEによって判定すること、および1Bイベントがセルで発生する場合、通信リンクがプリセット通信品質要件を満たしていないことをUEによって判定すること、または1Aイベントがセルで発生する場合、通信リンクがプリセット通信品質要件を満たしていることをUEによって判定することが含まれる。
【手続補正３】
【補正対象書類名】明細書
【補正対象項目名】００３９
【補正方法】変更
【補正の内容】
【００３９】
第4の態様または第4の態様の第1の可能性のある実装方法または第4の態様の第2の可能性のある実装方法または第4の態様の第3の可能性のある実装方法を参照すると、第4の態様の第5の可能性のある実装方法では、判定モジュールは、1Bイベントまたは1Aイベントがセルで発生するかどうかを判定するように特に構成されており、1Bイベントがセルで発生する場合、通信リンクがプリセット通信品質要件を満たしていないことを判定し、1Aイベントがセルで発生する場合、通信リンクがプリセット通信品質要件を満たしていることを判定する。
【手続補正４】
【補正対象書類名】明細書
【補正対象項目名】００６７
【補正方法】変更
【補正の内容】
【００６７】
第7の態様または第7の態様の第1の可能性のある実装方法または第7の態様の第2の可能性のある実装方法または第7の態様の第3の可能性のある実装方法を参照すると、第7の態様の第5の可能性のある実装方法では、プロセッサは、1Bイベントまたは1Aイベントがセルで発生するかどうかを判定するように特に構成されており、1Bイベントがセルで発生する場合、通信リンクがプリセット通信品質要件を満たしていないことを判定し、1Aイベントがセルで発生する場合、通信リンクがプリセット通信品質要件を満たしていることを判定する。
【手続補正５】
【補正対象書類名】明細書
【補正対象項目名】０１１３
【補正方法】変更
【補正の内容】
【０１１３】
本発明の実施形態で技術的解決策をより明確に説明するために、次に、実施形態を説明するために必要な添付図面を簡潔に紹介している。明らかであるが、次の説明の添付図面は本発明の一部の実施形態を示しており、当業者は創意工夫なくこれらの添付図面から他の図面をさらに導き出すことができる。
【手続補正６】
【補正対象書類名】明細書
【補正対象項目名】０１１５
【補正方法】変更
【補正の内容】
【０１１５】
本発明の目的、技術的解決策、および利点をより明らかにするために、次の部分では、本発明の実施形態の添付図面を参照して本発明の実施形態の技術的解決策を明らかに説明している。明らかに、説明されている実施形態は本発明の実施形態の一部であって全部ではない。創意工夫なしに本発明の実施形態に基づいて当業者によって取得される他のすべての実施形態は本発明の守備範囲に当たるものであるはずである。
【手続補正７】
【補正対象書類名】明細書
【補正対象項目名】０１２７
【補正方法】変更
【補正の内容】
【０１２７】
それに加えて、UEがダウンリンク電力制御を行う場合、UEは、信号対干渉比（Signal to Interference Ratio、略してSIR）評価で各通信リンクの専用物理制御チャネル（Dedicated Physical Control Channel、略してDPCCH）／専用物理データチャネル（Dedicated Physical Data Channel、略してDPDCH）／F（フラクショナル）専用物理チャネル（Dedicated Physical Channel、略してDPCH）を必要とし、評価された値と事前定義のターゲット値を比較して、評価された値が事前定義のターゲット値未満の場合、UEはネットワークに送信電力の増大を要求するか、または評価された値が事前定義のターゲット値以上の場合、UEはネットワークに送信電力の減少を要求する。UEがDPCCH／DPDCH／F-DPCHでSIR評価を行う場合、低品質の通信リンクは普通の通信リンクに対するSIR評価に影響する。それに加えて、基地局が通信リンクのダウンリンク送信を停止した後に、SIR評価に含まれると、リンクは純粋にノイズのみを有し、つまり、SIR評価値は減少し、送信電力増大コマンドがネットワークに送信される。したがって、普通のリンクのダウンリンク電力制御が影響を受け、ダウンリンク干渉が増大する。
【手続補正８】
【補正対象書類名】明細書
【補正対象項目名】０１２９
【補正方法】変更
【補正の内容】
【０１２９】
UEはアクティブセットですべての通信リンクの拡張専用チャネル相対グラントチャネル（Enhanced Dedicated Channel Relative Grant Channels、略してE-RGCH）を組み合わせることができる。通信リンクの品質が低品質の場合、UEは、例えば、HOLDコマンドをDOWNコマンドとして誤って検出するなど、通信リンクでのE-RGCHでDOWNコマンドまたはHOLDコマンドを誤って検出する場合がある。誤って検出されたコマンドが上位層に送信された後、アップリング送信電力は誤って減少し、アップリンクスループットに影響する。したがって、UEは、UEの上位層へE-RGCHでの相対グラント情報を送信するかどうかを通信リンクの品質に従って判定する必要がある。
【手続補正９】
【補正対象書類名】明細書
【補正対象項目名】０１４７
【補正方法】変更
【補正の内容】
【０１４７】
本実施形態では、図2で示された202が行われた後、301がさらに行うことができ、すなわち、UEがアクティブセットのセルとUE間の通信リンクを使用して基地局から送信されるTPCコマンドの処理を停止すること、および／またはUEが通信リンクを使用して基地局から送信される、例えばDPCCH/DPDCH/F-DPCH/E-RGCH/E-HICHといったダウンリンク情報の処理を停止することの後に、UEはセルに移動することができ、それによって、セルとUE間の通信リンクの信号品質は向上するので、UEはアクティブセットのセルとUE間の通信リンクがプリセット通信品質要件を満たしているかどうかをさらに判定することができ、通信リンクがプリセット通信品質要件を満たしている場合、通信リンクの品質が向上したことを示し、UEはセルから送信される送信電力増大コマンドを送信電力減少コマンドとして誤って解釈はせず、UEが組み合わされたデータ受信で通信リンクを使用して送信されるDPDCHを使用する場合、UEの組み合わされた受信の性能は影響されないか、またはリンクのDPCCH／DPDCH/F-DPCHがSIR評価に含まれていない場合、ダウンリンク電力制御は影響されず、または通信リンクがプリセット通信品質要件を満たしていない場合、通信リンクの信号品質が引き続き低品質であることを示し、UEはセルから送信された送信電力増大コマンドを送信電力減少コマンドと誤って解釈し、UEが組み合わされたデータ受信で通信リンクを使用して送信されるDPDCHを使用する場合、UEの組み合わされた受信の性能が影響を受けるか、または通信リンクのDPCCH／DPDCH/F-DPCHがSIR評価に含まれる場合、ダウンリンク電力制御が影響を受け、または通信リンクのE-RGCHが相対グラント信号の組み合わせに使用される場合、アップリンクスループットが影響を受け、または通信リンクのE-HICHがACK／NACK／DTX信号の組み合わせで使用される場合、アップリンクスループットが影響を受ける。
【手続補正１０】
【補正対象書類名】明細書
【補正対象項目名】０１５６
【補正方法】変更
【補正の内容】
【０１５６】
本実施形態では、UEのサービングセルがマイクロセルの場合、UEはアクティブセットのセルとUE間の通信リンクがプリセット通信品質要件を満たしているかどうかを判定する、すなわち、UEはTPCコマンドのSIRがSIRしきい値未満であるかどうかを判定し、ここで、TPCコマンドはアクティブセットのセルとUE間の通信リンクを使用して受信され、SIRしきい値はプリセットされる、そしてUEがTPCコマンドのSIRがSIRしきい値以上であると判定する場合、通信リンクはプリセット通信品質要件を満たしていることを示す、すなわち、通信リンクの信号品質が高品質であることを示し、UEはセルから送信される送信電力増大コマンドを送信電力減少コマンドとして誤って解釈はせず、UEが組み合わされたデータ受信で通信リンクを使用して送信されるDPDCHを使用する場合、UEの組み合わされた受信の性能が影響を受けないか、またはリンクのDPCCH／DPDCH／F-DPCHがSIR評価に含まれる場合、ダウンリンク電力制御が影響を受ける、またはUEがTPCコマンドのSIRがSIRしきい値未満であると判定する場合、通信リンクがプリセット通信品質要件を満たしていないことを示す、すなわち、通信リンクの信号品質が低品質であり、UEはセルから送信された送信電力増大コマンドを送信電力減少コマンドと誤って解釈し、UEが組み合わされたデータ受信で通信リンクを使用して送信されるDPDCHを使用する場合、UEの組み合わされた受信の性能が影響を受けるか、またはリンクのDPCCH／DPDCH／F-DPCHがSIR評価に含まれる場合、ダウンリンク電力制御が影響を受け、または通信リンクのE-RGCHが相対グラント情報の組み合わせに使用される場合、アップリンクスループットが影響を受け、または通信リンクのE-HICHがACK／NACK／DTX信号の組み合わせで使用される場合、アップリンクスループットが影響を受け、それから402を行うことができる。
【手続補正１１】
【補正対象書類名】明細書
【補正対象項目名】０１６１
【補正方法】変更
【補正の内容】
【０１６１】
本実施形態では、UEがTPCコマンドのSIRがSIRしきい値未満であることを判定し、UEが通信リンクを使用して基地局から送信される送信電力制御（TPC）コマンドの処理を停止する、および／またはUEが通信リンクを使用して基地局から送信されるDPCCH／DPDCH／F-DPCH／E-RGCH／E-HICHの処理を停止した後、UEはセルに移動することができ、それによって、セルとUE間の通信リンクの信号品質が向上し、UEは通信リンクがプリセット通信品質要件を満たしているかどうかを判定する、すなわち、UEは通信リンクを使用して受信されたTPCコマンドのSIRがSIRしきい値未満かどうかを判定し、TPCコマンドのSIRがSIRしきい値未満の場合、通信リンクはプリセット通信品質要件を満たしておらず、すなわち、通信リンクの信号品質が低品質であることを示し、UEはセルから送信される送信電力増大コマンドを送信電力減少コマンドとして誤って解釈し、UEが組み合わされたデータ受信で通信リンクを使用して送信されるDPDCHを使用する場合、UEの組み合わされた受信の性能が影響を受けるか、またはリンクのDPCCH／DPDCH／F-DPCHがSIR評価に含まれる場合、ダウンリンク電力制御が影響を受ける、またはTPCコマンドのSIRがSIRしきい値以上である場合、通信リンクがプリセット通信品質要件を満たしていることを示す、すなわち、通信リンクの信号品質が向上し、UEはセルから送信された送信電力増大コマンドを送信電力減少コマンドと誤って解釈せず、UEが組み合わされたデータ受信で通信リンクを使用して送信されるDPDCHを使用する場合、UEの組み合わされた受信の性能が影響を受けるか、または通信リンクのDPCCH／DPDCH／F-DPCHがSIR評価に含まれる場合、ダウンリンク電力制御は影響を受けず、または通信リンクのE-RGCHが相対グラント情報の組み合わせに使用される場合、アップリンクスループットは影響を受けず、または通信リンクのE-HICHがACK／NACK／DTX信号の組み合わせで使用される場合、アップリンクスループットは影響を受けず、それから404を行うことができる。SIRしきい値はUEによってプリセットすることができるか、またはUEへ無線ネットワーク制御装置（Radio Network Controller、略してRNC）によって提供することができるが、本実施形態に限定されるわけではないことに留意されたい。
【手続補正１２】
【補正対象書類名】明細書
【補正対象項目名】０１８１
【補正方法】変更
【補正の内容】
【０１８１】
601：UEはアクティブセットのセルが1Bイベントを満たすかどうかを判定し、1Bイベントがセルで発生する場合、UEはセルとUE間の通信リンクがプリセット通信品質要件を満たしていないと判定する。
【手続補正１３】
【補正対象書類名】明細書
【補正対象項目名】０１８２
【補正方法】変更
【補正の内容】
【０１８２】
本実施形態では、UEのサービングセルがマイクロセルの場合、UEはアクティブセットのセルとUE間の通信リンクがプリセット通信品質要件を満たしているかどうかを判定する、すなわち、UEは、1Bイベントがセルで発生するかどうかに従って、セルとUE間の通信リンクがプリセット通信品質要件を満たしているかどうかを判定し、UEは1Bイベントがセルで発生すると判定する場合、通信リンクがプリセット通信品質要件を満たしていないこと、すなわち、通信リンクの信号品質が低品質であることを示し、UEは送信電力増大コマンドを送信電力減少コマンドとして誤って解釈し、UEが組み合わされたデータ受信で通信リンクを使用することによって送信されたDPDCHを使用する場合、UEの組み合わされた受信の性能が影響を受け、または通信リンクのDPCCH／DPDCH／F-DPCHがSIR評価に含まれる場合、ダウンリンク電力制御が影響を受け、または通信リンクのE-RGCHが相対グラント情報の組み合わせで使用される場合、アップリンクスループットが影響を受け、または通信リンクのE-HICHがACK／NACK／DTX信号の組み合わせで使用される場合、アップリンクスループットが影響を受け、それから602を行うことができる。1Bイベントは従来技術と一致しており、本実施形態では詳細に説明されていないことに留意されたい。
【手続補正１４】
【補正対象書類名】明細書
【補正対象項目名】０１８３
【補正方法】変更
【補正の内容】
【０１８３】
さらに、1Bイベントがセルで発生すると判定した後、UEは通信リンクがダウンリンク同期外れ状態かどうかをさらに判定することができ、通信リンクがダウンリンク同期外れ状態にない場合、通信リンクがプリセット通信品質要件を満たしている、すなわち、通信リンクの信号品質が高品質であること示す、または通信リンクがダウンリンク同期外れ状態にある場合、通信リンクがプリセット通信品質要件を満たしていない、すなわち、通信リンクの信号品質が低品質であることを示し、それから602を行うことができる。
【手続補正１５】
【補正対象書類名】明細書
【補正対象項目名】０１８４
【補正方法】変更
【補正の内容】
【０１８４】
さらに、1Bイベントがセルで発生するとの判定後、UEはセルとUE間の通信リンクのDPCCH／DPDCH／F-DPCH／E-RGCH／E-HICHの信号品質がしきい値未満かどうかをさらに判定することができるか、またはUEはセルとUE間の通信リンクのDPCCH／DPDCH／F-DPCH／E-RGCH／E-HICHの信号品質と参照通信リンク（例えば、UEのサービングセルとUE間の通信リンク）のDPCCH／DPDCH／F-DPCH／E-RGCH／E-HICHの信号品質の違いがしきい値未満であることをさらに判定することができ、しきい値未満の場合、セルとUE間の通信リンクがプリセット通信品質要件を満たしていないことを示す。
【手続補正１６】
【補正対象書類名】明細書
【補正対象項目名】０１８９
【補正方法】変更
【補正の内容】
【０１８９】
603：UEは1Aイベントがセルで発生するかどうかを判定し、1Aイベントがセルで発生する場合、UEは通信リンクがプリセット通信品質要件を満たしていると判定する。
【手続補正１７】
【補正対象書類名】明細書
【補正対象項目名】０１９０
【補正方法】変更
【補正の内容】
【０１９０】
本実施形態では、UEが、1Bイベントがセルで発生すると判定し、UEが通信リンクを使用して基地局から送信される送信電力制御（TPC）コマンドの処理を停止する、および／またはUEが通信リンクを使用して基地局から送信されるDPCCH／DPDCH／F-DPCH／E-RGCH／E-HICHの処理を停止した後、UEはセルに移動することができ、それによって、セルとUE間の通信リンクの信号品質が向上し、UEは通信リンクがプリセット通信品質要件を満たしているかどうかを判定する、すなわち、UEは1Aイベントがセルで発生するかどうかを判定し、1Aイベントがセルで発生する場合、通信リンクがプリセット通信品質要件を満たしていることを示す、すなわち、通信リンクの信号品質が向上し、UEはセルから送信された送信電力増大コマンドを送信電力減少コマンドと誤って解釈せず、UEが組み合わされたデータ受信で通信リンクを使用して送信されるDPDCHを使用する場合、UEの組み合わされた受信の性能が影響を受けないか、またはリンクのDPCCH／DPDCH／F-DPCHがSIR評価に含まれる場合、ダウンリンク電力制御は影響を受けず、または通信リンクのE-RGCHが相対グラント情報の組み合わせに使用される場合、アップリンクスループットは影響を受けず、または通信リンクのE-HICHがACK／NACK／DTX信号の組み合わせで使用される場合、アップリンクスループットは影響を受けず、それから604を行うことができる。
【手続補正１８】
【補正対象書類名】明細書
【補正対象項目名】０１９１
【補正方法】変更
【補正の内容】
【０１９１】
さらに、1Aイベントがセルで発生すると判定した後、UEは通信リンクがダウンリンク同期状態かどうかをさらに判定することができ、通信リンクがダウンリンク同期状態にない場合、通信リンクが引き続きプリセット通信品質要件を満たしていない、すなわち、通信リンクの信号品質が引き続き低品質であること示す、または通信リンクがダウンリンク同期状態にある場合、通信リンクがプリセット通信品質要件を満たしている、すなわち、通信リンクの信号品質が高品質であることを示し、それから604を行うことができる。
【手続補正１９】
【補正対象書類名】明細書
【補正対象項目名】０１９２
【補正方法】変更
【補正の内容】
【０１９２】
さらに、1Aイベントがセルで発生するとの判定後、UEはセルとUE間の通信リンクのDPCCH／DPDCH／F-DPCH／E-RGCH／E-HICHの信号品質がしきい値より大きいかどうかをさらに判定することができるか、またはUEはセルとUE間の通信リンクのDPCCH／DPDCH／F-DPCH／E-RGCH／E-HICHの信号品質と参照通信リンク（例えば、UEのサービングセルとUE間の通信リンク）のDPCCH／DPDCH／F-DPCH／E-RGCH／E-HICHの信号品質の違いがしきい値より大きいことをさらに判定することができ、しきい値より大きい場合、通信リンクがプリセット通信品質要件を満たしていないことを示す。
【手続補正２０】
【補正対象書類名】明細書
【補正対象項目名】０２０４
【補正方法】変更
【補正の内容】
【０２０４】
場合により、RRC層から指摘プリミティブを受信する場合、もしくは、CPICHの信号品質がしきい値未満でDPCCH／DPDCH／F-DPCH／E-RGCH／E-HICHのチャネルがしきい値未満であると判定する場合、UEの物理層はチャネルのダウンリンクを処理しない、または一時停止する。
【手続補正２１】
【補正対象書類名】明細書
【補正対象項目名】０２１１
【補正方法】変更
【補正の内容】
【０２１１】
場合により、RRC層から指摘プリミティブを受信する場合、もしくは、CPICHの信号品質がしきい値より大きく、DPCCH／DPDCH／F-DPCH／E-RGCH／E-HICHのチャネルがしきい値より大きいと判定する場合、UEの物理層はチャネルのダウンリンクを処理する。
【手続補正２２】
【補正対象書類名】明細書
【補正対象項目名】０２２２
【補正方法】変更
【補正の内容】
【０２２２】
場合により、ネットワーク側デバイスから送信される停止指摘情報のUEによる受信には、RNCにより送信される停止指摘情報をUEによって受信することが含まれる。具体的には、RNCはアクティブセットのセルとUE間の通信リンクがプリセット通信品質要件を満たしているかどうかを判定することができ、アクティブセットのセルとUE間の通信リンクがプリセット通信品質要件を満たしていない場合、RNCは通信リンクがプリセット通信品質要件を満たしていると判定することができ、またはアクティブセットのセルとUE間の通信リンクがプリセット通信品質要件を満たしている場合、RNCは通信リンクがプリセット通信品質要件を満たしていないと判定することができ、UEに停止指摘情報を送信する、ここで、RNCから送信される停止指摘情報はRRC層命令またはMAC層命令で、MAC層命令はデータパケットで実行されるMAC層命令とすることができる。停止指摘情報がRRC層命令の場合、UEのRRC層は停止指摘情報を受信することができ、それからUEのRRC層は、ダウンリンク情報の処理をUEの物理層を使用して停止する。停止指摘情報がMAC層命令の場合、UEのMAC層は停止指摘情報を受信することができ、それからUEのMAC層は、ダウンリンク情報の処理をUEの物理層を使用して停止する。場合により、通信リンクの1Bイベントを受信するか、または通信リンクの信号品質がしきい値未満と判定する場合、RNCは通信リンクがプリセット通信品質要件を満たしていないと判定し、それから、UEに通信リンクの処理の停止を指令するためにUEに命令を送信することができる、および通信リンクの1Aイベントを受信するか、または通信リンクの信号品質がしきい値より大きいと判定する場合、RNCは通信リンクがプリセット通信品質要件を満たしていると判定し、それから、UEに通信リンクの処理の再開を指令するためにUEに命令を送信することができる。
【手続補正２３】
【補正対象書類名】明細書
【補正対象項目名】０２３６
【補正方法】変更
【補正の内容】
【０２３６】
本実施形態では、図8で示された802が行われた後、901をさらに行うことができる、すなわち、RNCは、基地局に通信リンクを使用したUEへのTPCコマンドの送信の停止を指令するため、第1の指摘メッセージを基地局に送信した後、UEはセルに移動することができ、それによって、セルとUE間の通信リンクの信号品質は向上し、したがって、RNCは通信リンクがプリセット通信品質要件を満たしているかどうかをさらに判定することができ、通信リンクがプリセット通信品質要件を満たしている場合、通信リンクの品質が向上したことを示し、UEはセルから送信された送信電力増大コマンドを送信電力減少コマンドとして誤って解釈せず、または通信リンクがプリセット通信品質要件を満たしていない場合、通信リンクの信号品質が引き続き低品質であることを示し、UEはセルから送信された送信電力増大コマンドを送信電力減少コマンドとして誤って解釈する。
【手続補正２４】
【補正対象書類名】明細書
【補正対象項目名】０２４４
【補正方法】変更
【補正の内容】
【０２４４】
本実施形態では、UEのサービングセルがマイクロセルで、UEがアクティブセットのセルの1Aイベントをより早くレポートし、1Bイベントのレポートが遅延するため、1Bイベントのレポート後にも、引き続きアクティブセットのセルを保持する場合、セルはアクティブセットにより早く追加され、アクティブセットからのセルの削除は遅延する。その結果、UEとアクティブセットのセル間の通信リンクの信号品質は低品質になる。したがって、基地局はRNCから第1の指摘メッセージを受信し、ここで、第1の指摘メッセージは基地局に、アクティブセットのセルとUE間の通信リンクを使用したUEへのTPCコマンドの送信の停止を指令するために使用される、すなわち、RNCはUEがセルから送信される送信電力増大コマンドを送信電力減少コマンドとして誤って解釈することを習得し、したがって、RNCは基地局に、通信リンクを使用したUEへのTPCコマンドの送信の停止を指令することができ、ここで、RNCは、通信リンクがプリセット通信品質要件を満たしていないと判定する場合、第1の指摘メッセージを基地局に送信することができるが、本実施形態はそれに限定されるものではない。RNCは基地局に通信リンクの削除を指令しないので、基地局は通信リンクを削除しないことに留意されたい。
【手続補正２５】
【補正対象書類名】明細書
【補正対象項目名】０２５０
【補正方法】変更
【補正の内容】
【０２５０】
本実施形態では、図10で示された1002が行われた後、1101をさらに行うことができる、すなわち、基地局が通信リンクを使用したUEへのTPCコマンドの送信を第1の指摘メッセージに従って停止した後、UEはセルに移動することができ、それによって、セルとUE間の通信リンクの信号品質は向上し、基地局はRNCから第2の指摘メッセージを受信し、ここで、第2の指摘メッセージは基地局に、アクティブセットのセルとUE間の通信リンクを使用したUEへのTPCコマンドの送信の再開を指令するために使用される、すなわち、RNCはUEがセルから送信される送信電力増大コマンドを送信電力減少コマンドとして誤って解釈しないことを習得し、したがって、RNCは基地局に、通信リンクを使用したUEへのTPCコマンドの送信の再開を指令することができ、ここで、RNCは、通信リンクがプリセット通信品質要件を満たしていると判定する場合、第2の指摘メッセージを基地局に送信することができるが、本実施形態はそれに限定されるものではない。
【手続補正２６】
【補正対象書類名】明細書
【補正対象項目名】０２５９
【補正方法】変更
【補正の内容】
【０２５９】
第1の可能性のある実装方法では、RNCはセルとUE間の通信リンクがプリセット通信品質要件を満たしているかどうかを、UEから送信されるセルの1Bイベント測定レポートが受信されるかどうかに従って判定し、RNCがUEから送信されるセルの1Bイベント測定レポートを受信する場合、通信リンクがプリセット通信品質要件を満たしていないことを示す、すなわち、通信リンクの信号品質が低品質で、UEはセルから送信される送信電力増大コマンドを送信電力減少コマンドとして誤って解釈し、それから1202を行うことができる。1Bイベント測定レポートは従来技術と一致しており、本実施形態では詳細に説明されていないことに留意されたい。
【手続補正２７】
【補正対象書類名】明細書
【補正対象項目名】０２６０
【補正方法】変更
【補正の内容】
【０２６０】
第2の可能性のある実装方法では、RNCはセルとUE間の通信リンクがプリセット通信品質要件を満たしているかどうかを、セルとUE間の通信リンクの基地局から送信される失敗指摘メッセージが受信されるかどうかに従って判定し、RNCが通信リンクの基地局から送信される失敗指摘メッセージを受信する場合、通信リンクがプリセット通信品質要件を満たしていないことを示す、すなわち、通信リンクの信号品質が低品質で、UEはセルから送信される送信電力増大コマンドを送信電力減少コマンドとして誤って解釈し、それから1202を行うことができる。基地局がプリセット時間内に、アクティブセットのセルとUE間の通信リンクがプリセット時間量の間、継続的にアップリンク同期外れにある場合、基地局は通信リンクが失敗したことを判定し、通信リンクの失敗指摘メッセージをRNCに送信することに留意されたい。
【手続補正２８】
【補正対象書類名】明細書
【補正対象項目名】０２９５
【補正方法】変更
【補正の内容】
【０２９５】
1301：基地局はRNCにより送信される第1の指摘メッセージおよび第2の指摘メッセージを受信し、ここで、第1の指摘メッセージはアクティブセットのセルとUE間の通信リンクが非サービングリンクであることを基地局に示し、基地局に、セルとUE間の通信リンクがアップリンク同期外れであると判定した後、通信リンクを使用したUEへのTPCコマンドの送信の停止を指令するために使用され、第2の指摘メッセージは基地局に、セルとUE間の通信リンクがアップリンク同期であると判定した後、通信リンクを使用したUEへのTPCコマンドの送信の再開を指令するために使用される。
【手続補正２９】
【補正対象書類名】明細書
【補正対象項目名】０３１７
【補正方法】変更
【補正の内容】
【０３１７】
本実施形態では、基地局が、通信リンクがアップリンク同期外れにあるかどうかを判定し、通信リンクがアップリンク同期外れにある場合、基地局は通信リンクがプリセット通信品質要件を満たしていないことを判定し、したがって、基地局は通信リンクを使用したUEへのTPCコマンドの送信を停止することができる。
【手続補正３０】
【補正対象書類名】明細書
【補正対象項目名】０３２０
【補正方法】変更
【補正の内容】
【０３２０】
本実施形態では、基地局が、通信リンクがアップリンク同期外れにあることを判定し、通信リンクを使用してUEから送信されるTPCコマンドの送信を停止した後、基地局は通信リンクがアップリンク同期にあるかどうかを判定し、通信リンクがアップリンク同期にある場合、基地局は通信リンクを使用したUEへのTPCコマンドの送信を再開することができる。
【手続補正３１】
【補正対象書類名】明細書
【補正対象項目名】０３３３
【補正方法】変更
【補正の内容】
【０３３３】
第2の実現可能な実装方法では、判定モジュール11は1Bイベントまたは1Aイベントがセルで発生するかを判定するように特に構成され、1Bイベントがセルで発生する場合、通信リンクがプリセット通信品質要件を満たしていないことを判定し、1Aイベントがセルで発生する場合、通信リンクがプリセット通信品質要件を満たしていることを判定する。
【手続補正３２】
【補正対象書類名】明細書
【補正対象項目名】０３４４
【補正方法】変更
【補正の内容】
【０３４４】
第2の実現可能な実装方法では、プロセッサ21は1Bイベントまたは1Aイベントがセルで発生するかを判定するように特に構成され、1Bイベントがセルで発生する場合、通信リンクがプリセット通信品質要件を満たしていないことを判定し、1Aイベントがセルで発生する場合、通信リンクがプリセット通信品質要件を満たしていることを判定する。
【手続補正３３】
【補正対象書類名】明細書
【補正対象項目名】０３４９
【補正方法】変更
【補正の内容】
【０３４９】
図18は、本発明によるRNCの第1の実施形態の概略構造図である。図18で示されているように、本実施形態のRNCには第1の判定モジュール31および第1の送信モジュール32を含めることができ、ここで、第1の判定モジュール31はユーザ機器（UE）のサービングセルがマイクロセルの場合、アクティブセットのセルとUE間の通信リンクがプリセット通信品質要件を満たしているかどうかを判定するように構成され、第1の送信モジュール32は第1の判定モジュール31がアクティブセットのセルとUE間の通信リンクがプリセット通信品質要件を満たしていない判定する場合、基地局へ第1の指摘メッセージを送信するように構成され、ここで、第1の指摘メッセージは基地局に通信リンクを使用したUEへの送信電力制御（TPC）コマンドの送信を停止するように指令するために使用される。
【国際調査報告】
2016515779.tif 000029
2016515779.tif 000030
2016515779.tif 000031
2016515779.tif 000032